(57)【要約】【課題】カードの貯留、再発行および回収をすることができる記憶媒体処理装置、記憶媒体処理方法、記憶媒体処理システムを提供することを目的とする。【解決手段】非会員用ＩＣカード３１は、返却ボタン３ｄが押され、度数残高がゼロのときには、搬送ベルト２１４を再度作動し、非会員用ＩＣカード３１は、カード貯留部２０４に対向する位置まで搬送される。ここで、非会員用ＩＣカード３１は、カード貯留部２０４に貯留される。一方、カード貯留部２０４の限界検知部２３１によって、非会員用ＩＣカード３１の貯留量が許容貯留量に達したことが検知された場合には、非会員用ＩＣカード３１は、カード排出部２１７に落下され、カード回収部に回収される。【選択図】図２１
2006198420.tif 000002
【特許請求の範囲】
【請求項１】
情報が記憶されたカード形状記憶媒体を縦向きに受け入れて、前記カード形状記憶媒体からの情報の読み取り、または／および前記カード形状記憶媒体への情報の書き込みを行い、前記カード形状記憶媒体を縦向きの状態で、前記カード形状記憶媒体の受入方向、前記カード形状記憶媒体を再発行可能に積層して貯留する方向であって前記カード形状記憶媒体の受入方向に対して略水平方向、および前記カード形状記憶媒体を回収する方向であって前記受入方向に対して下方向のいずれかの方向へ搬送することが可能であり、
（１）前記カード形状記憶媒体を受入方向に搬送する搬送路の所定の領域に配設され、前記所定の領域に対応して前記受入方向に対して下方向に設けられた開口部、または前記所定の領域に対応して前記受入方向に対して略水平方向に設けられた貯留部のいずれかに選択的に方向を切り替えて前記カード形状記憶媒体を導く回収貯留共通手段を具備するか、または
（２）前記カード形状記憶媒体を受入方向に搬送しつつ、前記受入方向に対して略水平方向に形成された前記カード形状記憶媒体を再発行可能に積層して貯留する貯留部に前記カード形状記憶媒体を積層して貯留する搬送手段を備え、前記搬送手段によって前記貯留部に積層して貯留された前記カード形状記憶媒体が、所定貯留数以上となったときに、貯留方向に対して前記貯留部の奥側より回収するかの、（１）および（２）のいずれかの構成を有するカード処理装置を備え、有価価値を特定可能な有価価値特定情報が記憶された記憶媒体を用いて、その特定された有価価値の範囲で遊技に供する遊技媒体の貸し出しまたは貸し出しのための指示が可能な記憶媒体処理装置であって、
貨幣を受け入れて該貨幣を識別する貨幣識別部と、
会員用記憶媒体を受け付ける会員用記憶媒体受付手段と、前記会員用記憶媒体受付手段が受け付けた前記会員用記憶媒体から有価価値特定情報を読み取る会員用記憶媒体読取手段と、前記貨幣識別部により識別された貨幣の金額に対応して前記会員用記憶媒体受付手段が受け付けた会員用記憶媒体の有価価値特定情報によって特定される有価価値を更新する会員用記憶媒体更新手段とを有する会員記憶媒体処理部と、
非会員用カード形状記憶媒体を受け入れる非会員カード受入手段と、前記非会員カード受入手段が受け入れた前記非会員用カード形状記憶媒体から有価価値特定情報を読み取る非会員カード読取手段と、前記貨幣識別部により識別された貨幣の金額に対応して前記非会員カード受入手段が受け入れた前記非会員用カード形状記憶媒体の有価価値特定情報によって特定される有価価値を更新する非会員カード更新手段と、前記貯留部に貯留された非会員用カード形状記憶媒体を前記回収貯留共通手段または前記搬送手段によって取り出し、該非会員用カード形状記憶媒体を発行する非会員カード発行手段と、前記非会員カード読取手段の情報に基づいて少なくとも有価価値を有しないことを含む所定の条件が成立したときに、前記非会員用カード形状記憶媒体を前記回収貯留共通手段または前記搬送手段によって前記貯留部に貯留する貯留手段とを有する非会員カード処理部と
を具備することを特徴とする記憶媒体処理装置。
【請求項２】
情報が記憶されたカード形状記憶媒体を縦向きに受け入れて、前記カード形状記憶媒体からの情報の読み取り、または／および前記カード形状記憶媒体への情報の書き込みを行い、前記カード形状記憶媒体を縦向きの状態で、前記カード形状記憶媒体の受入方向、前記カード形状記憶媒体を再発行可能に積層して貯留する方向であって前記カード形状記憶媒体の受入方向に対して略水平方向、および前記カード形状記憶媒体を回収する方向であって前記受入方向に対して下方向のいずれかの方向へ搬送することが可能であり、
（１）前記カード形状記憶媒体を受入方向に搬送する搬送路の所定の領域に配設され、前記所定の領域に対応して前記受入方向に対して下方向に設けられた開口部、または前記所定の領域に対応して前記受入方向に対して略水平方向に設けられた貯留部のいずれかに選択的に方向を切り替えて前記カード形状記憶媒体を導く回収貯留共通手段を具備するか、または
（２）前記カード形状記憶媒体を受入方向に搬送しつつ、前記受入方向に対して略水平方向に形成された前記カード形状記憶媒体を再発行可能に積層して貯留する貯留部に前記カード形状記憶媒体を積層して貯留する搬送手段を備え、前記搬送手段によって前記貯留部に積層して貯留された前記カード形状記憶媒体が、所定貯留数以上となったときに、貯留方向に対して前記貯留部の奥側より回収する、（１）および（２）のいずれかの構成を有するカード処理装置を備える記憶媒体処理装置の記憶媒体処理方法であって、
有価価値を特定可能な有価価値特定情報が記憶された会員用記憶媒体、有価価値を特定可能な有価価値特定情報が記憶された非会員用カード形状記憶媒体または貨幣のいずれかを受け付ける受付ステップと、
前記受付ステップで、前記会員用記憶媒体、前記非会員用カード形状記憶媒体または前記貨幣のいずれかが受け入れられたことに対応して、会員用記憶媒体対応処理ステップ、非会員用記憶媒体対応処理ステップまたは貨幣対応処理ステップのいずれかが実行される実行ステップを具備し、
前記会員用記憶媒体対応処理ステップが、
前記受付ステップで受け付けられた前記会員用記憶媒体からの有価価値特定情報の第１の読み取りを行う読取ステップと、
前記受付ステップ後に、貨幣が受け付けられた場合には、該貨幣を識別する第１の貨幣識別ステップと、
前記第１の貨幣識別ステップで識別された貨幣の金額に対応して、前記受付ステップで受け付けられた前記会員用記憶媒体の有価価値特定情報によって特定される有価価値の更新を行う第１の媒体取扱ステップと、
前記第１の読取ステップまたは前記第１の媒体取扱ステップで、読み取られたか、更新された有価価値の範囲で遊技媒体の貸し出しまたは貸し出しのための指示を行う第１の遊技媒体貸出ステップと
を有し、
前記非会員用記憶媒体対応処理ステップが、
前記受付ステップで受け入れられた前記非会員用カード形状記憶媒体からの有価価値特定情報の読み取りを行う第２の読取ステップと、
前記受付ステップ後に、貨幣が受け入れられた場合には、該貨幣を識別する第２の貨幣識別ステップと、
前記第２の貨幣識別ステップで識別された貨幣の金額に対応して、前記受入ステップで受け入れられた前記非会員用カード形状記憶媒体の有価価値特定情報によって特定される有価価値の更新を行う第２の媒体取扱ステップと、
前記第２の読取ステップまたは前記第２の媒体取扱ステップで、読み取られたか、更新された有価価値の範囲で遊技媒体の貸し出しまたは貸し出しの指示を行う第２の遊技媒体貸出ステップと、
前記第２の遊技媒体貸出ステップによって少なくとも有価価値を有しないことを含む所定の条件が成立したときに、前記非会員用カード形状記憶媒体を前記回収貯留共通手段または前記搬送手段によって前記貯留部に貯留する貯留ステップと
を有し、
前記貨幣対応処理ステップが、
前記受入ステップで受け入れられた貨幣を識別する第３の貨幣識別ステップと、
前記貯留部に貯留された非会員用カード形状記憶媒体を前記回収貯留共通手段または前記搬送手段によって取り出し、該非会員用カード形状記憶媒体の発行を行う第３の媒体取扱ステップと、
前記第３の媒体取扱ステップで、前記発行されたカード形状記憶媒体の有価価値特定情報に基づく有価価値の範囲で遊技媒体の貸し出しまたは貸し出しの指示を行う第３の遊技媒体貸出ステップと
を有することを特徴とする記憶媒体処理方法。
【請求項３】
請求項１記載の記憶媒体処理装置、精算機および管理装置を具備し、前記記憶媒体処理装置と、前記精算機と、前記管理装置とがそれぞれ通信可能に接続された記憶媒体処理システムであって、
前記精算機が、
会員用記憶媒体を受け付ける会員カード受付手段と、前記会員カード受付手段が受け入れた前記会員用記憶媒体から有価価値特定情報を読み取る会員用記憶媒体読取手段と、前記会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する会員用記憶媒体更新手段とを有する会員記憶媒体精算処理部と、
非会員用カード形状記憶媒体を受け付ける非会員カード受付手段と、前記非会員カード受付手段が受け入れた前記非会員用カード形状記憶媒体から有価価値特定情報を読み取る非会員カード読取手段と、前記非会員カード読取手段により読み取られた有価価値特定情報によって特定される有価情報に基づいて貨幣を払い戻す非会員カード対応貨幣払戻手段とを有する非会員カード精算処理部と
を具備し、
前記管理装置が、
会員用記憶媒体が利用されたときの処理管理をすべく、
前記精算機で払い戻された貨幣に対応して前記会員用記憶媒体の有価価値特定情報によって特定される有価価値を管理する会員有価価値管理手段とを有する会員情報管理部と、
非会員用カード形状記憶媒体が利用されたときの処理管理をすべく、
前記精算機で払い戻された貨幣に対応して前記非会員用カード形状記憶媒体の有価価値特定情報によって特定される有価価値および前記記憶媒体処理装置の回収貯留共通手段または搬送手段によって貯留部から取り出されて発行されたカード形状記憶媒体の有価価値特定情報によって特定される有価価値を管理する非会員カード有価価値管理手段を有する非会員カード情報管理部と
を具備することを特徴とする記憶媒体処理システム。
【請求項４】
請求項１記載の記憶媒体処理装置、発券機、精算機、計数機、景品機および管理装置を具備し、前記記憶媒体処理装置と、前記発券機と、前記精算機と、前記計数機と、前記景品機と、前記管理装置とがそれぞれ通信可能に接続された記憶媒体処理システムであって、
前記発券機が、
貨幣を受け入れて該貨幣を識別する貨幣識別部と、
会員用記憶媒体を受け付ける第１の会員用記憶媒体受付手段と、前記第１の会員用記憶媒体受付手段が受け付けた前記会員用記憶媒体から有価価値特定情報を読み取る第１の会員用記憶媒体読取手段と、前記貨幣識別部により識別された貨幣の金額に対応して前記第１の会員用記憶媒体受付手段が受け付けた会員用記憶媒体の有価価値特定情報によって特定される有価価値を更新する第１の会員用記憶媒体更新手段とを有する第１の会員記憶媒体処理部と、
貯留された非会員用カード形状記憶媒体に対し前記貨幣識別部により識別された貨幣の金額に対応する有価価値を特定する有価価値特定情報を記憶した非会員用カード形状記憶媒体を発行する非会員カード発行手段とを有する非会員カード処理部と
を具備し、
前記精算機が、
会員用記憶媒体を受け付ける第２の会員用記憶媒体受付手段と、前記第２の会員用記憶媒体受付手段が受け付けた前記会員用記憶媒体から有価価値特定情報を読み取る第２の会員用記憶媒体読取手段と、前記第２の会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する第２の会員用記憶媒体更新手段とを有する会員記憶媒体精算処理部と、
非会員用カード形状記憶媒体を受け付ける第１の非会員カード受付手段と、前記第１の非会員カード受付手段が受け付けた前記非会員用カード形状記憶媒体から有価価値特定情報を読み取る第１の非会員カード読取手段と、前記第１の非会員カード読取手段により読み取られた有価価値特定情報によって特定される有価情報に基づいて貨幣を払い戻す非会員カード対応貨幣払戻手段とを有する非会員カード精算処理部と
を具備し、
前記計数機が、
遊技媒体を受け入れて該遊技媒体の数を計数する計数部と、
会員用記憶媒体を受け付ける第３の会員用記憶媒体受付手段と、前記第３の会員用記憶媒体受付手段が受け付けた前記会員用記憶媒体から遊技媒体貯数を特定する遊技媒体貯数特定情報を読み取る第３の会員用記憶媒体読取手段と、前記計数部により計数された遊技媒体数に対応して前記第３の会員用記憶媒体受付手段が受け付けた会員用記憶媒体の遊技媒体貯数特定情報によって特定される遊技媒体貯数を更新する第３の会員用記憶媒体更新手段とを有する第２の会員記憶媒体処理部と、
前記計数部により計数された遊技媒体数を、遊技媒体貯数を特定可能な遊技媒体貯数特定情報として、記録媒体に記録する記録媒体記録手段と、前記記録媒体記録手段で記録された前記記録媒体を発券する記録媒体発券手段とを有する第１の記録媒体処理部と
を具備し、
前記景品機が、
会員用記憶媒体を受け付ける第４の会員用記憶媒体受付手段と、前記第４の会員用記憶媒体受付手段が受け付けた前記会員用記憶媒体から遊技媒体貯数を特定する遊技媒体貯数特定情報を読み取る第４の会員用記憶媒体読取手段と、前記第４の会員用記憶媒体読取手段により読み取られた遊技媒体貯数特定情報によって特定される遊技媒体貯数に基づいて景品を払い出すか、または、払い出す景品の種別と数量を表示する景品処理手段と、前記景品処理手段で払い出された景品または払い出す景品の種別と数量に対応して前記会員用記憶媒体の遊技媒体貯数特定情報によって特定される遊技媒体貯数を更新する第４の会員用記憶媒体更新手段とを有する第３の会員記憶媒体処理部と、
遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または払い出す景品の種別と数量を表示する記録媒体景品処理手段とを有する第２の記録媒体処理部と
を具備し、
前記管理装置が、
会員用記憶媒体が利用されたときの処理管理をすべく、
前記記憶媒体処理装置で投入された金額に対応して前記会員用記憶媒体の有価価値特定情報によって特定される有価価値、前記精算機で払い戻された貨幣に対応して前記会員用記憶媒体の有価価値特定情報によって特定される有価価値を管理する会員有価価値情報管理手段を有する会員記憶媒体情報管理部と、
非会員用カード形状記憶媒体が利用されたときの処理管理をすべく、
前記記憶媒体処理装置で投入された金額に対応して前記非会員用カード形状記憶媒体の有価価値特定情報によって特定される有価価値および前記記憶媒体処理装置の回収貯留共通手段または搬送手段によって貯留部から取り出されて発行された非会員用カード形状記憶媒体の有価価値特定情報によって特定される有価価値を管理する非会員カード有価価値情報管理手段を有する非会員カード情報管理部と
を具備することを特徴とする記憶媒体処理システム。
【請求項５】
請求項１記載の記憶媒体処理装置、発券機、精算機、計数機、景品機、再プレー受付機および管理装置を具備し、前記記憶媒体処理装置と、前記発券機と、前記精算機と、前記計数機と、前記景品機と、前記再プレー受付機と、前記管理装置とがそれぞれ通信可能に接続された記憶媒体処理システムであって、
前記発券機が、
貨幣を受け入れて該貨幣を識別する貨幣識別部と、会員登録を受けた遊技者に発行された会員用記憶媒体を受け付ける第１の会員用記憶媒体受付手段と、前記第１の会員用記憶媒体受付手段が受け付けた前記会員用記憶媒体から有価価値特定情報を読み取る第１の会員用記憶媒体読取手段と、前記貨幣識別部により識別された貨幣の金額に対応して前記第１の会員用記憶媒体受付手段が受け付けた会員用記憶媒体の有価価値特定情報によって特定される有価価値を更新する第１の会員用記憶媒体更新手段とを有する第１の会員記憶媒体処理部と、
貯留された非会員用カード形状記憶媒体に対し前記貨幣識別部により識別された貨幣の金額に対応する有価価値を特定する有価価値特定情報を記憶した非会員用カード形状記憶媒体を発行する非会員カード発行手段を有する非会員カード処理部と
を具備し、
前記精算機が、
会員用記憶媒体を受け付ける第２の会員用記憶媒体受付手段と、前記第２の会員用記憶媒体受付手段が受け付けた前記会員用記憶媒体から有価価値特定情報を読み取る第２の会員用記憶媒体読取手段と、前記第２の会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する第２の会員用記憶媒体更新手段とを有する会員記憶媒体精算処理部と、
非会員用カード形状記憶媒体を受け付ける第１の非会員カード受付手段と、前記第１の非会員カード受付手段が受け付けた前記非会員用カード形状記憶媒体から有価価値特定情報を読み取る第１の非会員カード読取手段と、前記第１の非会員カード読取手段により読み取られた有価価値特定情報によって特定される有価情報に基づいて貨幣を払い戻す非会員カード対応貨幣払戻手段とを有する非会員カード精算処理部と
を具備し、
前記計数機が、
遊技媒体を受け入れて該遊技媒体の数を計数する計数部と、
会員用記憶媒体を受け付ける第３の会員用記憶媒体受付手段と、前記第３の会員用記憶媒体受付手段が受け付けた前記会員用記憶媒体から遊技媒体貯数を特定する遊技媒体貯数特定情報を読み取る第３の会員用記憶媒体読取手段と、前記計数部により計数された遊技媒体数に対応して前記第３の会員用記憶媒体受付手段が受け付けた会員用記憶媒体の遊技媒体貯数特定情報によって特定される遊技媒体貯数を更新する第３の会員用記憶媒体更新手段とを有する第２の会員記憶媒体処理部と、
前記計数部により計数された遊技媒体数を、遊技媒体貯数を特定可能な遊技媒体貯数特定情報として、記録媒体に記録する記録媒体記録手段と、前記記録媒体記録手段で記録された前記記録媒体を発券する記録媒体発券手段とを有する第１の記録媒体処理部と
を具備し、
前記景品機が、
会員用記憶媒体を受け付ける第４の会員用記憶媒体受付手段と、前記第４の会員記憶媒体受付手段が受け付けた前記会員用記憶媒体から遊技媒体貯数を特定する遊技媒体貯数特定情報を読み取る第４の会員用記憶媒体読取手段と、前記第４の会員用記憶媒体読取手段により読み取られた遊技媒体貯数特定情報によって特定される遊技媒体貯数に基づいて景品を払い出すか、または払い出す景品の種別と数量を表示する景品処理手段と、前記景品処理手段で払い出された景品または払い出す景品の種別と数量に対応して前記会員用記憶媒体の遊技媒体貯数特定情報によって特定される遊技媒体貯数を更新する第４の会員用記憶媒体更新手段とを有する第３の会員記憶媒体処理部と、
遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または払い出す景品の種別と数量を表示する記録媒体景品処理手段とを有する第２の記録媒体処理部と
を具備し、
前記再プレー受付機が、
会員用記憶媒体を受け付ける第５の会員用記憶媒体受付手段と、前記第５の会員用記憶媒体受付手段が受け付けた前記会員用記憶媒体から遊技媒体貯数を特定する遊技媒体貯数特定情報を読み取る第５の会員用記憶媒体読取手段と、前記第５の会員用記憶媒体読取手段によって読み取られた遊技媒体貯数特定情報により特定される遊技媒体貯数のうち所定の遊技媒体貯数を再プレー用の遊技媒体貯数に変更するための出力を行う再プレー出力手段とを有する第４の会員記憶媒体処理部と
を具備し、
前記管理装置が、
会員用記憶媒体が利用されたときの処理管理をすべく、
前記記憶媒体処理装置で投入された金額に対応して前記会員用記憶媒体の有価価値特定情報によって特定される有価価値、前記精算機で払い戻された貨幣に対応して前記会員用記憶媒体の有価価値特定情報によって特定される有価価値を管理する会員有価価値情報管理手段と、前記発券機で投入または払い戻された貨幣の金額を管理する会員貨幣情報管理手段を有する会員記憶媒体情報管理部と、
非会員用カード形状記憶媒体が利用されたときの処理管理をすべく、
前記記憶媒体処理装置で投入された金額に対応して前記非会員用カード形状記憶媒体の有価価値特定情報によって特定される有価価値および前記記憶媒体処理装置の回収貯留共通手段または搬送手段によって貯留部から取り出されて発行されたカード形状記憶媒体の有価価値特定情報によって特定される有価価値を管理する非会員カード有価価値情報管理手段を有する非会員カード情報管理部と
を具備することを特徴とする記憶媒体処理システム。
【発明の詳細な説明】
【技術分野】
【０００１】
本発明は、例えば東日本旅客鉄道株式会社（以下「ＪＲ」とする）で実施しているリチャージ可能なＳＵＩＣＡイオカード（登録商標）処理機能を搭載した切符券売機、プリペイドカード発行型公衆電話、プリペイドカード発行式食券売機（例えばレストランや社員食堂用）、パチンコ台、スロットマシーン、ゲーム機などの遊技機に使用されるパチンコ玉やメダルなどの遊技媒体を貸し出す際などに利用される記憶媒体の処理を行う記憶媒体処理装置、記憶媒体処理方法および記憶媒体処理システムに関する。
【背景技術】
【０００２】
従来の例えばＪＲで実施しているリチャージ可能なＳＵＩＣＡイオカード処理機能を搭載した切符券売機においては、ＳＵＩＣＡイオカードの度数が０となった際には、ＳＵＩＣＡイオカードが捨てられてしまうことが懸念されるため、最初にデポジット５００円のカード代を強制的に支払う必要がある。そして、ＳＵＩＣＡイオカードが不要となった場合に、ＳＵＩＣＡイオカードと交換で５００円を返却するシステムになっている。また、プリペイドカード発行型公衆電話、プリペイドカード発行式食券売機（例えばレストランや社員食堂用）、私鉄や地下鉄のパスネットカードにおいては、残度数が０となったプリペイドカードは、回収機構がないためそのまま捨てられてしまうか、券売機の前に放置されるということがしばしば発生する。
【０００３】
また、パチンコ分野においては、従来のパチンコホールやスロットマシンホールなどでは、遊技客は、券売機に行ってプリペイドカードを購入することなくいきなり遊技台に行って遊技したいという要望がある。また、何度も追加入金する必要のない１万円などの高額紙幣を用いて大当りとなるまで遊技し、出玉を計数した後、精算機にプリペイドカードを挿入し残金を返却してもらいたいという要望もある。
【０００４】
この要望に対して、会員登録して会員カードを有する遊技者は、会員カードを台間機に挿入して、度数残高を有すれば即座に遊技することができ、また、度数残高がないときでも追加入金をすることで遊技することができる。ところが、非会員の遊技者は、台間機内部に白カード（度数残高がゼロのカード）がなければ、券売機まで行ってプリペイドカードを購入して遊技するか、または、度数残高を返却しないことを前提に、台間機に必ず使い切るようにするため現金１０００円等の少額の現金を投入し仮想のカードを発行したことにして遊技し、その現金分のパチンコ玉を使い切ると、再度、台間機に現金１０００円を投入し遊技を続けるということを繰り返し行わなければならなかった。また、遊技場の経営の側からも、非会員の遊技者が、券売機でプリペイドカードを購入すること、または、台間機に現金を繰り返し投入することによって、遊技が一時停止するので、稼働率の向上を図ることが難しかった。
【０００５】
また、台間機内部に白カードがないことが多いのは、白カードは、カードの厚さが薄く、多湿の雰囲気の状態では他の物体に張り付きやすく、また、固定、回転、移動、整頓などの処理が困難なので、台間機内部には多くのカードをストックすることができないためである（多くて２枚程度をカード挿入口からのカード搬送路上に放置し、順次先入れ後出しによる放置再発行を行っている。）。そのため、遊技者が券売機まで行ってプリペイドカードを購入するか、その都度、店員が台間機に白カードを補充するしかなかった。
【０００６】
そこで、台間機内部に多数ストック可能で、回収および排出が容易なカード処理装置が提案されている（例えば、特許文献１。）。
【特許文献１】特開平１０−２５４９９９号公報
【発明の開示】
【発明が解決しようとする課題】
【０００７】
ＪＲで実施しているリチャージ可能なＳＵＩＣＡイオカード処理機能を搭載した切符券売機などでは、強制的にカード代をデポジットとして最初に支払うなどの不便さがあった。また、プリペイドカード発行型公衆電話、プリペイドカード発行式食券売機（例えばレストランや社員食堂用）などにおいては、残度数がなくなったカードが捨てられたり、券売機の前に放置されてしまうという問題があった。そして、このような券売装置は、すでに設置済みであり、新たに貯留再発行可能な機構を搭載しようとすると、よほどコンパクトな機構にしないと追加搭載できないという問題があった。また、コンパクトにした貯留再発行機構を追加搭載すると再発行可能なカードの貯留部の容積を大きくできないという問題があった。
【０００８】
また、パチンコ分野においては、パチンコホールなどに用いられている台間機の幅は４ｃｍ程度であるため、確実に貯留して再発行するための機構が大型であるため搭載することができなかった。また、搭載可能な貯留再発行を行うことができる機構を用いたとしても再発行のためのカードを貯留することができる容量に限りがあった。この場合、残度数がなくなったカードを遊技者に返却するか、残度数がなくなったカードを一時収納部に貯留し、そのカードを従業員が一時営業を止めて頻繁に回収することが行われるので好ましくない。
【０００９】
カードを遊技者に返却する場合、遊技者が高価なカードを紛失するなどの問題が考えられる。また、残度数がなくなったカードを一時収納部に貯留する場合、一時営業を止めた際の売上の減少や従業員の回収コストがかかるといった問題が想定される。
【００１０】
また、台間機の幅を変更し、例えば４ｃｍから増減すると、従来の遊技場の島設備をつくり直さなければならないなどの問題があった。
【００１１】
さらに、従来の台間機では、使用されるカードの厚さは薄く、多湿の雰囲気の状態では他の物体に張り付きやすく、また、固定、回転、移動、整頓などの処理が困難なので、台間機内部に貯留されたカードを用いて、再発行することができないという問題があった。
【００１２】
そこで本発明では、このような課題を解決するためになされたもので、カードを貯留するコンパクトな貯留部を有する小型の貯留再発行機構で、再発行用のカードの貯留、カードの再発行および再発行用のカードの貯留が限度を越えた分のカードの回収をすることができる記憶媒体処理装置、記憶媒体処理方法および記憶媒体処理システムを提供することを目的とする。
【００１３】
また、混乱なく適切に全ての遊技者にもれなく、遊技台にすわっていきなり高額紙幣を入金して遊技可能とするため、記憶媒体を一時貯留、再発行および回収することが確実にできる記憶媒体処理装置、記憶媒体処理方法および記憶媒体処理システムを提供することを目的とする。
【課題を解決するための手段】
【００１４】
上記目的を達成するために、請求項１記載の発明は、情報が記憶されたカード形状記憶媒体を縦向きに受け入れて、前記カード形状記憶媒体からの情報の読み取り、または／および前記カード形状記憶媒体への情報の書き込みを行い、前記カード形状記憶媒体を縦向きの状態で、前記カード形状記憶媒体の受入方向、前記カード形状記憶媒体を再発行可能に積層して貯留する方向であって前記カード形状記憶媒体の受入方向に対して略水平方向、および前記カード形状記憶媒体を回収する方向であって前記受入方向に対して下方向のいずれかの方向へ搬送することが可能であり、（１）前記カード形状記憶媒体を受入方向に搬送する搬送路の所定の領域に配設され、前記所定の領域に対応して前記受入方向に対して下方向に設けられた開口部、または前記所定の領域に対応して前記受入方向に対して略水平方向に設けられた貯留部のいずれかに選択的に方向を切り替えて前記カード形状記憶媒体を導く回収貯留共通手段を具備するか、または（２）前記カード形状記憶媒体を受入方向に搬送しつつ、前記受入方向に対して略水平方向に形成された前記カード形状記憶媒体を再発行可能に積層して貯留する貯留部に前記カード形状記憶媒体を積層して貯留する搬送手段を備え、前記搬送手段によって前記貯留部に積層して貯留された前記カード形状記憶媒体が、所定貯留数以上となったときに、貯留方向に対して前記貯留部の奥側より回収するかの、（１）および（２）のいずれかの構成を有するカード処理装置を備え、有価価値を特定可能な有価価値特定情報が記憶された記憶媒体を用いて、その特定された有価価値の範囲で遊技に供する遊技媒体の貸し出しまたは貸し出しのための指示が可能な記憶媒体処理装置であって、貨幣を受け入れて該貨幣を識別する貨幣識別部と、会員用記憶媒体を受け付ける会員用記憶媒体受付手段と、前記会員用記憶媒体受付手段が受け付けた前記会員用記憶媒体から有価価値特定情報を読み取る会員用記憶媒体読取手段と、前記貨幣識別部により識別された貨幣の金額に対応して前記会員用記憶媒体受付手段が受け付けた会員用記憶媒体の有価価値特定情報によって特定される有価価値を更新する会員用記憶媒体更新手段とを有する会員記憶媒体処理部と、非会員用カード形状記憶媒体を受け入れる非会員カード受入手段と、前記非会員カード受入手段が受け入れた前記非会員用カード形状記憶媒体から有価価値特定情報を読み取る非会員カード読取手段と、前記貨幣識別部により識別された貨幣の金額に対応して前記非会員カード受入手段が受け入れた前記非会員用カード形状記憶媒体の有価価値特定情報によって特定される有価価値を更新する非会員カード更新手段と、前記貯留部に貯留された非会員用カード形状記憶媒体を前記回収貯留共通手段または前記搬送手段によって取り出し、該非会員用カード形状記憶媒体を発行する非会員カード発行手段と、前記非会員カード読取手段の情報に基づいて少なくとも有価価値を有しないことを含む所定の条件が成立したときに、前記非会員用カード形状記憶媒体を前記回収貯留共通手段または前記搬送手段によって前記貯留部に貯留する貯留手段とを有する非会員カード処理部とを具備することを特徴とする記憶媒体処理装置である。
【００１５】
この記憶媒体処理装置によれば、会員用記憶媒体または非会員用カード形状記憶媒体を有する遊技者、または、会員用記憶媒体または非会員用カード形状記憶媒体を有しない遊技者のすべてに対して、券売機にてプリペイドカードを購入することなくいきなり高額紙幣を入金して遊技することができる。これによって、遊技者による遊技の停止時間を削減でき、遊技機の稼働率の向上を図ることができ、券売機が不要となるので遊技場の経営コストの削減を図ることができる。
【００１６】
また、貯留部に貯留された有価価値を有しない非会員用カード形状記憶媒体を、カード形状記憶媒体を回収貯留共通手段または搬送手段によって取り出し、再度、有価価値特定情報を付与して発行することができるので、遊技者による遊技の停止時間を削減でき、遊技機の稼働率の向上を図ることができる。また、この記憶媒体処理装置に、カード形状記憶媒体を多数貯留することができるので、店員がカード形状記憶媒体の補充または回収を頻繁に行う手間を省くことができる。
【００１７】
さらに、有価価値を有しない非会員用カード形状記憶媒体は、返却されずに回収貯留共通手段または搬送手段によって貯留されるので、非会員用カード形状記憶媒体を紛失するなどの問題を解消することができる。また、貯留部におけるカード形状記憶媒体の貯留容量に達した場合には、カード形状記憶媒体を回収することができるので、多くの非会員用カード形状記憶媒体を記憶媒体処理装置内に貯留することができる。
【００１８】
また、所定の条件とは、度数が０となった場合や、度数が０で返却ボタンが押された場合などであって、非会員用カード形状記憶媒体が有価価値を有しない場合などである。この場合に、非会員用カード形状記憶媒体は、回収貯留共通手段または搬送手段によって貯留部に貯留されるが、返却ボタンが押されてから直ちに貯留部に貯留される以外にも、例えば、有価価値を有しない非会員用カード形状記憶媒体をそのまま記憶媒体処理部に待機させ、次の会員用記憶媒体または非会員用カード形状記憶媒体が受け付けられた場合に貯留することなどもできる。
【００１９】
請求項２記載の発明は、情報が記憶されたカード形状記憶媒体を縦向きに受け入れて、前記カード形状記憶媒体からの情報の読み取り、または／および前記カード形状記憶媒体への情報の書き込みを行い、前記カード形状記憶媒体を縦向きの状態で、前記カード形状記憶媒体の受入方向、前記カード形状記憶媒体を再発行可能に積層して貯留する方向であって前記カード形状記憶媒体の受入方向に対して略水平方向、および前記カード形状記憶媒体を回収する方向であって前記受入方向に対して下方向のいずれかの方向へ搬送することが可能であり、（１）前記カード形状記憶媒体を受入方向に搬送する搬送路の所定の領域に配設され、前記所定の領域に対応して前記受入方向に対して下方向に設けられた開口部、または前記所定の領域に対応して前記受入方向に対して略水平方向に設けられた貯留部のいずれかに選択的に方向を切り替えて前記カード形状記憶媒体を導く回収貯留共通手段を具備するか、または（２）前記カード形状記憶媒体を受入方向に搬送しつつ、前記受入方向に対して略水平方向に形成された前記カード形状記憶媒体を再発行可能に積層して貯留する貯留部に前記カード形状記憶媒体を積層して貯留する搬送手段を備え、前記搬送手段によって前記貯留部に積層して貯留された前記カード形状記憶媒体が、所定貯留数以上となったときに、貯留方向に対して前記貯留部の奥側より回収する、（１）および（２）のいずれかの構成を有するカード処理装置を備える記憶媒体処理装置の記憶媒体処理方法であって、有価価値を特定可能な有価価値特定情報が記憶された会員用記憶媒体、有価価値を特定可能な有価価値特定情報が記憶された非会員用カード形状記憶媒体または貨幣のいずれかを受け付ける受付ステップと、前記受付ステップで、前記会員用記憶媒体、前記非会員用カード形状記憶媒体または前記貨幣のいずれかが受け入れられたことに対応して、会員用記憶媒体対応処理ステップ、非会員用記憶媒体対応処理ステップまたは貨幣対応処理ステップのいずれかが実行される実行ステップを具備し、前記会員用記憶媒体対応処理ステップが、前記受付ステップで受け付けられた前記会員用記憶媒体からの有価価値特定情報の第１の読み取りを行う読取ステップと、前記受付ステップ後に、貨幣が受け付けられた場合には、該貨幣を識別する第１の貨幣識別ステップと、前記第１の貨幣識別ステップで識別された貨幣の金額に対応して、前記受付ステップで受け付けられた前記会員用記憶媒体の有価価値特定情報によって特定される有価価値の更新を行う第１の媒体取扱ステップと、前記第１の読取ステップまたは前記第１の媒体取扱ステップで、読み取られたか、更新された有価価値の範囲で遊技媒体の貸し出しまたは貸し出しのための指示を行う第１の遊技媒体貸出ステップとを有し、前記非会員用記憶媒体対応処理ステップが、前記受付ステップで受け入れられた前記非会員用カード形状記憶媒体からの有価価値特定情報の読み取りを行う第２の読取ステップと、前記受付ステップ後に、貨幣が受け入れられた場合には、該貨幣を識別する第２の貨幣識別ステップと、前記第２の貨幣識別ステップで識別された貨幣の金額に対応して、前記受入ステップで受け入れられた前記非会員用カード形状記憶媒体の有価価値特定情報によって特定される有価価値の更新を行う第２の媒体取扱ステップと、前記第２の読取ステップまたは前記第２の媒体取扱ステップで、読み取られたか、更新された有価価値の範囲で遊技媒体の貸し出しまたは貸し出しの指示を行う第２の遊技媒体貸出ステップと、前記第２の遊技媒体貸出ステップによって少なくとも有価価値を有しないことを含む所定の条件が成立したときに、前記非会員用カード形状記憶媒体を前記回収貯留共通手段または前記搬送手段によって前記貯留部に貯留する貯留ステップとを有し、前記貨幣対応処理ステップが、前記受入ステップで受け入れられた貨幣を識別する第３の貨幣識別ステップと、前記貯留部に貯留された非会員用カード形状記憶媒体を前記回収貯留共通手段または前記搬送手段によって取り出し、該非会員用カード形状記憶媒体の発行を行う第３の媒体取扱ステップと、前記第３の媒体取扱ステップで、前記発行されたカード形状記憶媒体の有価価値特定情報に基づく有価価値の範囲で遊技媒体の貸し出しまたは貸し出しの指示を行う第３の遊技媒体貸出ステップとを有することを特徴とする記憶媒体処理方法である。
【００２０】
この記憶媒体処理方法によれば、会員用記憶媒体または非会員用カード形状記憶媒体を有する遊技者、または、会員用記憶媒体または非会員用カード形状記憶媒体を有しない遊技者のすべてに対して、券売機にてプリペイドカードを購入することなくいきなり高額紙幣を入金して遊技することができる。これによって、遊技者による遊技の停止時間を削減でき、遊技機の稼働率の向上を図ることができ、券売機が不要となるので遊技場の経営コストの削減を図ることができる。
【００２１】
また、貯留ステップで貯留された有価価値を有しない非会員用カード形状記憶媒体を回収貯留共通手段または搬送手段によって取り出し、再度、有価価値特定情報を付与して発行することができるので、遊技者による遊技の停止時間を削減でき、遊技機の稼働率の向上を図ることができる。また、この記憶媒体処理方法では、非会員用カード形状記憶媒体を多数貯留することができるので、店員が非会員用カード形状記憶媒体の補充または回収を頻繁に行う手間を省くことができる。
【００２２】
さらに、有価価値を有しない非会員用カード形状記憶媒体は、返却されずに回収貯留共通手段または搬送手段によって貯留ステップによって貯留されるので、非会員用カード形状記憶媒体を紛失するなどの問題を解消することができる。また、会員用カード形状記憶媒体または非会員用カード形状記憶媒体の有価価値特定情報などの情報を個々に管理している従来の管理ソフトからの変更の必要がない。
【００２３】
また、所定の条件とは、度数が０となった場合や、度数が０で返却ボタンが押された場合などであって、非会員用カード形状記憶媒体が有価価値を有しない場合などである。この場合に、非会員用カード形状記憶媒体は、回収貯留共通手段または搬送手段によって貯留ステップで貯留されるが、返却ボタンが押されてから直ちに貯留ステップで貯留される以外にも、例えば、有価価値を有しない非会員用カード形状記憶媒体をそのまま記憶媒体処理部に待機させ、次の会員用記憶媒体または非会員用カード形状記憶媒体が受け付けられた場合に貯留することなどもできる。
【００２４】
請求項３記載の発明は、請求項１記載の記憶媒体処理装置、精算機および管理装置を具備し、前記記憶媒体処理装置と、前記精算機と、前記管理装置とがそれぞれ通信可能に接続された記憶媒体処理システムであって、前記精算機が、会員用記憶媒体を受け付ける会員カード受付手段と、前記会員カード受付手段が受け入れた前記会員用記憶媒体から有価価値特定情報を読み取る会員用記憶媒体読取手段と、前記会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する会員用記憶媒体更新手段とを有する会員記憶媒体精算処理部と、非会員用カード形状記憶媒体を受け付ける非会員カード受付手段と、前記非会員カード受付手段が受け入れた前記非会員用カード形状記憶媒体から有価価値特定情報を読み取る非会員カード読取手段と、前記非会員カード読取手段により読み取られた有価価値特定情報によって特定される有価情報に基づいて貨幣を払い戻す非会員カード対応貨幣払戻手段とを有する非会員カード精算処理部とを具備し、前記管理装置が、会員用記憶媒体が利用されたときの処理管理をすべく、前記精算機で払い戻された貨幣に対応して前記会員用記憶媒体の有価価値特定情報によって特定される有価価値を管理する会員有価価値管理手段とを有する会員情報管理部と、非会員用カード形状記憶媒体が利用されたときの処理管理をすべく、前記精算機で払い戻された貨幣に対応して前記非会員用カード形状記憶媒体の有価価値特定情報によって特定される有価価値および前記記憶媒体処理装置の回収貯留共通手段または搬送手段によって貯留部から取り出されて発行されたカード形状記憶媒体の有価価値特定情報によって特定される有価価値を管理する非会員カード有価価値管理手段を有する非会員カード情報管理部とを具備することを特徴とする記憶媒体処理システムである。
【００２５】
この記憶媒体処理システムによれば、記憶媒体処理装置と、精算機と、管理装置とがそれぞれ通信を行うよう接続され、記憶媒体処理装置および精算機の情報を管理装置で管理することができる。また、管理装置における管理情報は、会員登録を受けた遊技者に会員用記憶媒体を、会員登録を受けていない遊技者に非会員用カード形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【００２６】
請求項４記載の発明は、請求項１記載の記憶媒体処理装置、発券機、精算機、計数機、景品機および管理装置を具備し、前記記憶媒体処理装置と、前記発券機と、前記精算機と、前記計数機と、前記景品機と、前記管理装置とがそれぞれ通信可能に接続された記憶媒体処理システムであって、前記発券機が、貨幣を受け入れて該貨幣を識別する貨幣識別部と、会員用記憶媒体を受け付ける第１の会員用記憶媒体受付手段と、前記第１の会員用記憶媒体受付手段が受け付けた前記会員用記憶媒体から有価価値特定情報を読み取る第１の会員用記憶媒体読取手段と、前記貨幣識別部により識別された貨幣の金額に対応して前記第１の会員用記憶媒体受付手段が受け付けた会員用記憶媒体の有価価値特定情報によって特定される有価価値を更新する第１の会員用記憶媒体更新手段とを有する第１の会員記憶媒体処理部と、貯留された非会員用カード形状記憶媒体に対し前記貨幣識別部により識別された貨幣の金額に対応する有価価値を特定する有価価値特定情報を記憶した非会員用カード形状記憶媒体を発行する非会員カード発行手段とを有する非会員カード処理部とを具備し、前記精算機が、会員用記憶媒体を受け付ける第２の会員用記憶媒体受付手段と、前記第２の会員用記憶媒体受付手段が受け付けた前記会員用記憶媒体から有価価値特定情報を読み取る第２の会員用記憶媒体読取手段と、前記第２の会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する第２の会員用記憶媒体更新手段とを有する会員記憶媒体精算処理部と、非会員用カード形状記憶媒体を受け付ける第１の非会員カード受付手段と、前記第１の非会員カード受付手段が受け付けた前記非会員用カード形状記憶媒体から有価価値特定情報を読み取る第１の非会員カード読取手段と、前記第１の非会員カード読取手段により読み取られた有価価値特定情報によって特定される有価情報に基づいて貨幣を払い戻す非会員カード対応貨幣払戻手段とを有する非会員カード精算処理部とを具備し、前記計数機が、遊技媒体を受け入れて該遊技媒体の数を計数する計数部と、会員用記憶媒体を受け付ける第３の会員用記憶媒体受付手段と、前記第３の会員用記憶媒体受付手段が受け付けた前記会員用記憶媒体から遊技媒体貯数を特定する遊技媒体貯数特定情報を読み取る第３の会員用記憶媒体読取手段と、前記計数部により計数された遊技媒体数に対応して前記第３の会員用記憶媒体受付手段が受け付けた会員用記憶媒体の遊技媒体貯数特定情報によって特定される遊技媒体貯数を更新する第３の会員用記憶媒体更新手段とを有する第２の会員記憶媒体処理部と、前記計数部により計数された遊技媒体数を、遊技媒体貯数を特定可能な遊技媒体貯数特定情報として、記録媒体に記録する記録媒体記録手段と、前記記録媒体記録手段で記録された前記記録媒体を発券する記録媒体発券手段とを有する第１の記録媒体処理部とを具備し、前記景品機が、会員用記憶媒体を受け付ける第４の会員用記憶媒体受付手段と、前記第４の会員用記憶媒体受付手段が受け付けた前記会員用記憶媒体から遊技媒体貯数を特定する遊技媒体貯数特定情報を読み取る第４の会員用記憶媒体読取手段と、前記第４の会員用記憶媒体読取手段により読み取られた遊技媒体貯数特定情報によって特定される遊技媒体貯数に基づいて景品を払い出すか、または、払い出す景品の種別と数量を表示する景品処理手段と、前記景品処理手段で払い出された景品または払い出す景品の種別と数量に対応して前記会員用記憶媒体の遊技媒体貯数特定情報によって特定される遊技媒体貯数を更新する第４の会員用記憶媒体更新手段とを有する第３の会員記憶媒体処理部と、遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または払い出す景品の種別と数量を表示する記録媒体景品処理手段とを有する第２の記録媒体処理部とを具備し、前記管理装置が、会員用記憶媒体が利用されたときの処理管理をすべく、前記記憶媒体処理装置で投入された金額に対応して前記会員用記憶媒体の有価価値特定情報によって特定される有価価値、前記精算機で払い戻された貨幣に対応して前記会員用記憶媒体の有価価値特定情報によって特定される有価価値を管理する会員有価価値情報管理手段を有する会員記憶媒体情報管理部と、非会員用カード形状記憶媒体が利用されたときの処理管理をすべく、前記記憶媒体処理装置で投入された金額に対応して前記非会員用カード形状記憶媒体の有価価値特定情報によって特定される有価価値および前記記憶媒体処理装置の回収貯留共通手段または搬送手段によって貯留部から取り出されて発行された非会員用カード形状記憶媒体の有価価値特定情報によって特定される有価価値を管理する非会員カード有価価値情報管理手段を有する非会員カード情報管理部とを具備することを特徴とする記憶媒体処理システムである。
【００２７】
この記憶媒体処理システムによれば、記憶媒体処理装置と、発券機と、精算機と、計数機と、景品機と、管理装置とがそれぞれ通信を行うよう接続され、記憶媒体処理装置、発券機、精算機、計数機および景品機の情報を管理装置で管理することができる。また、管理装置における管理情報は、会員登録を受けた遊技者に会員用記憶媒体を、会員登録を受けていない遊技者に非会員用カード形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【００２８】
請求項５記載の発明は、請求項１記載の記憶媒体処理装置、発券機、精算機、計数機、景品機、再プレー受付機および管理装置を具備し、前記記憶媒体処理装置と、前記発券機と、前記精算機と、前記計数機と、前記景品機と、前記再プレー受付機と、前記管理装置とがそれぞれ通信可能に接続された記憶媒体処理システムであって、前記発券機が、貨幣を受け入れて該貨幣を識別する貨幣識別部と、会員登録を受けた遊技者に発行された会員用記憶媒体を受け付ける第１の会員用記憶媒体受付手段と、前記第１の会員用記憶媒体受付手段が受け付けた前記会員用記憶媒体から有価価値特定情報を読み取る第１の会員用記憶媒体読取手段と、前記貨幣識別部により識別された貨幣の金額に対応して前記第１の会員用記憶媒体受付手段が受け付けた会員用記憶媒体の有価価値特定情報によって特定される有価価値を更新する第１の会員用記憶媒体更新手段とを有する第１の会員記憶媒体処理部と、貯留された非会員用カード形状記憶媒体に対し前記貨幣識別部により識別された貨幣の金額に対応する有価価値を特定する有価価値特定情報を記憶した非会員用カード形状記憶媒体を発行する非会員カード発行手段を有する非会員カード処理部とを具備し、前記精算機が、会員用記憶媒体を受け付ける第２の会員用記憶媒体受付手段と、前記第２の会員用記憶媒体受付手段が受け付けた前記会員用記憶媒体から有価価値特定情報を読み取る第２の会員用記憶媒体読取手段と、前記第２の会員用記憶媒体読取手段により読み取られた有価価値特定情報によって特定される有価情報に基づいて貨幣を払い戻す会員用記憶媒体対応貨幣払戻手段と、前記会員用記憶媒体対応貨幣払戻手段で払い戻された貨幣に対応して前記会員用記憶媒体の有価価値特定情報によって特定される有価価値を更新する第２の会員用記憶媒体更新手段とを有する会員記憶媒体精算処理部と、非会員用カード形状記憶媒体を受け付ける第１の非会員カード受付手段と、前記第１の非会員カード受付手段が受け付けた前記非会員用カード形状記憶媒体から有価価値特定情報を読み取る第１の非会員カード読取手段と、前記第１の非会員カード読取手段により読み取られた有価価値特定情報によって特定される有価情報に基づいて貨幣を払い戻す非会員カード対応貨幣払戻手段とを有する非会員カード精算処理部とを具備し、前記計数機が、遊技媒体を受け入れて該遊技媒体の数を計数する計数部と、会員用記憶媒体を受け付ける第３の会員用記憶媒体受付手段と、前記第３の会員用記憶媒体受付手段が受け付けた前記会員用記憶媒体から遊技媒体貯数を特定する遊技媒体貯数特定情報を読み取る第３の会員用記憶媒体読取手段と、前記計数部により計数された遊技媒体数に対応して前記第３の会員用記憶媒体受付手段が受け付けた会員用記憶媒体の遊技媒体貯数特定情報によって特定される遊技媒体貯数を更新する第３の会員用記憶媒体更新手段とを有する第２の会員記憶媒体処理部と、前記計数部により計数された遊技媒体数を、遊技媒体貯数を特定可能な遊技媒体貯数特定情報として、記録媒体に記録する記録媒体記録手段と、前記記録媒体記録手段で記録された前記記録媒体を発券する記録媒体発券手段とを有する第１の記録媒体処理部とを具備し、前記景品機が、会員用記憶媒体を受け付ける第４の会員用記憶媒体受付手段と、前記第４の会員記憶媒体受付手段が受け付けた前記会員用記憶媒体から遊技媒体貯数を特定する遊技媒体貯数特定情報を読み取る第４の会員用記憶媒体読取手段と、前記第４の会員用記憶媒体読取手段により読み取られた遊技媒体貯数特定情報によって特定される遊技媒体貯数に基づいて景品を払い出すか、または払い出す景品の種別と数量を表示する景品処理手段と、前記景品処理手段で払い出された景品または払い出す景品の種別と数量に対応して前記会員用記憶媒体の遊技媒体貯数特定情報によって特定される遊技媒体貯数を更新する第４の会員用記憶媒体更新手段とを有する第３の会員記憶媒体処理部と、遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または払い出す景品の種別と数量を表示する記録媒体景品処理手段とを有する第２の記録媒体処理部とを具備し、前記再プレー受付機が、会員用記憶媒体を受け付ける第５の会員用記憶媒体受付手段と、前記第５の会員用記憶媒体受付手段が受け付けた前記会員用記憶媒体から遊技媒体貯数を特定する遊技媒体貯数特定情報を読み取る第５の会員用記憶媒体読取手段と、前記第５の会員用記憶媒体読取手段によって読み取られた遊技媒体貯数特定情報により特定される遊技媒体貯数のうち所定の遊技媒体貯数を再プレー用の遊技媒体貯数に変更するための出力を行う再プレー出力手段とを有する第４の会員記憶媒体処理部とを具備し、前記管理装置が、会員用記憶媒体が利用されたときの処理管理をすべく、前記記憶媒体処理装置で投入された金額に対応して前記会員用記憶媒体の有価価値特定情報によって特定される有価価値、前記精算機で払い戻された貨幣に対応して前記会員用記憶媒体の有価価値特定情報によって特定される有価価値を管理する会員有価価値情報管理手段と、前記発券機で投入または払い戻された貨幣の金額を管理する会員貨幣情報管理手段を有する会員記憶媒体情報管理部と、非会員用カード形状記憶媒体が利用されたときの処理管理をすべく、前記記憶媒体処理装置で投入された金額に対応して前記非会員用カード形状記憶媒体の有価価値特定情報によって特定される有価価値および前記記憶媒体処理装置の回収貯留共通手段または搬送手段によって貯留部から取り出されて発行されたカード形状記憶媒体の有価価値特定情報によって特定される有価価値を管理する非会員カード有価価値情報管理手段を有する非会員カード情報管理部とを具備することを特徴とする記憶媒体処理システムである。
【００２９】
この記憶媒体処理システムによれば、記憶媒体処理装置と、発券機と、精算機と、計数機と、景品機と、再プレー受付機と、管理装置とがそれぞれ通信を行うよう接続され、記憶媒体処理装置、発券機、精算機、計数機、景品機および再プレー受付機の情報を管理装置で管理することができる。また、管理装置における管理情報は、会員登録を受けた遊技者に会員用記憶媒体を、会員登録を受けていない遊技者に非会員用カード形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【発明の効果】
【００３０】
本発明の記憶媒体処理装置、記憶媒体処理方法および記憶媒体処理システムによれば、カード形状記憶媒体を縦向きに受け入れて、該カード形状記憶媒体からの情報の読み取り、または／および該カード形状記憶媒体への情報の書き込みを行い、該カード形状記憶媒体を縦向きの状態で所定の位置に搬送する機能を有し、カード形状記憶媒体を、受入方向、受入方向に対して垂直略水平方向、および受入方向に対して下方向のいずれかの方向へ選択的に搬送して、カード形状記憶媒体の受入、排出、貯留、再発行および回収することができる。
【発明を実施するための最良の形態】
【００３１】
以下、本発明に係る記憶媒体処理システム１の一実施の形態を図面を参照して説明する。
【００３２】
図１に、本発明の一実施の形態の記憶媒体処理システム１の概要図を示す。また、図２の（ａ）に会員の遊技者が使用するカード形状記憶媒体である会員用ＩＣカード３０の斜視図、（ｂ）に非会員の遊技者が使用するカード形状記憶媒体である非会員用ＩＣカード３１の斜視図を示す。
【００３３】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【００３４】
この一実施の形態の記憶媒体処理システム１では、複数のパチンコ機２および複数のパチンコ機２のそれぞれに接続された台間機３、４、複数のスロットマシン機５およびスロットマシン機５間に接続された台間機６が島コンピュータ７を介してネットワーク８に接続されている。また、ネットワーク８には、計数機９、精算機１０、景品管理機（ＰＯＳ）１１、再プレー受付機１２、発券機２０、データ表示機２１、データ公開機２２なども接続されている。
【００３５】
これらの機器からの情報は、ネットワーク８を介して管理装置１３に出力され、さらに、プロトコルコンバータ１４、モデム１５を介してカードセンタ１６に送信される。また、管理装置１３は、例えば、パーソナルコンピュータ１７などとも接続されている。また、管理装置１３からの情報は、ネットワーク８を介して各機器に出力される。
【００３６】
以下に、本発明の一実施の形態の記憶媒体処理システム１を構成する記憶媒体や各機器のそれぞれについて説明する。
【００３７】
（会員用ＩＣカード３０および非会員用ＩＣカード３１）
次に、図２に示された（ａ）会員用ＩＣカード３０および（ｂ）非会員用ＩＣカード３１について説明する。
【００３８】
会員用ＩＣカード３０および非会員用ＩＣカード３１は、従来から遊技システムで使用されていたＩＣチップを有する記憶媒体であり、カード形状を有している。非会員用ＩＣカード３１は、会員用ＩＣカード３０よりもカードの縦および横の長さが短く、さらに、厚さが薄く構成されている。
【００３９】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。
【００４０】
会員用ＩＣカード３０または非会員用ＩＣカード３１を用いた管理システムにおいては、それぞれについて、次に示した管理システムの内のいずれか１つを採用することができる。
【００４１】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【００４２】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカード３０を用いた場合の会員として処理される情報である。
【００４３】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【００４４】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【００４５】
ここで、非会員用ＩＣカード３１を用いた場合の情報とは、度数、貸玉、入金、追加入金、貸玉数などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【００４６】
（発券機２０）
図３は、発券機２０の外観を示す側面図、図４は発券機２０の構成部を示す図、図５は発券機２０における動作の流れを示す図である。
【００４７】
まず、図３を参照して、発券機２０の構成について説明する。
【００４８】
図３には、発券機２０を側面から見た図が示されており、カード挿入口２０ａ、紙幣挿入口２０ｂ、購入度数ボタン２０ｃで主に構成されている。
【００４９】
発券機２０は、紙幣挿入口２０ｂから挿入された紙幣額に対して購入度数ボタン２０ｃで選択された金額に対応する度数を、会員用ＩＣカード３０に更新したり、会員用ＩＣカード３０が用いられない場合には、その金額に対応する度数が記録された非会員用ＩＣカード３１の発行を行うものである。
【００５０】
ここで、度数とは、入金された金額を度数化したもので、例えば、１万円を度数化すると１００度数となる。また、発券機２０では、会員用ＩＣカード３０を利用する場合に、来店ポイントが付与される。付与された来店ポイントは、管理装置１３において、会員用ＩＣカード３０のＩＤに基づいて管理されているポイント数に加算される。
【００５１】
図４に示すように、発券機２０は、制御部１００、カード処理部１０１、非会員用カード発行部１０２、選択ボタン検知部１０３、貨幣識別部１０４から構成されている。
【００５２】
制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、カード処理部１０１、非会員用カード発行部１０２、選択ボタン検知部１０３、貨幣識別部１０４の各機部間の信号の出入力、および、ネットワーク８を介して管理装置１３との間の信号の出入力を制御している。
【００５３】
カード処理部１０１は、会員カード処理部として機能し、カード挿入口２０ａから挿入された会員用ＩＣカード３０に記憶された、例えば、ＩＤやそのＩＤで管理されている有価情報などの読み取り、その読み取った情報の制御部１００への出力、制御部１００からの更新された有価情報などの会員用ＩＣカード３０への書き込みなどを行うもので、例えば、リーダライタなどで構成される。
【００５４】
非会員用カード発行部１０２は、非会員カード処理部として機能し、紙幣挿入口２０ｂから挿入された紙幣額に対して購入度数ボタン２０ｃで選択された金額に対応する度数を非会員用ＩＣカード３１に記録し、さらにＩＤを付与して発行を行うもので、例えば、リーダライタなどで構成される。
【００５５】
選択ボタン検知部１０３は、購入度数ボタン２０ｃ、取消／釣りボタン２０ｄが押されたことを検知し、その押された信号に基づいて、制御部１００に信号を出力するものである。
【００５６】
貨幣識別部１０４は、紙幣挿入口２０ｂから挿入される４種類の紙幣を識別し、識別した紙幣の情報を制御部１００に出力するものである。また、制御部１００からの情報に基づいて、紙幣返却口２０ｆから紙幣を返却する。
【００５７】
そして、制御部１００によって制御される、カード処理部１０１、非会員用カード発行部１０２、選択ボタン検知部１０３、貨幣識別部１０４の各機器部は、次のように動作する（図５）。
【００５８】
以下に、図５を参照してその動作を説明する。
【００５９】
貨幣識別部１０４は、紙幣が入金された否かを判定する（ステップＳ１１０）。ステップＳ１１０の判定でＮｏの場合には、繰り返しステップＳ１１０の判定を行う。ステップＳ１１０の判定でＹｅｓの場合には、貨幣識別部１０４は、入金された紙幣の識別を行い、その識別情報を制御部１００に出力する（ステップＳ１１１）。また、貨幣識別部１０４で識別された紙幣は、発券機２０内の紙幣回収部（図示しない）に回収される（ステップＳ１１１）。
【００６０】
購入度数ボタン２０ｃで希望のボタンが押されたが否かを選択ボタン検知部１０３が判定する（ステップＳ１１２）。ステップＳ１１２の判定で、ＯＦＦのままの場合には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【００６１】
ステップＳ１１２の判定で、希望の金額の購入度数ボタン２０ｃが押されたことが選択ボタン検知部１０３で判定された場合には、例えば、購入度数ボタン２０ｃが連続して押されていても同じ動作を繰り返さないようにするために、購入度数ボタン２０ｃのＯＮ履歴がクリアされる（ステップＳ１１３）。そして、選択された購入度数ボタン２０ｃの情報は、制御部１００に出力される。
【００６２】
次に、制御部１００は、貨幣識別部１０４で識別された紙幣の金額と選択ボタン検知部１０３から出力された選択された購入度数ボタン２０ｃの金額の情報に基づいて、比較判定を行う（ステップＳ１１４）。
【００６３】
ステップＳ１１４の判定で、識別された紙幣の金額が購入度数ボタン２０ｃの金額より小さい場合（Ｎｏの場合）には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【００６４】
一方、ステップＳ１１４の判定で、識別された紙幣の金額が購入度数ボタン２０ｃの金額以上の場合（Ｙｅｓの場合）には、カード処理部１０１は、会員用ＩＣカード３０が挿入されているか否かを判定する（ステップＳ１１５）。
【００６５】
ステップＳ１１５の判定で、Ｙｅｓの場合、カード処理部１０１は、会員用ＩＣカード３０に記憶されたＩＤを読み取り、読み取ったＩＤを制御部１００に出力する（ステップＳ１１６）。さらに制御部１００は、そのＩＤ、貨幣識別部１０４で識別された紙幣の金額、選択された購入度数ボタン２０ｃの金額をネットワーク８を介して管理装置１３に送信する（ステップＳ１１６）。また、会員用ＩＣカード３０を利用の場合に付与される来店ポイントが付与され、付与された来店ポイントは、管理装置１３において、会員用ＩＣカード３０のＩＤに基づいて管理されているポイント数に加算される（ステップＳ１１６）。管理装置１３は、読み取られたＩＤの度数残高に、購入した度数を追加し、その更新された情報をネットワーク８を介して制御部１００に出力する（ステップＳ１１６）。
【００６６】
そして、制御部１００は、その情報をカード処理部１０１に出力し、カード処理部１０１は、その情報を表示部２０ｅに出力し、表示部２０ｅは、例えば、度数残高などを表示する（ステップＳ１１７）。会員用ＩＣカード３０は、カード処理部１０１によってカード挿入口２０ａから返却（カード挿入口２０ａへ返送）される。（ステップＳ１１８）。
【００６７】
一方、ステップＳ１１５の判定で、Ｎｏの場合、非会員用カード発行部１０２は、貯留された非会員用ＩＣカード３１にＩＤを付与し、その情報を制御部１００に出力する（ステップＳ１１９）。
【００６８】
制御部１００は、そのＩＤ情報、貨幣識別部１０４で識別された紙幣の金額、選択された購入度数ボタン２０ｃの金額をネットワーク８を介して管理装置１３に送信する（ステップＳ１２０）。
【００６９】
また、非会員用カード発行部１０２は、付与されたＩＤを非会員用ＩＣカード３１に記録し、その非会員用ＩＣカード３１を、例えば、カード挿入口２０ａから発行する（ステップＳ１２１）。
【００７０】
ここで、制御部１００において、貨幣識別部１０４で識別された紙幣の金額から選択された購入度数ボタン２０ｃの金額が減じ、残金額に対応する情報を表示部２０ｅに出力する（ステップＳ１２２）。そして、制御部１００から出力された残金額に対応する情報に基づいて、表示部２０ｅでは、その残金額を表示する（ステップＳ１２２）。
【００７１】
ここで、ステップＳ１２３において、選択ボタン検知部１０３のよって取消／釣りボタン２０ｄが押されたことが判定（Ｙｅｓの場合）されると、その情報を制御部１００に出力する。制御部１００は、貨幣識別部１０４に残金を返却するための情報を出力する。そして、貨幣識別部１０４は、その情報に基づいて、残金を紙幣返却口２０ｆから返却する（ステップＳ１２４）。一方、ステップＳ１２３の判定がＮｏの場合、制御部１００は待機状態となる。
【００７２】
（再プレー受付機１２）
図６は、再プレー受付機１２の外観を示す側面図、図７は再プレー受付機１２の構成部を示す図、図８は再プレー受付機１２における動作の流れを示す図である。
【００７３】
まず、図６を参照して、再プレー受付機１２の構成について説明する。
【００７４】
図６には、再プレー受付機１２を側面から見た図が示されており、カード挿入口１２ａ、暗証番号入力用テンキーボード１２ｂ、端玉／端メダル返却ボタン１２ｃ、カード返却ボタン１２ｄ、再プレー受付ボタン１２ｅ、端玉／端メダル受取口１２ｆ、表示部１２ｇで主に構成されている。
【００７５】
再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。
【００７６】
再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機９において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機１２では、会員用ＩＣカード３０の利用によって付与されるポイントを、例えば、再プレー用貯玉数に還元することもできる。
【００７７】
図７に示すように、再プレー受付機１２は、制御部１５０、カード処理部１５１、端玉返却部１５２、選択ボタン検知部１５３から構成されている。
【００７８】
制御部１５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１５０では、カード処理部１５１、端玉返却部１５２、選択ボタン検知部１５３の各機部間の信号の出入力、および、ネットワーク８を介して管理装置１３との間の信号の出入力を制御している。
【００７９】
カード処理部１５１は、会員カード処理部として機能し、カード挿入口１２ａから挿入された会員用ＩＣカード３０に記憶された、例えば、ＩＤやそのＩＤで管理されている有価情報などの読み取り、その読み取った情報の制御部１５０への出力、制御部１５０からの更新された有価情報などの会員用ＩＣカード３０への書き込みなどを行うもので、例えば、リーダライタなどで構成される。
【００８０】
選択ボタン検知部１５３は、暗証番号入力用テンキーボード１２ｂ、端玉／端メダル返却ボタン１２ｃ、カード返却ボタン１２ｄ、再プレー受付ボタン１２ｅが押されたことを検知し、その押された信号に基づいて、制御部１５０に信号を出力するものである。
【００８１】
そして、制御部１５０によって制御される、カード処理部１５１、端玉返却部１５２、選択ボタン検知部１５３の各機器部は、次のように動作する（図８）。
【００８２】
以下に、図８を参照してその動作を説明する。
【００８３】
カード処理部１５１は、会員用ＩＣカード３０が挿入されているか否かを判定する（ステップＳ１６０）。ステップＳ１６０の判定で、Ｎｏの場合、制御部１５０は待機状態となる。一方、ステップＳ１６０の判定で、Ｙｅｓの場合、カード処理部１５１は、会員用ＩＣカード３０に記憶されたＩＤおよび暗証番号を読み取り、制御部１５０に出力する（ステップＳ１６１）。
【００８４】
次に、選択ボタン検知部１５３は、暗証番号入力用テンキーボード１２ｂで入力された暗証番号を検知し、その検知信号を制御部１５０に出力する。制御部１５０は、会員用ＩＣカード３０から読み取られた暗証番号と暗証番号入力用テンキーボード１２ｂで入力された暗証番号とを比較判定する（ステップＳ１６３）。
【００８５】
ステップＳ１６３の判定で、双方の番号が一致しない場合（ＮＧの場合）は、カード処理部１５１によって、会員用ＩＣカード３０をカード挿入口１２ａから返却（カード挿入口１２ａへ返送）する（ステップＳ１６４）。
【００８６】
一方、ステップＳ１６３の判定で、双方の番号が一致した場合（ＯＫの場合）は、カード処理部１５１は、読み取ったＩＤを、制御部１５０に出力し、さらに制御部１５０は、そのＩＤをネットワーク８を介して管理装置１３に送信する（ステップＳ１６５）。そして、管理装置１３は、そのＩＤで管理されている貯玉数などを読み取る（ステップＳ１６５）。
【００８７】
次に、選択ボタン検知部１５３は、端玉／端メダル返却ボタン１２ｃ、カード返却ボタン１２ｄ、再プレー受付ボタン１２ｅのいずれかのボタンが押されたことを検知し、押されたボタンを判定する（ステップＳ１６６）。
【００８８】
ステップＳ１６６の判定で、端玉／端メダル返却ボタン１２ｃが押されたことが判定されると、その検知信号は、制御部１５０に出力され、さらに、制御部１５０からネットワーク８を介して管理装置１３に出力される。そして、管理装置１３から端玉分の返却信号が、制御部１５０を介して端玉返却部１５２に出力され、端玉返却部１５２によって、端玉が端玉／端メダル受取口１２ｆから返却される（ステップＳ１６７）。ここで、端玉／端メダル返却ボタン１２ｃは、貯玉数が少数で、その貯玉を再プレー受付をせずに返却したい場合に押されるもので、それによって、端玉／端メダル受取口１２ｆから返却されるのが端玉である。
【００８９】
ステップＳ１６６の判定で、カード返却ボタン１２ｄが押されたことが判定されると、カード処理部１５１は、会員用ＩＣカード３０をカード挿入口１２ａから返却（カード挿入口１２ａへ返送）する（ステップＳ１６８）。
【００９０】
ステップＳ１６８の判定で、再プレー受付ボタン１２ｅが押されたことが判定されると、その検知信号は、制御部１５０に出力され、さらに、制御部１５０からネットワーク８を介して管理装置１３に出力される。そして、管理装置１３において、ステップＳ１６５でＩＤに基づいて読み取られた貯玉数（Ｘ１）が次の式（１）（パチンコの場合）を満たすか否かが判定される（ステップＳ１６９）。
Ｘ１  ≧  ２５００＋２５００×手数料レート  …  式（１）
【００９１】
ステップＳ１６９の判定で、Ｎｏの場合、再プレー用貯玉数（Ｙ１）が次の式（２）から算出される（ステップＳ１７０）。
Ｙ１  ＝  Ｘ１  −  Ｘ１×（手数料レート）  …  式（２）
ここで、手数料レートは、例えば、０．３７５などであり、この値は任意に変更される。
【００９２】
そして、管理装置１３において、ＩＤに基づいて再プレー用貯玉数（Ｙ１）が登録され、貯玉数は０と書き換えられる（ステップＳ１７０、ステップＳ１７１）。
【００９３】
ステップＳ１６９の判定で、Ｙｅｓの場合、管理装置１３において、貯玉数（Ｘ２）は次の式（３）の値に書き換えられ、再プレー用貯玉数が２５００に登録される（ステップＳ１７２、ステップＳ１７３）。
Ｘ２  ＝  Ｘ１−２５００−２５００×（手数料レート）  …  式（３）
【００９４】
ステップＳ１７０またはステップＳ１７３で、再プレー用貯玉数が登録されると、ＩＤに基づいて管理装置１３の再プレーＦＬＧを１に書き換え、再プレー可能な状態にする（ステップＳ１７４）。
【００９５】
また、上記式（１）、（２）、（３）はパチンコ台を対象としたものであるが、スロットマシンのを対象とする場合、２５００玉に代えて１万円分の５００メダルとすることができる。再プレー受付機１２に切替ボタンなどを設け、その切替ボタンで、パチンコ台およびスロットマシンのどちらの再プレー受付をするかを選択できるようにすることもできる。また、それぞれ、別体式の再プレー受付機１２として設けられてもよい。
【００９６】
ここで、再プレー受付機１２における処理は、上記処理に限るものではない。例えば、再プレー用貯玉を、再プレー受付機１２の端玉／端メダル受取口１２ｆに排出させてもよい。また、再プレー受付機１２は単独で構成されるものに限らず、例えば、台間機３、４、６に併設されてもよい。この場合、台間機３、４、６には、暗証番号入力用テンキーボードなどがさらに設けられる。
【００９７】
（台間機３、４、６）
次に、記憶媒体処理装置として機能する台間機３、４、６について、図９に示された台間機３、４、６の平面図および図１を参照して説明する。
【００９８】
図９には、３種類の台間機３、４、６を正面から見た図が示されており、（ａ）の台間機３（ユニット）および（ｂ）の台間機４（サンド）はパチンコ用であり、（ｃ）の台間機６（台間メダル貸し機）はスロットマシン用である。
【００９９】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズルよりパチンコ機２の上皿へ供給される。
【０１００】
また、台間機６（台間メダル貸し機）は、台間機４（サンド）と同様に遊技機と情報通信ができないので、メダルは、台間機６（台間メダル貸し機）のメダル払出口に供給され、遊技者によってスロットマシン機５に移動される。なお、台間機６（台間メダル貸し機）のメダル払出口にノズルを取り付け、自動的にメダルがスロットマシン機５のメダル払出口に供給されるようにしてもよい。
【０１０１】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用貸玉ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、ランプ３ｆ、４ｆ、６ｆ、カード回収部３ｇ、４ｇ、６ｇなどが設けられている。
【０１０２】
カード挿入口３ａ、４ａ、６ａは、台間機３、４、６への会員用ＩＣカード３０または非会員用ＩＣカード３１の挿入または排出を行なうところである。
【０１０３】
会員用ＩＣカード３０または非会員用ＩＣカード３１がカード挿入口３ａ、４ａ、６ａから挿入されると、会員用ＩＣカード３０または非会員用ＩＣカード３１は、カード処理部として機能するリーダライタ部に搬送され、会員用ＩＣカード３０または非会員用ＩＣカード３１のＩＤなどの情報が読み取られる。
【０１０４】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【０１０５】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、５００円単位で行われる。
【０１０６】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。 再プレー用貸玉ボタン３ｃ、４ｃおよび再プレー用貸メダルボタン６ｃは、再プレー受付機１２において再プレー手続が行われた会員用ＩＣカード使用時にのみ利用され、再プレー用に利用することができるパチンコ玉またはメダルを貸し出しするときに押される。
【０１０７】
表示部３ｅ、４ｅ、６ｅは、例えば、度数などを表示する。これによって、度数を確認でき、入金のタイミングを図ることができる。また、表示部３ｅ、４ｅ、６ｅには、度数以外の情報を表示してもよい。
【０１０８】
ランプ３ｆ、４ｆ、６ｆは、遊技している遊技者が、会員または非会員なのかを視覚的に識別するためのもので、例えば、会員の場合は赤色、非会員の場合は青色が発光する。
【０１０９】
カード回収部３ｇ、４ｇ、６ｇは、後述する会員カード処理部および非会員カード処理部として機能するカード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【０１１０】
また、２台の台間機３、４、６に対し１台の割合で、台間機３、４、６の上部の固定されたランプ板部に、貯留機構付き紙幣識別装置１９が設置されている。この貯留機構付き紙幣識別装置１９は、４種類の紙幣に対応できるコンパクトサイズの紙幣識別機であり、台間機３、４、６および島コンピュータ７と情報通信ができるように接続されている。また、貯留機構付き紙幣識別装置１９は、２台のパチンコ機２またはスロットマシン機５に対して１台の割合で設けられているため、貯留機構付き紙幣識別装置１９の紙幣挿入口１９ａに入金されたときには、２台のパチンコ機２またはスロットマシン機５の内どちらのパチンコ機２またはスロットマシン機５への入金かを判定する必要がある。そこで、貯留機構付き紙幣識別装置１９に２個の遊技機指定ボタン１９ｂを設け、入金された側の遊技機指定ボタン１９ｂを押すことによって、入金された側のパチンコ機２またはスロットマシン機５の指定を行う。また、図１０に示した（ａ）の台間機３（ユニット）の一例のように、貯留機構付き紙幣識別装置１９の機能は、台間機３、４、６の本体に一体的に構成することもできる。
【０１１１】
（カード処理機２００の第１の実施の形態）
次に、カード挿入口３ａ、４ａ、６ａから挿入された会員用ＩＣカード３０または非会員用ＩＣカード３１の処理を行うカード処理機２００の第１の実施の形態を図１１乃至２７を参照して説明する。
【０１１２】
図１１は、カード処理機２００の斜視図を示す。また、図１２は、図１１のカード処理機２００のＡ−Ａ断面図、図１３は、図１１のカード処理機２００のＢ−Ｂ断面図を示す。
【０１１３】
カード処理機２００は、カード処理機本体２０１ａ、カード処理機開壁部２０１ｂ、カード挿入口２０２、リーダライタ部２０３、カード貯留部２０４、カード取込上部２０５、カード取込下部２０６、挿入検知センサ２０８、位置セット検知センサ２０９、落下検知センサ２１０、搬送ベルト２１４、搬送タイヤ２１５から主に構成されている。
【０１１４】
リーダライタ部２０３は、ＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部２０１ｂの外壁側に設置され、会員用ＩＣカード３０または非会員用ＩＣカード３１とカード処理機開壁部２０１ｂの壁部を介して情報の送受信を行っている。
【０１１５】
なお、リーダライタ部２０３で読み取り、書き込み、または、読み取りおよび書き込みがの不可能な会員用ＩＣカード３０または非会員用ＩＣカード３１が挿入された場合には、その会員用ＩＣカード３０または非会員用ＩＣカード３１は、カード挿入口２０２から返却（カード挿入口２０２へ返送）される。
【０１１６】
搬送ベルト２１４は、リーダライタ部２０３に対向して、カード処理機本体２０１ａに設けられた開口部に配置され、図２２のカード処理機２００のＤ−Ｄ断面図に示すように、回転軸２３７によって伝達された搬送ステップモータ２３６の回転によって、搬送ベルト２１４は動作する。搬送ベルト２１４の動作によって、カード挿入口２０２から挿入された会員用ＩＣカード３０または非会員用ＩＣカード３１は、所定の位置まで搬送される。
【０１１７】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部２０１ｂのカード通路側の壁に、非会員用ＩＣカード３１の縦横のサイズよりも大きな縦横サイズの凹部を形成することによって構成される。
【０１１８】
図２１に示したカード処理機２００のＣ−Ｃ断面図に示されているように、カード貯留部２０４の凹部には、凹部に一端が固定され、他端がカード支持板２０７に固定されたばね２３０が設けられている。また、カード貯留部２０４の凹部には、限界検知部２３１が設置されている。この限界検知部２３１は、カード貯留部２０４が貯留できる非会員用ＩＣカード３１の許容貯留量に達したときに検知するものである。限界検知部２３１には、例えば、光学的センサや接触により検知するスイッチなどが用いられる。
【０１１９】
カード取込上部２０５およびカード取込下部２０６は、カード貯留部２０４に非会員用ＩＣカード３１を取り込むときに、非会員用ＩＣカード３１をカード貯留部２０４に押し込む動作をするものである。また、カード取込上部２０５およびカード取込下部２０６は、カード貯留部２０４から非会員用ＩＣカード３１を取り出す動作をするものである。これらの動作については後述する。
【０１２０】
また、カード取込上部２０５およびカード取込下部２０６は、カード支持板２０７によって押圧される非会員用ＩＣカード３１を、その押圧される側と対向する側から支え、非会員用ＩＣカード３１がカード貯留部２０４から放出されるのを防いでいる。
【０１２１】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【０１２２】
挿入検知センサ２０８は、会員用ＩＣカード３０または非会員用ＩＣカード３１が、カード挿入口２０２に挿入されたことを検知するセンサである。位置セット検知センサ２０９は、会員用ＩＣカード３０または非会員用ＩＣカード３１が、リーダライタ部２０３との情報のやり取り（交信）を行える位置（リードライト位置）にあるか否かを検知するセンサである。また、位置セット検知センサ２０９は、非会員用ＩＣカード３１をカード貯留部２０４に貯留する際に、非会員用ＩＣカード３１が所定の位置に搬送されたか否かを検知するセンサとしても用いられる。落下検知センサ２１０は、非会員用ＩＣカード３１をカード回収部２１６に回収する際に、カード処理機２００からカード回収部２１６に向けて落下されたか否かを検知するセンサとして用いられる。
【０１２３】
また、図１２に示すように、カード処理機本体２０１ａの内壁には、カード種区別部材２１８が設置されている。カード種区別部材２１８は、会員用ＩＣカード３０および非会員用ＩＣカード３１をそれぞれの縦横の長さまたは厚さなどのカードサイズから区別するものである。
【０１２４】
例えば、カードの縦方向（搬送方向と垂直な方向）の長さによって区別する場合には、カード種区別部材２１８の重力方向（図１２では下方向）の長さを調整して、非会員用ＩＣカード３１のみが通過できるようにする。また、カードの厚さによって区別する場合には、カード種区別部材２１８の幅方向（カード通路の幅方向）の長さを調整して、非会員用ＩＣカード３１のみが通過できるようにする。このカード種区別部材２１８を設けることで、会員用ＩＣカード３０よりカードサイズの小さい非会員用ＩＣカード３１のみをカード貯留部２０４に貯留可能な位置に移動することができ、会員用ＩＣカード３０が、カード貯留部２０４に誤って貯留されるのを防止することができる。
【０１２５】
搬送タイヤ２１５は、図２１に示すように、カード貯留部２０４に対向するカード処理機本体２０１ａに設けられた開口部に配置され、回転軸（図示しない）を介して伝えられた搬送ステップモータ２３６と隣接するステップモータ（図示しない）の駆動力によって回転させられる。
【０１２６】
また、連結棒２３２を介して連結されたソレノイド２３３とリンク２３５を用いて、搬送タイヤ２１５の回転軸（図示しない）を非会員用ＩＣカード３１面に対して垂直方向に作動させる。つまり、ソレノイド２３３を一方に突出させると、搬送タイヤ２１５は、非会員用ＩＣカード３１面から離れる方向に動作し、ソレノイド２３３を他方に突出させると、搬送タイヤ２１５は、非会員用ＩＣカード３１面を押圧する方向に動作する。この搬送タイヤ２１５は、非会員用ＩＣカード３１をカード回収部２１６と連通したカード排出部２１７に導く場合に作動する。このように、搬送タイヤ２１５を設けることで、スムーズに非会員用ＩＣカード３１をカード排出部２１７に導くことができる。        
【０１２７】
次に、カード挿入口２０２から挿入された会員用ＩＣカード３０または非会員用ＩＣカード３１の搬送動作を図１４乃至２０を参照して説明する。
【０１２８】
挿入検知センサ２０８が、カード挿入口２０２から会員用ＩＣカード３０または非会員用ＩＣカード３１が挿入されたことを検知すると、搬送ステップモータ２３６を駆動し、搬送ベルト２１４を作動させる（図１４）。
【０１２９】
会員用ＩＣカード３０または非会員用ＩＣカード３１は、搬送ベルト２１４によって、リーダライタ部２０３との情報のやり取り（交信）を行える位置（リードライト位置）まで搬送される。そして、その位置に会員用ＩＣカード３０または非会員用ＩＣカード３１が搬送されたことが、位置セット検知センサ２０９によって検知されると、搬送ベルト２１４の動作を停止させる（図１５）。
【０１３０】
会員用ＩＣカード３０または非会員用ＩＣカード３１の情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却（カード挿入口２０２へ返送）される。なお、会員用ＩＣカード３０が用いられた場合には、度数残高がゼロでもカード挿入口２０２から返却（カード挿入口２０２へ返送）される（図１６）。
【０１３１】
非会員用ＩＣカード３１が用いられた場合には、遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１６）。
【０１３２】
一方、度数残高がゼロのときには、搬送ベルト２１４を再度作動し、非会員用ＩＣカード３１は、カード貯留部２０４に対向する位置まで搬送される（図１７）。  
【０１３３】
ここで、カード貯留部２０４の限界検知部２３１によって検知されずに、非会員用ＩＣカード３１の貯留量に余裕があれば、非会員用ＩＣカード３１は、カード貯留部２０４に貯留される。
【０１３４】
一方、カード貯留部２０４の限界検知部２３１によって貯留限界量に達したことが検知された場合には、搬送タイヤ２１５を回転させ、非会員用ＩＣカード３１をカード排出部２１７に導く（図１８）。カード排出部２１７に導かれた非会員用ＩＣカード３１は、カード回収部２１６に落下し、カード回収部２１６に回収される（図１８）。落下検知センサ２１０は、非会員用ＩＣカード３１が、カード排出部２１７を通過したことを検知し、その通過後、搬送タイヤ２１５の回転が停止させる。
【０１３５】
ここで、搬送タイヤ２１５を回転させ、非会員用ＩＣカード３１をカード排出部２１７に導くときに、非会員用ＩＣカード３１が、搬送ベルト２１４で押圧されていると搬送の障害になるので、図２３に示した機構を備えることが好ましい。
【０１３６】
図２３に示した機構は、搬送ベルト２１４に動力を与える２つの回転軸２３７のうち、カード貯留部２０４側に位置する回転軸２３７とその回転軸２３７の面しているカード処理機本体２０１の外壁との間に、三角ヘッド部材２３９が配置されている。三角ヘッド部材２３９は、ソレノイド２４０と接続され、三角ヘッド部材２３９の勾配面が回転軸２３７に接触し、三角ヘッド部材２３９が回転軸２３７に対して垂直に移動可能に設置されている。
【０１３７】
非会員用ＩＣカード３１をカード排出部２１７に導くときに、ソレノイド２４０を駆動し、図２３の（ａ）のＥ−Ｅ方向からの平面図である図１７の（ｂ）に示すように、三角ヘッド部材２３９を右側へ移動させる。この三角ヘッド部材２３９の移動によって、回転軸２３７は、カード処理機本体２０１の外壁から離れる方向（図１７の（ｂ）では上方）に移動するので、非会員用ＩＣカード３１は、搬送ベルト２１４によって押圧されなくなる。これによって、搬送タイヤ２１５の回転の動力を効率よく非会員用ＩＣカード３１に伝えることができ、非会員用ＩＣカード３１をカード排出部２１７にスムーズに導くことができる。
【０１３８】
また、図２３に示した機構を、搬送タイヤ２１５の回転軸（図示しない）に設けることもできる。これによって、搬送タイヤ２１５が非会員用ＩＣカード３１に与える押圧力を調節することができる。
【０１３９】
なお、上述した会員用ＩＣカード３０または非会員用ＩＣカード３１の搬送動作は、会員用ＩＣカード３０または非会員用ＩＣカード３１がカード挿入口２０２から挿入された場合である。
【０１４０】
次に、会員用ＩＣカード３０または非会員用ＩＣカード３１がカード挿入口２０２に挿入されずに、貨幣が貯留機構付き紙幣識別装置１９に挿入された場合について説明する。
【０１４１】
会員用ＩＣカード３０または非会員用ＩＣカード３１がカード挿入口２０２に挿入されずに、貨幣が貯留機構付き紙幣識別装置１９に挿入されると、カード貯留部２０４から貯留されている非会員用ＩＣカード３１は、カード取込上部２０５およびカード取込下部２０６を回転させることによって、カード取込下部２０６上に取り出される（図１９）。そして、搬送ステップモータ２３６を駆動し、搬送ベルト２１４を作動させ、非会員用ＩＣカード３１が、リーダライタ部２０３との情報のやり取り（交信）を行える位置（リードライト位置）まで搬送される（図２０および図１５）。
【０１４２】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１６）。
【０１４３】
一方、度数残高がゼロのときには、搬送ベルト２１４を再度作動し、非会員用ＩＣカード３１は、カード貯留部２０４に対向する位置まで搬送される（図１７）。  そして、再度、非会員用ＩＣカード３１は、カード貯留部２０４に貯留される。
【０１４４】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【０１４５】
次に、上述した非会員用ＩＣカード３１のカード貯留部２０４への貯留動作、カード貯留部２０４からの取出動作およびカード排出部２１７への誘導動作を図２４乃至２７を参照して説明する。
【０１４６】
図２４は、カード取込上部２０５およびカード取込下部２０６に挟持された非会員用ＩＣカード３１の斜視図を示す。
【０１４７】
カード取込上部２０５は、上部フック２５０、上部フック軸２５１から構成されている。上部フック軸２５１には、伝達ギヤ２５２を介してステップモータ２５３の動力が伝達される。
【０１４８】
図２１および２５に示すように、カード取込上部２０５は、カード処理機開壁部２０１ｂにおける内壁２５９面とカード貯留部２０４の溝とで形成される４つの境界部のうち、非会員用ＩＣカード３１の挿入方向に沿う上部の境界部２６０に沿って配置される。また、カード取込上部２０５の上部フック軸２５１が取り付けられる境界部２６０は、図２５（ａ）に示すように、カード貯留部２０４に貯留された非会員用ＩＣカード３１の上部端面とは所定の距離を有している。
【０１４９】
カード取込下部２０６は、下部フック２５４、下部フラップ２５５、下部フック軸２５６、下部フラップ軸２５７から構成されている。
【０１５０】
下部フック軸２５６には、伝達ギヤ２５２を介してステップモータ２５３の動力が伝達される。下部フラップ軸２５７には、伝達ギヤ２５２を介してステップモータ２５８の動力が伝達される。なお、カード取込下部２０６は、下部フック軸２５６および下部フラップ軸２５７の２つの回転軸を有し、下部フック軸２５６、下部フラップ軸２５７のそれぞれを別個に制御することができる。また、下部フック２５４と下部フラップ２５５は、それぞれ衝突することなく回転することができる。さらに、下部フック軸２５６は、上部フック軸２５１とは逆回転する。
【０１５１】
また、カード取込下部２０６は、カード処理機開壁部２０１ｂにおける内壁２５９面とカード貯留部２０４の溝とで形成される４つの境界部のうち、非会員用ＩＣカード３１の挿入方向に沿う下部の境界部２６１に沿って配置される。
【０１５２】
まず、非会員用ＩＣカード３１のカード貯留部２０４への貯留動作について、図２５を参照して説明する。なお、図２５は、カード挿入口２０２側から見た状態を示している。
【０１５３】
搬送ベルト２１４によって、カード貯留部２０４に対向する位置まで搬送された非会員用ＩＣカード３１は、下部フック２５４上に位置される（図２５の（ａ））。そして、下部フック２５４は右回りに、上部フック２５０は左回りに回転する（図２５の（ｂ））。このときに、上部フック２５０は、下部フック２５４と回転の位相がずれており、下部フック２５４が図２５（ａ）の位置の水平状態から右回りに動き始める場合、上部フック２５０は図２５（ａ）の位置の垂直状態から左回りに動き始める。
【０１５４】
また、上部フック２５０は、下部フック２５４より動作開始の回転角度が遅い分、下部フック２５４より回転速度が速く設定されている。これによって、非会員用ＩＣカード３１を上部フック２５０と下部フック２５４間に挟持することができる。なお、上部フック２５０と下部フック２５４の速さの差異は、例えば、下部フック２５４が１８０°回転する間に、上部フック２５０が２７０°回転する程度である。
【０１５５】
非会員用ＩＣカード３１は、その底部の下部フック２５４との接触部と、下部フック２５４の表面の摩擦力によって保持され、非会員用ＩＣカード３１は下部フック２５４の動きに伴い、上方に持ち上げられる（図２５の（ｃ））。一方、左回りに回転する上部フック２５０は、非会員用ＩＣカード３１の上部の左側の側面を押圧し始める（図２５の（ｃ））。
【０１５６】
なお、非会員用ＩＣカード３１の上端部位置と上部フック２５０の回転軸の間に隙間を持たせて、非会員用ＩＣカード３１が上方に移動する際、非会員用ＩＣカード３１の上端部が、上部フック２５０の一部または上部フック軸２５１に接触しないように移動可能な隙間を持たせている（図２５の（ｃ））。また、非会員用ＩＣカード３１の上端部とカード貯留部２０４の上部壁面の間に隙間を持たせて、非会員用ＩＣカード３１が上方に移動する際、非会員用ＩＣカード３１の上端部がカード貯留部２０４の上部壁面に接触しないように移動可能な隙間を持たせている（図２５の（ｃ））。
【０１５７】
下部フック２５４は、さらに右回りに回転し、非会員用ＩＣカード３１の底部をカード貯留部２０４内に移動させる（図２５の（ｄ））。非会員用ＩＣカード３１の上部は、引き続き上部フック２５０によって、右方向に押圧され、カード貯留部２０４内に押し込まれる（図２５の（ｄ））。
【０１５８】
上部フック２５０および下部フック２５４は、それぞれの回転方向にさらに回転し、双方によって非会員用ＩＣカード３１をカード貯留部２０４内に押圧する位置で停止する（図２５の（ｅ））。また、下部フラップ２５５は、新たに非会員用ＩＣカード３１の受け入れができるように、右回りに回転され、カード処理機開壁部２０１ｂの内壁２５９に対してほぼ垂直になる位置で停止する。なお、上部フック２５０および下部フック２５４は、図２５の（ｅ）に示された状態で常時待機する。
【０１５９】
ここで、下部フック２５４の非会員用ＩＣカード３１との接触面は、例えば、ゴムのような摩擦係数の大きな物質で構成されることが好ましい。下部フック２５４の非会員用ＩＣカード３１との接触面を摩擦係数の大きな物質で構成することによって、非会員用ＩＣカード３１をカード貯留部２０４側に移動中に、非会員用ＩＣカード３１が下部フック２５４からすべり落ちることを抑制することができる。
【０１６０】
次に、非会員用ＩＣカード３１のカード貯留部２０４からの取出動作について、図２６を参照して説明する。なお、図２６は、カード挿入口２０２側から見た状態を示している。
【０１６１】
上部フック２５０および下部フック２５４は、図２０の（ａ）に示された待機状態の位置から、上部フック２５０は右回りに、下部フック２５４は左回りに回転する（図２６の（ａ））。また、下部フラップ２５５は、左回りに回転し、内壁２５９に接触してその回転を停止する（図２６の（ａ））。
【０１６２】
さらに、上部フック２５０および下部フック２５４は、それぞれの回転方向に回転する（図２６の（ｂ））。この際、非会員用ＩＣカード３１には、カード貯留部２０４に設けられたばね２３０による押圧力が、カード支持板２０７を介してカード貯留部２０４の出口方向に与えられている。一方、上部フック２５０および下部フック２５４は、非会員用ＩＣカード３１にかかる押圧力を支えながら回転している（図２６の（ｂ）および（ｃ））。
【０１６３】
上部フック２５０および下部フック２５４が、カード処理機開壁部２０１ｂの内壁２５９に対してほぼ垂直な位置で停止すると、非会員用ＩＣカード３１は、カード貯留部２０４から上部フック２５０および下部フック２５４間に移動される（図２６の（ｄ））。そして、ばね２３０による押圧力がかかる非会員用ＩＣカード３１の面と対向する面の一部が、搬送ベルト２１４に接触する。次に、搬送ステップモータ２３６が駆動され、搬送ベルト２１４が動作されて、１枚の非会員用ＩＣカード３１が搬送ベルト２１４によって、リーダライタ部２０３との情報のやり取り（交信）を行える位置（リードライト位置）まで搬送される。
【０１６４】
次に、非会員用ＩＣカード３１のカード排出部２１７への誘導動作について、図２７を参照して説明する。なお、図２７は、カード挿入口２０２側から見た状態を示している。
【０１６５】
図２５の（ｅ）に示した待機状態において、非会員用ＩＣカード３１が挿入され、カード貯留部２０４に対向する位置に搬送された状態が図２７の（ａ）に示された状態である。この状態で、台間機３、４、６の返却ボタン３ｄ、４ｄ、６ｄが押され、カード貯留部２０４の限界検知部２３１によって貯留限界量に達していることが検知された場合には、下部フラップ２５５は、左回りに回転し、カード処理機開壁部２０１ｂの内壁２５９に接触してその回転を停止する（図２７の（ｂ））。また、この場合には、内壁２５９に下部フラップ２５５を収納する凹部を設け、下部フラップ２５５を収納する構造にしてもよい。
【０１６６】
そして、下部フラップ２５５の支えがなくなった非会員用ＩＣカード３１は、重力と搬送タイヤ２１５の回転によって加えられる下方向の力によって落下し、カード排出部２１７を通過してカード回収部２１６に回収される。また、非会員用ＩＣカード３１がカード排出部２１７に搬送される際、前述したように、図２３に示すソレノイド２４０を駆動し、搬送ベルト２１４による非会員用ＩＣカード３１への押圧力は取り除かれる。
【０１６７】
また、図２７の（ａ）に示された状態で、台間機３、４、６の返却ボタン３ｄ、４ｄ、６ｄが押されたときに、カード貯留部２０４に非会員用ＩＣカード３１の貯留が可能な場合には、その非会員用ＩＣカード３１は、カード貯留部２０４に貯留される。この場合、上部フック２５０は、図２７の（ａ）に示された状態から左回りに回転し、カード貯留部２０４の側壁部に設けられた上部フック２５０の通過溝（図示しない）を通過し、後から挿入された非会員用ＩＣカード３１の左側の面をカード貯留部２０４側に押圧する。
【０１６８】
また、下部フック２５４は、図２７の（ａ）に示された状態から右回りに回転し、カード貯留部２０４の側壁部に設けられた下部フック２５４の通過溝（図示しない）を通過し、後から挿入された非会員用ＩＣカード３１の底面を支える。そして、図２５を参照して説明した非会員用ＩＣカード３１のカード貯留部２０４への貯留動作によって、後から挿入された非会員用ＩＣカード３１は、カード貯留部２０４に貯留される。
【０１６９】
ここで、下部フラップ２５５は、図２４に示される構成に限らず、例えば、図２８に示すように、ソレノイド２７０を用い、新たに非会員用ＩＣカード３１がカード挿入口２０２から挿入されると、ソレノイド２７０が起動し、落下防止板２７１を突出させる構成にすることもできる。
【０１７０】
第１の実施の形態に係るカード処理機においては、ＩＣカード３１は、その厚さ方向が重力方向に対して垂直になる姿勢で、挿入、搬送、およびカード貯留部２０４内に積層されて貯留される。従って、本カード処理機は、幅狭に形成することができ、例えば４ｃｍ幅のパチンコ台間等の、幅狭な空間にも好適に設置することが可能となる。
【０１７１】
さらに、本カード処理機は、カード回収部２１６が、カード搬送分岐部よりも重力方向の下方部に備えられるている。従って、ＩＣカード３１をカード回収部２１６に搬送する場合、ＩＣカード３１を重力に抗して搬送するようなリフトアップ装置が不要であり、装置を小型化できる。そして更に、ＩＣカード３１を垂直にカード処理して、カード貯留部２０４が満杯でなければそのままカード貯留部２０４に再発行可能に貯留し、満杯であれば、そのままの姿勢を維持して重力作用を利用して回収することができるため、必要なカード搬送機構を必要最小限にすることができる。このため装置を小型にすることができる。
【０１７２】
（台間機３、４、６の動作）
次に、図２９および３０を参照して、台間機３、４、６の動作について説明する。各台間機３、４、６における基本的な動作は同じであるので、ここでは、一例として台間機３（ユニット）における動作について説明する。図２９は台間機３、４、６の構成部を示す図、図３０は台間機３、４、６における動作の流れを示す図である。
【０１７３】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【０１７４】
図２９に示すように、台間機３は、制御部３００、カード処理部３０１、カード貯留処理部３０２、カード位置検知部３０３、選択ボタン検知部３０４、貨幣識別部３０５から構成されている。
【０１７５】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部３００では、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御している。ここで、島コンピュータ７は、パチンコ機２、スロットマシン機５および台間機３、４、６と、ネットワーク８との間の情報の通信を行うもので、データロガなどで構成されている。
【０１７６】
カード処理部３０１は、カード挿入口３ａから挿入された会員用ＩＣカード３０または非会員用ＩＣカード３１に記憶された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。
【０１７７】
カード貯留処理部３０２は、非会員用ＩＣカード３１のカード貯留部２０４への貯留、カード貯留部２０４からの取り出しまたはカード回収部２１６への搬送を行うもので、前述したカード取込上部２０５およびカード取込下部２０６などで構成される。また、カード貯留処理部３０２は、カード貯留部２０４が貯留できる非会員用ＩＣカード３１の貯留限界量に達したか否かを判定する機能も有するものである。
【０１７８】
カード位置検知部３０３は、会員用ＩＣカード３０または非会員用ＩＣカード３１の搬送が、適切に行われたか否かを検知するもので、前述した、挿入検知センサ２０８、位置セット検知センサ２０９、落下検知センサ２１０などで構成される。
【０１７９】
選択ボタン検知部３０４は、貸玉ボタン３ｂ、再プレー用貸玉ボタン３ｃ、返却ボタン３ｄが押されたことを検知し、その押された信号に基づいて、制御部３００に信号を出力するものである。
【０１８０】
貨幣識別部３０５は、貯留機構付き紙幣識別装置１９からの信号に基づき４種類の紙幣を識別し、識別した紙幣の情報を制御部３００に出力するものである。ここでは、貨幣識別部３０５は、台間機３に一体的に構成されている。
【０１８１】
そして、制御部３００によって制御される、カード処理部３０１、カード貯留処理部３０２、カード位置検知部３０３、選択ボタン検知部３０４、貨幣識別部３０５の各機器部は、次のように動作する。
【０１８２】
以下に、図３０を参照して動作を説明する。
【０１８３】
制御部３００は、会員用ＩＣカード３０、非会員用ＩＣカード３１または紙幣を受け入れるまで待機状態にある。貨幣識別部３０５は、紙幣の受け入れがされたか否かを判定する（ステップＳ３１０）。
【０１８４】
ステップＳ３１０の判定で、Ｙｅｓの場合、貨幣識別部３０５は、紙幣の入金額に対応する度数を制御部３００に出力する。カード処理部３０１またはカード位置検知部３０３は常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られる。制御部３００に出力される。制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１１）。管理装置１３に送信された情報は、管理装置１３に記録される（ステップＳ３１１）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【０１８５】
一方、カード処理部３０１またはカード位置検知部３０３によって、会員用ＩＣカード３０または非会員用ＩＣカード３１がカード処理部３０１に挿入されていないと判定された場合、前述した非会員用ＩＣカード３１のカード貯留部２０４からの取出動作（図２６）で説明したように、カード貯留処理部３０２によって、カード貯留部２０４から非会員用ＩＣカード３１が取り出される。そして、取り出された非会員用ＩＣカード３１は、カード処理部３０１に搬送される（ステップＳ３１２）。
【０１８６】
そして、カード処理部３０１に搬送された非会員用ＩＣカード３１は、カード処理部３０１によってＩＤが与えられる（ステップＳ３１２）。制御部３００は、そのＩＤおよび紙幣の入金額に対応する度数を管理装置１３に出力する（ステップＳ３１２）。管理装置１３は、その情報をＩＤに基づいて記録する（ステップＳ３１２）。そして、ステップＳ３１８へ進む。
【０１８７】
ステップＳ３１０の判定で、Ｎｏの場合には、カード位置検知部３０３によって、会員用ＩＣカード３０または非会員用ＩＣカード３１が挿入されているか否かが判定される（ステップＳ３１３）。
【０１８８】
ステップＳ３１３の判定で、Ｎｏの場合には、制御部３００は待機状態となる。ステップＳ３１３の判定で、Ｙｅｓの場合には、カード処理部３０１によって、会員用ＩＣカード３０または非会員用ＩＣカード３１の情報の読み取りおよび書き込みが可能か否かが判定される（ステップＳ３１４）。
【０１８９】
ステップＳ３１４の判定で、Ｙｅｓの場合には、制御部３００は、カード処理部３０１に会員用ＩＣカード３０または非会員用ＩＣカード３１を返却する情報を出力する。その情報を受け取ったカード処理部３０１は、カード挿入口３ａから会員用ＩＣカード３０または非会員用ＩＣカード３１を返却（カード挿入口３ａへ返送）する。（ステップＳ３１５）。
【０１９０】
ステップＳ３１４の判定で、Ｎｏの場合には、カード位置検知部３０３によって、会員用ＩＣカード３０または非会員用ＩＣカード３１の搬送に不良があるか否かが判定される（ステップＳ３１６）。
【０１９１】
ステップＳ３１６の判定で、Ｙｅｓの場合には、制御部３００は、表示部３ｅに搬送不良が発生したことを表示させる（ステップＳ３１７）。また、制御部３００は、島コンピュータ７、ネットワーク８を介して管理装置１３に、搬送不良の情報を出力する。管理装置１３は、その搬送不良の情報に基づいて、景品管理機（ＰＯＳ）１１などに搬送不良が発生に基づく情報を出力する（ステップＳ３１７）。また、ブザー、場内放送などで搬送不良が発生したことを報知することもできる（ステップＳ３１７）。ここで、カード搬送不良の原因となるカードが取り除かれるまで待機したのちステップＳ３１８へ進む。
【０１９２】
ステップＳ３１６の判定で、Ｎｏの場合には、会員用ＩＣカード３０または非会員用ＩＣカード３１に記憶されたＩＤをカード処理部３０１で読み取る（ステップＳ３１８）。
【０１９３】
カード処理部３０１は、読み取ったＩＤを、制御部３００に出力し、さらに制御部３００はそのＩＤを管理装置１３に送信する。そして、管理装置１３は、そのＩＤで管理されている有価情報などを読み取り、読み取った情報をネットワーク８、島コンピュータ７を介して制御部３００へ送信する（ステップＳ３１８）。制御部３００は、管理装置１３から送信された情報のうち有価情報の一部を、表示部３ｅに表示する（ステップＳ３１８）。
【０１９４】
貯留機構付き紙幣識別装置１９の紙幣挿入口１９ａから入金がされたときには、貨幣識別部３０５でその入金額を判定し、その入金額の情報を制御部３００に出力する（ステップＳ３１８）。制御部３００は、その情報を島コンピュータ７、ネットワーク８を介して管理装置１３に送信する（ステップＳ３１８）。管理装置１３では、入金額の情報に基づいてＩＤ毎にその入金分の度数を度数残高に積算して書き込む（ステップＳ３１８）。
【０１９５】
選択ボタン検知部３０４で、遊技者が貸玉ボタン３ｂを選択することに基づく貸玉要求信号が入力されたか否かが判定される（ステップＳ３１９）。ステップＳ３１９の判定がＹｅｓの場合には、その貸玉要求信号が制御部３００に出力される（ステップＳ３２０）。
【０１９６】
制御部３００では、会員用ＩＣカード３０または非会員用ＩＣカード３１のＩＤに対応する度数残高を管理装置１３から読み出し、この度数残高と貸玉要求信号に相当する度数とを比較し、度数残高が貸玉要求信号に相当する度数より大きければ、その貸玉要求信号に基づく貸玉排出動作信号を制御部３００を介してパチンコ機２の制御部に送信し、所定数のパチンコ玉のパチンコ機２の上皿への貸し出しを行わせる（ステップＳ３２０）。
【０１９７】
また、制御部３００は、度数残高から貸玉要求信号に相当する度数を減算し、その減算された度数残高を管理装置１３へ送信する。管理装置１３は、その減算された度数残高に基づく情報をＩＤ毎に書き込む。（ステップＳ３２０）。さらに、会員用ＩＣカード３０が利用されている場合には、管理装置１３では、貸玉要求信号に相当する度数に応じて付与されるポイントをＩＤに基づいて加算する（ステップＳ３２１）。
【０１９８】
ステップＳ３１９の判定がＮｏの場合には、選択ボタン検知部３０４で、遊技者が再プレー用貸玉ボタン３ｃを選択することに基づく再プレー用貸玉要求信号が入力されたか否かが判定される（ステップＳ３２２）。
【０１９９】
ステップＳ３２２の判定がＹｅｓの場合には、再プレー用貸玉要求信号がＩＤに基づいて、制御部３００から管理装置１３に送信される。管理装置１３は、ＩＤに基づいて管理されている再プレーＦＬＧの値を制御部３００に出力する。  
【０２００】
制御部３００では、管理装置１３からの再プレーＦＬＧの値を判定する（ステップＳ３２３）。再プレー受付機１２で受付されたときには、管理装置１３内の記録値である再プレーＦＬＧが１となり、受付されていないときには、再プレーＦＬＧが０となっている。
【０２０１】
ステップＳ３２３の判定において、再プレーＦＬＧが１であることが制御部３００によって判定された場合、制御部３００は、再プレー用貸玉要求信号をパチンコ機２の制御部に出力する（ステップＳ３２４）。パチンコ機２の制御部は、パチンコ機２から所定数のパチンコ玉の貸し出しを行わせる（ステップＳ３２４）。また、制御部３００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ３２４）。
【０２０２】
一方、ステップＳ３２３の判定において、再プレーＦＬＧが０であることが制御部３００によって判定された場合、パチンコ玉の貸し出しは行われず、ステップＳ３２７へ進む。このときには、例えば、制御部３００は、表示部３ｅに「再プレーできません。」などの表示をさせることもできる。また、ステップＳ３２２でＮｏと判定されると、ステップＳ３２５に進む。
【０２０３】
続いて、制御部３００は、管理装置１３から再プレー用貯玉数の情報を受信し、  との通信によって得た再プレー用貯玉数が０か否かを判定する（ステップＳ３２５）。ステップＳ３２５の判定において、Ｙｅｓの場合には、制御部３００は、再プレーＦＬＧの数値を０に書き換える情報を管理装置１３に出力する（ステップＳ３２６）。そして、管理装置１３では、ＩＤに基づいて再プレーＦＬＧの数値が０に書き換える（ステップＳ３２６）。
【０２０４】
ステップＳ３２５の判定において、Ｎｏの場合には、選択ボタン検知部３０４で、返却ボタン３ｄを選択することに基づく返却要求信号が入力されたか否かが判定される（ステップＳ３２７）。
【０２０５】
ステップＳ３２７の判定において、Ｎｏの場合には、選択ボタン検知部３０４は、その情報を制御部３００に出力する。そして、カード処理部３０１またはカード位置検知部３０３は、会員用ＩＣカード３０が挿入されているか否かを判定する（ステップＳ３２８）。
【０２０６】
ステップＳ３２８の判定において、Ｙｅｓの場合には、カード処理部３０１またはカード位置検知部３０３は、その情報を制御部３００に出力する。そして、制御部３００は、ランプ３ｆに赤色を点灯させ（ステップＳ３２９）、ソレノイドでカード挿入口３ａを封鎖させる（ステップＳ３３０）。
【０２０７】
一方、ステップＳ３２８の判定において、Ｎｏの場合には、カード処理部３０１またはカード位置検知部３０３は、その情報は制御部３００に出力する。
【０２０８】
続いて、カード処理部３０１またはカード位置検知部３０３は、非会員用ＩＣカード３１が挿入されているか否かを判定する（ステップＳ３３１）。
【０２０９】
ステップＳ３３１の判定において、Ｙｅｓの場合には、カード処理部３０１またはカード位置検知部３０３は、その情報を制御部３００に出力する。そして、制御部３００は、ランプ３ｆに青色を点灯させ（ステップＳ３３２）、ソレノイドでカード挿入口３ａを封鎖させる（ステップＳ３３０）。ステップＳ３３１の判定において、Ｎｏの場合には、リターンしてスタートに戻る。
【０２１０】
ステップＳ３２７の判定において、Ｙｅｓの場合には、選択ボタン検知部３０４は、その情報を制御部３００に出力する。さらに、カード処理部３０１またはカード位置検知部３０３が、非会員用ＩＣカード３１があるか否かを判定する（ステップＳ３３３）。
【０２１１】
ステップＳ３３３の判定において、Ｎｏの場合には、カード処理部３０１またはカード位置検知部３０３は、その情報を制御部３００に出力する。制御部３００は、カード処理部３０１に、カード挿入口３ａより会員用ＩＣカード３０を返却する情報を出力する。カード処理部３０１は、その情報に基づいて会員用ＩＣカード３０を返却（カード挿入口３ａへ返送）する（ステップＳ３３４）。
【０２１２】
一方、ステップＳ３３３における判定で、Ｙｅｓの場合には、カード処理部３０１またはカード位置検知部３０３は、その情報を制御部３００に出力する。続いて、カード処理部３０１は、非会員用ＩＣカード３１に度数残高があるか否かを判定する（ステップＳ３３５）。
【０２１３】
ステップＳ３３５の判定において、Ｙｅｓの場合には、カード処理部３０１は、その情報を制御部３００に出力する。制御部３００は、カード処理部３０１に、カード挿入口３ａより非会員用ＩＣカード３１を返却する情報を出力する。そして、カード処理部３０１は、その情報に基づいて非会員用ＩＣカード３１を返却（カード挿入口３ａへ返送）する（ステップＳ３３６）。
【０２１４】
ステップＳ３３５の判定において、Ｎｏの場合には、カード処理部３０１は、その情報を制御部３００に出力する。続いて、カード貯留処理部３０２は、カード貯留部２０４が貯留量が限界か否かを判定する（ステップＳ３３７）。
【０２１５】
ステップＳ３３７の判定において、Ｙｅｓの場合には、カード貯留処理部３０２は、その情報を制御部３００に出力する。制御部３００は、前述した非会員用ＩＣカード３１のカード排出部２１７への誘導動作（図２７）を行わせる情報をカード貯留処理部３０２に出力する。そして、カード貯留処理部３０２は、非会員用ＩＣカード３１をカード回収部２１６へ搬送する（ステップＳ３３８）。
【０２１６】
ステップＳ３３７の判定において、Ｎｏの場合には、カード貯留処理部３０２は、その情報を制御部３００に出力する。制御部３００は、前述した非会員用ＩＣカード３１のカード貯留部２０４への貯留動作（図２５）を行わせる情報をカード貯留処理部３０２に出力する。そして、カード貯留処理部３０２は、非会員用ＩＣカード３１をカード貯留部２０４に貯留する（ステップＳ３３９）。
【０２１７】
（カード処理機３４０の第２の実施の形態）
次に、カード挿入口３ａ、４ａ、６ａから挿入された会員用ＩＣカード３０または非会員用ＩＣカード３１の処理を行うカード処理機の第２の実施の形態を図３１乃至４５を参照して説明する。なお、第１の実施の形態のカード処理機２００の構成と同一の部分には同一の符号を付して、重複する説明を省略する。
【０２１８】
図３１は、カード処理機３４０の斜視図を示す。また、図３２は、図３１のカード処理機３４０のＡ−Ａ断面図、図３３は、図３１のカード処理機３４０のＢ−Ｂ断面図を示す。
【０２１９】
カード処理機３４０は、カード処理機本体３４１ａ、カード処理機開壁部３４１ｂ、カード挿入口２０２、リーダライタ部２０３、カード貯留部２０４、挿入検知センサ２０８、位置セット検知センサ２０９、落下検知センサ２１０、搬送ベルト３４２から主に構成されている。
【０２２０】
リーダライタ部２０３は、ＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部３４１ｂの外壁側に設置され、会員用ＩＣカード３０または非会員用ＩＣカード３１とカード処理機開壁部３４１ｂの壁部を介して情報の送受信を行っている。
【０２２１】
なお、リーダライタ部２０３で読み取り、書き込み、または、読み取りおよび書き込みが不可能な会員用ＩＣカード３０または非会員用ＩＣカード３１が挿入された場合には、その会員用ＩＣカード３０または非会員用ＩＣカード３１は、カード挿入口２０２から返却（カード挿入口２０２へ返送）される。
【０２２２】
搬送ベルト３４２は、リーダライタ部２０３およびカード貯留部２０４が設けられたカード処理機開壁部３４１ｂの内壁に対向して、カード処理機本体３４１ａに設けられた開口部に配置され、上下２段に設けられている。例えば、搬送ベルト３４２が、下１段にのみ設けられている場合には、カード貯留部２０４に貯留されている非会員用ＩＣカード３１の下部が押さえられるために、非会員用ＩＣカード３１の上部は、カード処理機本体３４１ａの内壁側に偏る。これによって、カード貯留部２０４に貯留すべき非会員用ＩＣカード３１のカード貯留部２０４への移動が妨げられる。しかし、図３２に示すように、上下２段に搬送ベルト３４２を設けることで、カード貯留部２０４に貯留されている非会員用ＩＣカード３１のカード処理機本体３４１ａの内壁側への偏りが抑制されるので、カード貯留部２０４に貯留すべき非会員用ＩＣカード３１のカード貯留部２０４への移動をスムーズに行うことができる。
【０２２３】
また、図３４のカード処理機３４０のＣ−Ｃ断面図に示すように、搬送ベルト３４２は、回転軸２３７によって伝達された搬送ステップモータ２３６の回転によって動作する。また、上下２段に設けられた搬送ベルト３４２は、同期して動作する。搬送ベルト３４２の動作によって、カード挿入口２０２から挿入された会員用ＩＣカード３０または非会員用ＩＣカード３１は、所定の位置まで搬送される。
【０２２４】
また、図３４に示すカード処理機３４０のＤ−Ｄ断面図を図３５に示す。同図に示すように、搬送ベルト３４２は、３種の回転ギヤ３４４ａ、３３４ｂ、３４４ｃで構成された５つの回転ギヤで回転されている。回転ギヤの径は、回転ギヤ３４４ａ、回転ギヤ３３４ｂ、回転ギヤ３４４ｃの順に大きい。また、径が一番小さい回転ギヤ３４４ａは、カード挿入口２０２側に配置され、次に径の大きい回転ギヤ３３４ｂが所定の間隔をおいて配置されている。さらに、径の一番大きい３つの回転ギヤ３４４ｃが、それぞれ所定の間隔をおいて配置されている。
【０２２５】
ここで、搬送ベルト３４２には、突出部３４５が形成され、搬送ベルト３４２が回転したときに、カード処理機開壁部３４１ｂの内壁に接触しないように、カード処理機開壁部３４１ｂの内壁には、突出部３４５が通過できるように凹部３４６が形成されている。突出部３４５の突出高さは、非会員用ＩＣカード３１の厚さよりも若干小さい。
【０２２６】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部３４１ｂのカード通路側の壁に、非会員用ＩＣカード３１の縦横のサイズよりも大きな縦横サイズの凹部を形成することによって構成される。
【０２２７】
図３１に示すように、カード挿入口２０２は、重力方向に対して傾いて形成されている。また、図３４に示すように、カード挿入口２０２の傾きに対応して、カード貯留部２０４の凹部の底面は、その底面の壁部の厚さが重力方向に対して増加するように、重力方向に対して傾いて形成されている。さらに、カード通路も、カード挿入口２０２の傾きに対応して重力方向に対して傾いて形成されている。これによって、会員用ＩＣカード３０または非会員用ＩＣカード３１を搬送する搬送ベルト３４２、回転軸２３７などもカード挿入口２０２の傾きに対応して傾いて設置されている。なお、カード貯留部２０４に貯留されている非会員用ＩＣカード３１の底面を支えるカード貯留部２０４の側壁部の面は、重力方向に対して垂直な面、つまり水平面で構成されている。
【０２２８】
このように、カード貯留部２０４に貯留される非会員用ＩＣカード３１が、その下部をカード処理機本体３４１ａの内壁側に、その上部をカード支持板２０７側に位置させることで、カード排出部２１７に貯留されている非会員用ＩＣカード３１が、なだれ落ちるのを防止することができる。
【０２２９】
また、カード貯留部２０４の凹部の底面には、一端が凹部の底面に固定され、他端がカード支持板２０７に固定されたばね２３０が設けられている。また、カード貯留部２０４の凹部の底面およびその底面に対向するカード処理機本体３４１ａの内壁には、貯留カード空検知部３５０が設置され、一方が発光部、他方が受光部である。この貯留カード空検知部３５０は、カード貯留部２０４に非会員用ＩＣカード３１が貯留されていないことを検知するものである。貯留カード空検知部３５０には、例えば、光学的センサなどが用いられる。
【０２３０】
また、カード貯留部２０４の凹部の底面には、電磁石３５１が取り付けられている。また、カード支持板２０７の電磁石３５１と対向する位置には、金属板３５２が取り付けられている。なお、金属板３５２を構成する材料には、磁性体が用いられる。ここで、電磁石３５１を作動すると、金属板３５２は、電磁石３５１に引き付けられ、ばね２３０を押圧する方向（図３４では右方向）に移動する。そして、カード貯留部２０４に貯留されている非会員用ＩＣカード３１の一部をカード排出部２１７に導く。
【０２３１】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【０２３２】
次に、カード挿入口２０２から挿入された会員用ＩＣカード３０または非会員用ＩＣカード３１の搬送動作を図３６乃至４５を参照して説明する。ここで、図３６乃至３９および４３乃至４５には、図３４のＤ−Ｄ断面図が示され、図４０乃至４２には、図３１のＣ−Ｃ断面図が示されている。
【０２３３】
挿入検知センサ２０８が、カード挿入口２０２から会員用ＩＣカード３０または非会員用ＩＣカード３１が挿入されたことを検知すると、搬送ステップモータ２３６を駆動し、搬送ベルト３４２を作動させる（図３６）。
【０２３４】
会員用ＩＣカード３０または非会員用ＩＣカード３１は、搬送ベルト３４２によって、リーダライタ部２０３との情報のやり取り（交信）を行える位置（リードライト位置）まで搬送される。ここで、会員用ＩＣカード３０または非会員用ＩＣカード３１は、会員用ＩＣカード３０または非会員用ＩＣカード３１と搬送ベルト３４２との間の摩擦力によってすべることなく搬送される。そして、その情報のやり取り（交信）を行える位置（リードライト位置）に会員用ＩＣカード３０または非会員用ＩＣカード３１が搬送されたことが、位置セット検知センサ２０９によって検知されると、搬送ベルト３４２の動作が停止される（図３７）。
【０２３５】
会員用ＩＣカード３０または非会員用ＩＣカード３１の情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却（カード挿入口２０２へ返送）される。なお、会員用ＩＣカード３０が用いられた場合には、度数残高がゼロでもカード挿入口２０２から返却（カード挿入口２０２へ返送）される（図３８）。
【０２３６】
非会員用ＩＣカード３１が用いられた場合には、遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図３８）。
【０２３７】
一方、度数残高がゼロのときには、搬送ベルト３４２を再度作動し、非会員用ＩＣカード３１は、カード貯留部２０４に対向する位置まで搬送される（図３９）。
【０２３８】
カード貯留部２０４に対向する位置まで搬送するときには、図３７に示すように、カード貯留部２０４に貯留された非会員用ＩＣカード３１は、最大径の３つの回転ギヤ３４４ｃによって、その非会員用ＩＣカード３１の搬送方向奥側のほぼ半分の面が、上下２本の搬送ベルト３４２によって支持されている。このように支持されることによって、貯留された非会員用ＩＣカード３１のカード挿入口２０２側の面と、搬送ベルト３４２との間に、回転ギヤ３４４ｂの径と回転ギヤ３４４ｃの径の差に対応する隙間が形成される。
【０２３９】
搬送される非会員用ＩＣカード３１は、搬送ベルト３４２に搬送されてその隙間に挿入される。そして、非会員用ＩＣカード３１の先端部が、ばね２３０により回転ギヤ３４４ｃの方向に押圧される貯留された非会員用ＩＣカード３１と搬送ベルト３４２を介して回転ギヤ３４４ｃとが接触する位置に到達すると、搬送ベルトが回動しても搬送する非会員用ＩＣカード３１は搬送ベルト３４２に対し滑ってしまい一旦停止する。そして、移動してきた突出部３４５が非会員用ＩＣカード３１の後端部に当接し押圧して、非会員用ＩＣカード３１を貯留された非会員用カードＩＣ３１と搬送ベルト３４２を介して回転ギヤ３４４ｃとが接触する位置に押し込む。最終的には、突出部３４５は回動を続けて、カード貯留部２０４に対向する位置となるまで、非会員用ＩＣカード３１を、カード貯留部２０４に貯留される位置とするまで搬送する（図３９）。
【０２４０】
ここで、回転ギヤ３４４ａ、回転ギヤ３４４ｂ、回転ギヤ３４４ｃは、カード処理機本体３４１ａの内壁に対して、それぞれの回転面が直線的に配列されるのが好ましく、これによって、会員用ＩＣカード３０または非会員用ＩＣカード３１をスムーズに搬送することができる。また、回転ギヤ３４４ａ、３４４ｂ、３４４ｃと搬送ベルト３４２が滑らないようにするため搬送ベルト３４２はタイミングベルトであることが好ましい。
【０２４１】
一方、カード貯留部２０４への非会員用ＩＣカード３１の貯留量が増加すると、ばね２３０は、カード貯留部２０４の凹部の底面側に縮められ、貯留されている非会員用ＩＣカード３１もカード貯留部２０４の凹部の底面側に移動する（図４０）。
【０２４２】
そして、カード貯留部２０４に貯留された非会員用ＩＣカード３１が所定量を超えると、貯留された非会員用ＩＣカード３１のカード支持板２０７側の非会員用ＩＣカード３１がカード排出部２１７の開口部に達し、重力によりカード排出部２１７を落下し、カード回収部２１６に回収される（図４１）。このときに、電磁石３５１を作動し、金属板３５２を電磁石３５１に引き付け、非会員用ＩＣカード３１に対するばね２３０の押圧力を緩和してもよい。
【０２４３】
また、図４２に示すように、貯留された非会員用ＩＣカード３１のカード支持板２０７側の非会員用ＩＣカード３１に接するように、搬送タイヤ３４８を設けることもできる。搬送タイヤ３４８を設ける場合には、図３１に示すように、カード挿入口２０２は、重力方向に対して傾いて形成される必要がなく、図４２に示すように、重力方向に沿ってカード貯留部２０４、カード通路、搬送ベルト３４２、回転軸２３７などが形成される。
【０２４４】
搬送タイヤ３４８は、カード支持板２０７と同様に、カード貯留部２０４の凹部の底面に一端が固定されたばね３４９の他端に取り付けられ、カード貯留部２０４に貯留している非会員用ＩＣカード３１の貯留量によって押圧されて移動することができる。また、搬送タイヤ３４８は、ステップモータ（図示しない）の駆動力によって回転させられ、非会員用ＩＣカード３１をカード回収部２１６に導く。このように、搬送タイヤ３４８を設けることで、スムーズに非会員用ＩＣカード３１をカード排出部２１７に導くことができる。この場合、落下検知センサ２１０は、非会員用ＩＣカード３１が、カード排出部２１７を通過したことを検知し、その検知後、搬送タイヤ３４８の回転は停止される。
【０２４５】
ここで、電磁石３５１や搬送タイヤ３４８の駆動は、非会員用ＩＣカード３１がカード貯留部２０４に貯留される毎に行ってもよい。また、図２１に示した限界検知部２３１を、カード貯留部２０４の凹部の底面に取り付け、その限界検知部２３１の検知情報に基づいて、電磁石３５１や搬送タイヤ３４８を駆動させてもよい。
【０２４６】
次に、会員用ＩＣカード３０または非会員用ＩＣカード３１がカード挿入口２０２に挿入されずに、貨幣が貯留機構付き紙幣識別装置１９に挿入された場合について説明する。
【０２４７】
会員用ＩＣカード３０または非会員用ＩＣカード３１がカード挿入口２０２に挿入されずに、貨幣が貯留機構付き紙幣識別装置１９に挿入されると、搬送ベルト３４２は、カード挿入口２０２から会員用ＩＣカード３０または非会員用ＩＣカード３１を搬送路に導く場合の回転とは逆に回転させられる（図４３）。
【０２４８】
そして、搬送ベルト３４２の突出部３４５によって、カード貯留部２０４の開口側に貯留されている非会員用ＩＣカード３１をカード挿入口２０２側に押圧する。このとき突出部３４５に押圧された非会員用ＩＣカード３１は、カード貯留部２０４の開口部の一端に形成されたＲ部３４７によって、スムーズに搬送路に導かれる（図４４）。ここで、突出部３４５の突出高さは、非会員用ＩＣカード３１の厚さよりも若干小さくされているので、突出部３４５が、複数の非会員用ＩＣカード３１を押圧することはない。
【０２４９】
そして、非会員用ＩＣカード３１が、リーダライタ部２０３との情報のやり取り（交信）を行える位置（リードライト位置）まで搬送される（図４５）。
【０２５０】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から発行される（図３８）。
【０２５１】
一方、度数残高がゼロのときには、搬送ベルト３４２を再度作動し、非会員用ＩＣカード３１は、カード貯留部２０４に対向する位置まで搬送される（図３９）。  そして、再度、非会員用ＩＣカード３１は、カード貯留部２０４に貯留される。
【０２５２】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【０２５３】
また、図４６には、図３１に示したカード処理機の他の構成の一例を示す。なお、図４６は、図３１のＣ−Ｃ断面に対応する断面図が示されている。
【０２５４】
図４６に示されたカード処理機の一例では、カード貯留部２０４の凹部の底面は、その底面の壁部の厚さが重力方向に対して減少するように、重力方向に対して傾いて形成されている。また、その傾きに対応して、カード挿入口を含めたカード通路も、重力方向に対して傾いて形成されている。これによって、会員用ＩＣカード３０または非会員用ＩＣカード３１を搬送する搬送ベルト３４２、回転軸２３７、貯留されている非会員用ＩＣカード３１の底面を支えるカード貯留部２０４の側壁部の面なども同様に傾いて設置されている。
【０２５５】
カード貯留部２０４に貯留された非会員用ＩＣカード３１は、その貯留量が所定の量を超えると、カード排出部２１７に自動的に落下し、カード回収部２１６に回収される。
【０２５６】
このカード処理機の一例では、ばね２３０、カード支持板２０７、金属板３５２、電磁石３５１などを設けることなく構成することができるので、製作コストを削減することができる。
【０２５７】
（カード処理機８００の第３の実施の形態）
次に、カード処理機２００に替えて記憶媒体処理システム１に採用することができる、請求項３および請求項２０〜３２に対応する第３の実施の形態のカード処理機（カード処理装置）８００の説明をする。
【０２５８】
図６０は本第３の実施の形態に係るカード処理機８００の斜視外観図である。
【０２５９】
図６０に示すように、カード処理機８００の本体８０２は、シャーシー８０２ａと、シャーシー８０２ａの一側面の凹部に嵌合するよう設けられ、シャーシー８０２ａに対して開閉可能に設けられたドア部材８０２ｂとから成る。直方体をなす本体８０２には、その端面に設けられ、非会員用ＩＣカード３１等のカード形状記憶媒体Ｃ（以下、単にカードＣと呼ぶ）を受け入れるカード挿入口８０４と、内部のカード搬送路８０６（図６０には図示せず）を介してカード挿入口８０４と連通し、下方に向かって開口するカード排出口８０８とが形成されている。カード挿入口８０４、カード搬送路８０６、およびカード排出口８０８は、ドア部材８０２ｂが閉められた状態で、シャーシー８０２ａとドア部材８０２ｂとの間に、カードＣの厚さより若干幅広の細隙状に形成され、カードＣがその板面に平行な方向に通過可能となっている。
【０２６０】
カード排出口８０８の下方には、図示しないカード回収庫が設けられ、カード処理機８００はカードＣをカード排出口８０８から排出することで、カードＣをカード回収庫内に回収することができる。
【０２６１】
また、本体８０２の外面には、接続端子部８３４が設けられ、カード処理機８００は、例えば貨幣識別装置や玉貸し装置等の、他の機器とデータを送受信可能に設けられる。送受信の処理は、本体８０２内部に設けられた、ＣＰＵやメモリを備えＲＯＭ等に記憶されたファームウェアプログラムを実行可能な、図示しない制御部によって行われる。
【０２６２】
図６１〜図６３は、本第３の実施の形態に係るカード処理機８００の構成を示す説明図である。
【０２６３】
図６１は、ドア部材８０２ｂを取り外した本体８０２（すなわちシャーシー８０２ａ）を、ドア部材８０２ｂが取り付けられる側面の側からみた説明図である。なお、図６１上、破線で示された部材は、シャーシー８０２ａの外観からは見られない、シャーシー８０２ａ内部の構成部材を表す。
【０２６４】
図６２は、図６１の本体８０２のＸ−Ｘ断面を、本体８０２の底面側からみた説明図である。図６３は、本体８０２を、図６１の左側からみた説明図である。
【０２６５】
なお、図６２および図６３においては、シャーシー８０２ａにドア部材８０２ｂが取り付けられている状態を示している。
【０２６６】
図６２に示すように、ドア部材８０２ｂは、その一端側に設けられた軸８１０により回動自在にシャーシー８０２ａに軸支され、シャーシー８０２ａに対し開閉自在に設けられる。ドア部材８０２ｂの軸８１０が設けられた前記一端側の反対側の他端側には、ラッチ構造（図示せず）が設けられ、ラッチ構造によりドア部材８０２ｂは閉まった状態でロック可能に設けられる。
【０２６７】
図６１に示すように、カード搬送路８０６は、カード挿入口８０４と連通し、本体８０２の奥方向（図６１上では右方向）に延びている。カード搬送路８０６の奥側（図６１上では右側）は、下方に開口するカード排出口８０８と連通している。
【０２６８】
カード排出口８０８は、図６２に示すように、カード搬送路８０６のドア部材２ｂ側の側壁と連続する壁部と、その壁部と対向してシャーシー８０２ａ側に設けられた振り分け案内部としての振り分け案内板８１４との間に形成されている。
【０２６９】
カード排出口８０８の、振り分け案内板８１４を挟んで反対側には、振り分け案内板８１４とシャーシー８０２ａの壁部との間に、カードＣの数枚分（例として６枚分）の厚さの幅の空間が、カード貯留庫８１２として形成されている。
【０２７０】
言い換えると、カード排出口８０８とカード貯留庫８１２とは並列して設けられ、板状の振り分け案内板８１４が、カード排出口８０８とカード貯留庫８１２との間に、カード排出口８０８とカード貯留庫８１２との仕切り壁として設けられている。
【０２７１】
次にカード搬送部について説明する。
【０２７２】
図６１に示すように、カード搬送路８０６の片側の側壁を形成する、シャーシー８０２ａの側壁には、カードＣの進行方向（搬送方向）に細長の開口部８２０が形成され、開口部８２０の両端部に配置されたプーリー８１８ａとプーリー８１８ｂ間に掛け渡されたタイミングベルト８１６が、開口部８２０からカード搬送路８０６側へやや突出するように配設されている。カード搬送路８０６の奥側に位置するプーリー８１８ａは、シャーシー８０２ａに軸８２２を介して回転自在に軸支されている。軸８２２の一端側には、大歯車８２４が、カード搬送部の駆動源としてのステッピングモータ８２６の回転軸に固定されたピニオン８２６ａと歯合して設けられている。
【０２７３】
この構成により、ステッピングモータ８２６が回転駆動することで、駆動ローラーとしてのプーリー８１８ａが回転駆動され、伴ってタイミングベルト８１６がカード搬送路８０６に沿って駆動する。
【０２７４】
また、カード搬送路８０６の、前記片側の側壁に対向する、ドア部材８０２ｂ側の側壁からは、図６２に示すように、プーリー８１８ａおよびプーリー８１８ｂのそれぞれに対応する位置に、回転自在の挟圧ローラー８２８ａ，８２８ｂが、カード搬送路８０６側にやや突出して設けられる。
【０２７５】
プーリー８１８ａおよびプーリー８１８ｂは、その回転軸がトーションバネ８３２によってそれぞれ挟圧ローラー８２８ａ，８２８ｂ側に付勢されることで、挟圧ローラー８２８ａ，８２８ｂにタイミングベルト８１６を挟んで圧接される。トーションバネ８３２は、シャーシー８０２ａの内部に固定された支持材８３０に取り付けられている。
【０２７６】
プーリー８１８ａおよびプーリー８１８ｂ（タイミングベルト８１６）に圧接されることにより、挟圧ローラー８２８ａ，８２８ｂは、プーリー８１８ａ，８１８ｂおよびタイミングベルト８１６に伴って回転される。
【０２７７】
なお、本第３実施の形態においては、プーリー８１８ａ，８１８ｂを挟圧ローラー８２８ａ，８２８ｂ側へ付勢して圧接させる構成を採ったが、逆に、挟圧ローラー８２８ａ，８２８ｂをプーリー８１８ａ，８１８ｂ側へ付勢して圧接させるよう構成してもよい。
【０２７８】
ステッピングモータ８２６は、前記制御部によって、正逆転駆動および停止等の駆動が制御される。それに伴い、プーリー８１８ａ，８１８ｂ、タイミングベルト８１６、および挟圧ローラー８２８ａ，８２８ｂも正逆転および停止制御される。
【０２７９】
上記制御部、ステッピングモータ８２６、ピニオン８２６ａ、大歯車８２４、軸８２２、プーリー８１８ａ，８１８ｂ、タイミングベルト８１６、および挟圧ローラー８２８ａ，８２８ｂにより、カードＣを搬送するカード搬送部が構成される。
【０２８０】
次にデータリードライト部について説明する。
【０２８１】
図６１に示すように、カード搬送路８０６の側壁内部には、ＩＣカード等のカードＣとデータを送受信して、カードＣからデータを読み取ったり、カードＣにデータを書き込んだりするカードリーダライタとしての、コイル状のアンテナ部８３６が設けられる。アンテナ部８３６がカードＣから読み取ったデータは前記制御部に送られる。また、制御部はアンテナ部８３６を介してカードＣにデータを書き込むことができる。制御部およびアンテナ部８３６により、データリードライト部が構成される。
【０２８２】
図６４は、カードＣが、アンテナ部８３６とデータを送受信可能なリードライト位置に位置している状態を示す説明図である。図６４に示すように、本第３の実施の形態においては、カードＣのリードライト位置は、リードライト位置に位置するカードＣの先に挿入された奥部が、振り分け案内板８１４のカード排出口８０８側に重なる位置に設定されている。
【０２８３】
次に、振り分け案内部としての、板状の振り分け案内板８１４について説明する。
【０２８４】
図６５に、振り分け案内板８１４の底面拡大図（図６１のＸ−Ｘ断面。ただし図６５ではドア部材８０２ｂあり）を示す。なお、図６５においては、説明に不要な部材は省略している。図６５（ａ）から分かるように、振り分け案内板８１４は、カード排出口８０８とカード貯留庫８１２との間に、カード排出口８０８とカード貯留庫８１２との仕切り壁として、カード搬送路８０６を搬送されるカードＣの板面とほぼ平行に設けられている。
【０２８５】
振り分け案内板８１４の、カードＣの導入側の一端部８１４ｘの拡大説明図を、図６６に示す。振り分け案内板８１４の上下縁部（カードＣの搬送方向に沿った両縁部）には、カード貯留庫８１２側にほぼ直角に折れ曲がって形成された折れ曲がり部８１４ａ（上縁側は図示せず）が設けられている。言い換えると、振り分け案内板８１４は、カードＣの搬送方向に直交する断面が、コの字状となるよう形成されている。また、振り分け案内板８１４に対向する、カード貯留庫８１２の側壁には、折れ曲がり部８１４ａが入り込む溝部（図示せず）が形成されている。
【０２８６】
また、振り分け案内板８１４の一端部８１４ｘ側には、折れ曲がり部８１４ａから内側（上方）に、振り分け案内板８１４の板面と平行に突出して延び、振り分け案内板８１４のカード貯留庫８１２側の板面との間に、カードＣが一枚のみ通過可能な幅（即ち、カードＣの一枚分の厚さ以上、かつ二枚分の厚さ未満の幅）の隙間を形成する、カード通過規制部としての円筒形の邪魔ピン８１４ｂが設けられている。
【０２８７】
また、図６５に示すように、邪魔ピン８１４ｂのカード貯留庫８１２側は、カード貯留庫８１２に貯留されたカードＣが出庫される時、そのカードＣを前記隙間に案内するための面取りがなされている。面取りは、その稜線の一方が、邪魔ピン８１４ｂと振り分け案内板８１４との距離が最も短くなる箇所にくるよう設定され、その稜線からカード貯留庫８１２側に向かって斜めに切り落としたようになされる。また、振り分け案内板８１４の一端部８１４ｘがカード貯留庫８１２側の側壁の受け部８０２ａａに当接する位置にあるときに、プーリー８１８ａの周りのタイミングベルト８１６の外周をプーリー８１８ａの軸線方向に延長したとした半円筒内に邪魔ピン８１４ｂが収まるように、前記面取りは形成される。
【０２８８】
また、図６６に示すように、振り分け案内板８１４の一端部８１４ｘは、プーリー８１８ａ（駆動ローラー）および挟圧ローラー８２８ａ（図６６には図示せず）と重なる位置に配設され、振り分け案内板８１４の一端部８１４ｘには、プーリー８１８ａ（駆動ローラー）および挟圧ローラー８２８ａをよける切り欠き部８１４ｃが形成されている。
【０２８９】
また、図６５に示すように、振り分け案内板８１４の、前記一端部８１４ｘの反対側の他端部８１４ｙ寄りには、対向する（上下の）両折れ曲がり部８１４ａのそれぞれの一部から延びる延出部８１４ｄが形成される。振り分け案内板８１４は、延出部８１４ｄに設けられた開口部を貫通する、カードＣの搬送方向に垂直かつ搬送されるカードＣの板面と平行な回転軸８１４ｅに軸支されて、回動（移動）可能に設けられる。
【０２９０】
また、振り分け案内板８１４の、回転軸８１４ｅよりも前記他端部８１４ｙ側は、本体８０２から突出している。他端部８１４ｙは、シャーシー８０２ａに固定された支持部材８３８上の、付勢部材としてのバネ８４０によって、カード貯留庫８１２からカード排出口８０８へ向かう方向（図６５（ａ）では上方）に向かって付勢されている。これにより、振り分け案内板８１４の、他端部８１４ｙの回転軸８１４ｅを挟んで反対側の一端部８１４ｘ側は、カード排出口８０８からカード貯留庫８１２へ向かう方向（図６５（ａ）では下方）に向かって付勢されることとなる。振り分け案内板８１４の一端部８１４ｘは、シャーシー８０２ａのカード搬送路８０６を形成する側壁部の、受け部８０２ａａに当接して止められている。
【０２９１】
次に、振り分け案内板８１４を変位させる案内部駆動手段としての案内板駆動手段について説明する。
【０２９２】
支持部材８３８に隣接して（図６５（ａ）では支持部材８３８奥方向に隣接して）、電磁石８４２が設けられる。電磁石８４２は、前記制御部によって通電、非通電が切り替えられる。
【０２９３】
制御部が電磁石８４２に通電した時には、電磁石８４２は、鉄やステンレス等の金属板で構成された振り分け案内板８１４の前記他端部８１４ｙを、バネ８４０の付勢力に抗してカード貯留庫８１２へ向かう方向（図６５（ａ）では下方）に向かって引きつける。これにより、図６５（ｂ）に示すように、一端部８１４ｘ側は、カード排出口８０８側（図６５（ｂ）では上方）へ移動され、ドア部材８０２ｂのカード搬送路８０６を形成する側壁部の、受け部８０２ｂａに当接する。
【０２９４】
また、制御部が電磁石８４２の通電を止めた時には、電磁石８４２による振り分け案内板８１４の引きつけ力が働かなくなるため、振り分け案内板８１４の他端部８１４ｙは、バネ８４０の不勢力によって、カード排出口８０８へ向かう方向（図６５（ｂ）では上方）に向かって移動され、他方、他端部８１４ｙの反対側の一端部８１４ｘ側は、カード貯留庫８１２へ向かう方向（図６５（ｂ）では下方）に向かって移動されて、一端部８１４ｘは受け部８０２ａａに当接する、図６５（ａ）の位置に復帰する。
【０２９５】
制御部、バネ８４０および電磁石８４２により、振り分け案内板８１４を駆動する案内板駆動手段が構成される。
【０２９６】
なお、振り分け案内板８１４の前記他端部８１４ｙ側には、振り分け案内板８１４本体よりも肉厚の、鉄やステンレス等の金属板８１４ｆを取り付け、電磁石８４２による吸着力を高めるとよい。
【０２９７】
なお、振り分け案内板８１４の本体と金属板８１４ｆとの間には、キック板８４４が設けられるが、これについては後述する。
【０２９８】
また、振り分け案内板８１４の、前記一端部８１４ｘ寄りの中途部には、カード貯留庫８１２側に突出する凸部８１４ｇが形成される（図６１および図６８参照）。凸部８１４ｇは、カードＣが新たにカード貯留庫８１２に貯留される際に、カード貯留庫８１２に既に貯留されているカードＣに当接することで、振り分け案内板８１４とカード貯留庫８１２に既に貯留されているカードＣとの間に、新たに貯留されるカードＣが進入可能な間隙を生じさせる作用をもつ。
【０２９９】
なお、凸部８１４ｇのより詳細な作用については、後述するカード処理機８００の動作説明の中で述べる。
【０３００】
また、カード処理機８００は、図６８に示すように、カード貯留庫８１２内のカードＣの、カード貯留庫８１２の奥側の端部側を、振り分け案内板８１４に向かって押し付ける付勢部材としての板バネ８５２を備える。板バネ８５２は、カード貯留庫８１２を画成するシャーシー８０２ａの側壁に一端が固定され、他端はカード貯留庫８１２の奥側に向かって延び、振り分け案内板８１４に向かって付勢している。
【０３０１】
次に、カード取り出し手段を構成する押し出し部材としてのキック板８４４について説明する。
【０３０２】
キック板８４４は、図６８に示すように、カードＣの厚さよりも若干薄い平板状に形成され、振り分け案内板８１４の他端部８１４ｙ側の、振り分け案内板８１４の本体のカード貯留庫８１２側の板面と金属板８１４ｆとの間に配設される。
【０３０３】
キック板８４４には、その板面から、その板面に垂直な方向に延びるピン８４４ａが設けられる。図６１に示すように、ピン８４４ａが、振り分け案内板８１４本体に、カードＣの搬送方向に細長く形成された溝部８１４ｈを貫通することで、キック板８４４は、振り分け案内板８１４のカード貯留庫８１２側の面に沿って、搬送方向に摺動可能に設けられる。
【０３０４】
図６１に示すように、キック板８４４に固定されたピン８４４ａは、軸８５０ａにより回動自在に軸支されたレバー８５０に連繋され、レバー８５０の回動により、搬送方向に往復摺動可能となっている。レバー８５０は、シャーシー８０２ａの基体にに連続するベース部８４６上に固定されたプランジャー型ソレノイド８４８の往復駆動部８４８ａにより回動駆動される。プランジャー型ソレノイド８４８は、前記制御部によって駆動制御される。
【０３０５】
なお、キック板８４４の作用については、後述するカード処理機８００の動作説明の中で詳述する。
【０３０６】
また、図６１に示すように、カード搬送路８０６を形成するシャーシー８０２ａの側壁には、挿入または搬送されるカードＣを検出する、カード検出手段としてのフォトセンサ８５４，８５６が設けられる。フォトセンサ８５４は、カード搬送路８０６のカード挿入口８０４寄りに設けられる。フォトセンサ８５６は、振り分け案内板８１４のカードＣの導入側端部８１４ｘの近くに、振り分け案内板８１４のもう一つの切り欠き部８１４ｉを通してカードＣを検出可能に配設される。フォトセンサ８５４，８５６によるカードＣの有無の検出状態は、前記制御部に伝達される。
【０３０７】
次に、カード処理機８００の動作について説明する。
【０３０８】
以下の動作の説明の前提として、カード処理機８００は、パチンコ玉等の遊技媒体の貸し出しシステムに用いられ、パチンコ店（遊技店）のパチンコ台間の台間玉貸し機に組み込まれ、貨幣識別装置や、パチンコ玉（遊技媒体）を貸し出すべく排出する玉貸し装置等と通信可能に接続されているものとする。カード処理機８００の制御部は、前記接続端子部８３４（図６０参照）を介して、貨幣識別装置からは遊技者が投入した貨幣分の有価価値情報を受信でき、また玉貸し装置に対しては任意の有価価値分のパチンコ玉を排出するよう、コマンドや情報を送信することができるものとする。
【０３０９】
また、カード処理機８００が扱うカードＣには、金額や貸し出し可能玉数等の有価価値を特定可能な有価価値特定情報が記憶されているものとする。
【０３１０】
有価価値特定情報は、例えば、金額や貸し出し可能玉数等の有価価値を直接表す情報であってもよいし、各カードＣに固有のＩＤ番号であってもよい。
カードＣには、有価価値特定情報として、金額情報が直接記憶されているものとする。
【０３１１】
なお、有価価値特定情報が各カードＣに固有のＩＤ番号である場合には、例えば、遊技店内や遊技店経営会社内に設置された管理コンピュータに、各カードＣのＩＤ番号と、金額や貸し出し可能玉数等の有価価値を表す情報とを、関連付けて記憶させておき、台間玉貸し機がその管理コンピュータと通信して、有価価値を特定および更新できるよう、遊技媒体の貸し出しシステムを構成すればよい。
【０３１２】
カード処理機８００の動作の説明に移る。
【０３１３】
図６１において、遊技者等がカード挿入口８０４からカードＣを差し込むと、フォトセンサ８５４がカードＣを検出して制御部がカード挿入を認識する。制御部はステッピングモータ８２６を制御してタイミングベルト８１６を搬送方向（カード搬送路８０６の奥方向）に駆動させる。カードＣは挟圧ローラー８２８ａ，８２８ｂとタイミングベルト８１６との間に挟圧されて、カード搬送路８０６内を搬送される。
【０３１４】
ここで、振り分け案内板８１４は、図６５（ａ）に示すように、通常（すなわち電磁石８４２に通電を行わない状態では）、バネ８４０の付勢力によりカードＣの進入側の端部８１４ｘがカード貯留庫８１２側の側壁の受け部８０２ａａに当接した位置で止まっている。この状態で、カードＣを図６４のリードライト位置まで搬入させると、図６７に示すように、カードＣの搬送方向先端側は、振り分け案内板８１４のカード排出口８０８側の面に沿って進行する。
【０３１５】
制御部は、奥側のフォトセンサ８５６（図６１参照）がカードＣ先端を検出してからのステッピングモータ８２６の回転角度（ステップ数）を制御することで、カードＣをリードライト位置に正確に位置決めすることができる。なお、カード搬送部の駆動源として直流モータを用いた場合には、ロータリーエンコーダを使用すれば、カードＣの正確な搬送位置精度を確保することができる。
【０３１６】
続いて、制御部は、アンテナ部８３６を介してカードＣと通信を行い、カードＣに記憶された金額情報を読み取り、その金額情報で許される範囲内の所定数のパチンコ玉を排出するよう指示するコマンドを、図示しない玉貸し装置に送信する。玉貸し装置は、指示された分のパチンコ玉を排出し、遊技者は遊技を行うことができる。
【０３１７】
制御部は、カードＣに記録されていた金額情報から、排出したパチンコ玉分の金額を差し引いて求めた差し引き金額情報を、アンテナ部８３６を介してカードＣに再記録して、カードＣの金額情報を更新する。
【０３１８】
ここで、カードＣの更新された金額情報が０となる前に、即ち残金がある状態で、遊技者が遊技を止めた場合には、制御部は、カードＣをカード挿入口８０４外へ排出する制御を行い、カードＣを遊技者に返却する。この制御は、ステッピングモータ８２６を、カードＣをカード挿入口８０４からリードライト位置へと導いた際とは逆方向に逆転させて、タイミングベルト８１６等を逆転させることで行うことができる。
【０３１９】
他方、カードＣの更新された金額情報が０となった状態で、遊技者が遊技をやめた場合、制御部は、カードＣをカード貯留庫８１２または前記カード回収庫（図示せず）内に回収する処理を行う。これは、金額情報が０となったカードＣが遊技者の手に渡らないようにし、カードＣの金額情報が不法に書き換えられて再利用されるといった犯罪を防ぐ目的と、カードＣを確実に再利用する目的とからである。制御部は、カード貯留庫８１２内が満杯、すなわちカード貯留庫８１２内に貯留可能枚数（本第３の実施の形態では６枚）分のカードＣが既に貯留されているか否かを判断する。この判断は、カード貯留庫８１２にカードＣが搬入出される度にインクリメントまたはデクリメントされる、メモリ上の貯留数カウンタの値を判定することで行われる。この判定の結果、カード貯留庫８１２が満杯だった場合には、制御部は、カードＣをカード排出口８０８外に搬送してカードＣを排出し、カード回収庫に回収させる制御を行う（詳細は後述する）。一方、前記判定の結果、カード貯留庫８１２が満杯でない場合には、制御部は、カードＣをカード貯留庫８１２内に搬入する制御を行い（詳細は後述する）、前記貯留数カウンタをインクリメントする。
【０３２０】
なお、カード貯留庫８１２の前記貯留可能枚数は、物理的にカード貯留庫８１２内に貯留可能なカードＣの上限枚数に設定してもよいし、物理的にはある程度の余裕を持たせて、上限枚数より少なめに設定してもよい。即ち、カード貯留庫８１２が満杯な状態とは、カード貯留庫８１２内のカードＣの枚数が、設定された前記貯留可能枚数に達した状態を言い、必ずしもカード貯留庫８１２に新たにカードＣを貯留することが物理的に不可能な状態のみを指すわけではない。
【０３２１】
制御部の、カードＣをカード排出口８０８から排出する制御は、ステッピングモータ８２６を制御してタイミングベルト８１６を搬送方向に、カード排出口８０８に向かって駆動させることで行うことができる。この制御により、カードＣは、図６７に示した位置を経てさらにカード搬送路８０６の奥方向（カード排出口８０８側）に搬送され、カードＣの搬送方向後端部がタイミングベルト８１６（プーリー８１８ａ、挟圧ローラー８２８ａ）を過ぎた時点で、重力によって下方に開口するカード排出口８０８から落下し、図示しない前記カード回収庫内に回収される。
【０３２２】
次に、制御部の、カードＣをカード貯留庫８１２内に搬入する制御につき説明する。カードＣのリードライト位置は、図６４に示すように、カードＣの先端側が、振り分け案内板８１４のカード排出口８側に重なる位置となっている。
【０３２３】
ここから、カードＣをカード貯留庫８１２内に導くには、制御部は、カードＣを、前記カード搬送部により一旦振り分け案内板８１４による分岐位置よりも前に戻した後、振り分け案内板８１４を位置制御して、振り分け案内板８１４に対して反対側のカード貯留庫８１２へ搬送させる。
【０３２４】
すなわち制御部は、まず、ステッピングモータ８２６を制御して、カードＣをカード挿入口８０４側に、搬送方向に逆行するよう搬送し、カードＣの奥側端部が、振り分け案内板８１４の端部８１４ｘよりもカード挿入口８０４側に位置するまで（即ち、振り分け案内板８１４による分岐位置よりも前の位置に）移動させる。
【０３２５】
続いて、図６５（ｂ）に示すように、電磁石８４２に通電制御を行い、振り分け案内板８１４の端部８１４ｘがカード排出口８０８側の側壁の受け部８０２ｂａに当接するよう位置制御する。ここで、図６８（ａ）に示すように、カード貯留庫８１２内に既に貯留されているカードＣａは、そのカード貯留庫８１２奥側の端部が板バネ８５２により振り分け案内板８１４に圧接され、カード貯留庫８１２の導入側の端部側には振り分け案内板８１４の凸部８１４ｇが当接するため、カード貯留庫８１２の導入側においては、振り分け案内板８１４とカード貯留庫８１２に既に貯留されているカードＣａとの間には間隙８５８が生じている。続いて、ステッピングモータ８２６を制御して、カードＣを搬送方向（カード搬送路８０６の奥方向）へ搬送することにより、カードＣの搬送方向先端部は振り分け案内板８１４に案内されて、カード貯留庫８１２側に進入する（図６８（ｂ））。この際、カードＣは、間隙８５８に進入する。もし凸部８１４ｇおよび板バネ８５２がなければ、カード貯留庫８１２に既に貯留されているカードＣａの位置は安定しないため、カードＣが、カードＣａの端部に当たって引っ掛かり、カード貯留庫８１２内にスムーズに進入することができないといった不具合が生じる場合がある。
【０３２６】
このようにカードＣの搬送方向先端側をカード貯留庫８１２側へ案内させた後、制御部は、電磁石８４２の通電を切り、振り分け案内板８１４の端部８１４ｘをカード貯留庫８１２側へ移動するよう制御する。これにより、振り分け案内板８１４は、カードＣをカード貯留庫８１２側のタイミングベルト８１６を介してプーリー８１８ａ（駆動ローラー）に圧接させる。こうすることにより、図６８（ｃ）のように、プーリー８１８ａ（駆動ローラー）は、タイミングベルト８１６を介して、カードＣの搬送方向後端部に至るまで、カードＣに好適に当接し、カードＣをカード貯留庫８１２内に残らず送りきることができるのである。
【０３２７】
さらに、プーリー８１８ａおよび挟圧ローラー８２８ａは、振り分け案内板８１４と重なる位置に配設されているため、カードＣをカード貯留庫の内方に確実に送りきることができるのである。
このようにして、搬入されたカードＣは、カード貯留庫８１２内に積層されて貯留される。
【０３２８】
なお、リードライト位置が、リードライト位置に位置するカードＣが、振り分け案内板８１４のカード排出口８０８側に重なる位置に設定されていることにより、リードライト位置のカードＣと振り分け案内板８１４とが重ならなずに搬送方向に直列に並ぶよう設定されている場合に比較して、カード処理機８００の搬送方向の長さを短く設計することが可能となり、装置の小型化が図れる。
【０３２９】
もちろん、リードライト位置を、リードライト位置に位置するカードＣが、振り分け案内板８１４のカード貯留庫８１２側に重なる位置に設定してもよい。この場合に、リードライト位置のカードＣを、振り分け案内板８１４に対して反対側のカード排出口８０８側に導く際には、同様に、カードＣを、前記カード搬送部により一旦振り分け案内板８１４による分岐位置よりも前に戻した後、振り分け案内板８１４を位置制御して、振り分け案内板８１４に対して反対側のカード排出口８０８へ搬送させる。
【０３３０】
次に、台間玉貸し機に設けられた貨幣識別装置に貨幣が投入された場合の、カード処理機８００の動作について説明する。
【０３３１】
遊技者が、遊戯中に貨幣識別装置に貨幣を投入し、その際に、既にカード処理機８００内のリードライト位置にカードＣがある場合、制御部はそのカードＣの金額情報に、投入された貨幣の金額分を足し合わせて、カードＣの金額情報を、その足し合わせて求められた新たな金額情報に書き換える。これにより、遊技者は、その新たな金額分のパチンコ玉を借り受けることが可能となる。
【０３３２】
一方、遊技者が、カードＣを持たずに（即ちカード処理機８００にカードＣを挿入せずに）貨幣識別装置に貨幣を投入した場合や、挿入したカードＣがカード貯留庫８１２やカード回収庫に回収されてしまった後で貨幣識別装置に貨幣を投入した場合には、制御部は、カード貯留庫８１２内に貯留されているカードＣを、カード取り出し手段により、一枚あて、リードライト位置まで搬送して、そのカードＣに投入された金額分の金額情報を書き込んで、遊技を可能とする。
【０３３３】
カード貯留庫８１２からカードＣを一枚あてリードライト位置まで移動させる際の、制御部の制御を説明する。
【０３３４】
まず、制御部は、まずタイミングベルト８１６を、搬送方向に逆行、即ち、カード搬送路８０６側からカード挿入口８０４側へ向かうよう、逆駆動させる。続いて、プランジャー型ソレノイド８４８を通電駆動させ、図６９に示すように、キック板８４４を、カード貯留庫８１２内へ向けて移動させる。一方、カード貯留庫８１２内のカードは、そのカード貯留庫８１２の奥側、すなわちキック板８４４側の端部が、板バネ８５２により振り分け案内板８１４に向けて付勢されることで、最も振り分け案内板８１４側のカードＣは振り分け案内板８１４に接触して位置している。従って、カードＣの厚さよりも若干薄く形成され、振り分け案内板８１４に沿って移動するキック板８４４は、最も振り分け案内板８１４側のカードＣの端面に当接して、カードＣをカード貯留庫８１２の外側へ向かって移動させることとなる。そのカードＣのもう一方の端部は、図６９に示すように、邪魔ピン８１４ｂの面取り面に案内されて、振り分け案内板８１４と邪魔ピン８１４ｂとの間を通過し、タイミングベルト８１６と挟圧ローラー８２８ａとの間に挿入される。これにより、カードＣはカード搬送部により搬送されて、リードライト位置まで搬送される。また、制御部は、前記貯留数カウンタをデクリメントする。
【０３３５】
なお、このとき、キック板８４４または移動されるカードＣとの間の摩擦力等によって、カード貯留庫８１２内の他のカードＣａまでもがカード貯留庫８１２外へ出て、複数のカードＣ，Ｃａがカード搬送部に搬送されてしまう不具合が懸念されるが、邪魔ピン８１４ｂと振り分け案内板８１４との間の隙間は、カードＣ，Ｃａの２枚分の厚さよりも狭く設定されているため、その隙間を通過してカード搬送部に当接するカードＣは必ず一枚のみとなり、懸念される前記不具合は発生し得ない。
【０３３６】
カード搬送部により再搬送されたカードＣは、リードライト位置に搬送可能され、貨幣識別装置に投入された前記貨幣の金額分の金額情報が書き込まれ、遊技者の遊技に供される。
【０３３７】
その後、遊技者が遊技を終えた際には、このリードライト位置のカードＣに対して、カード挿入口８０４から発行、カード貯留庫８１２に再格納、またはカード回収庫に回収される等の処理が可能であることは言うまでもない。
【０３３８】
本第３の実施の形態に係るカード処理機８００によれば、カード貯留庫８１２に貯留したカードＣを発行することができるため、貨幣識別装置に投入された貨幣分の残高を、カード貯留庫８１２に貯留されているカードＣに書き込んで発行させるといった機能を実現することができる。つまり、台間玉貸し機に、投入された貨幣分の残高を書き込んだカードＣを発行させる機能を実現させることができる。
【０３３９】
さらに、カード処理機８００によれば、カード貯留庫８１２に入りきらないカードＣは、カード排出口８０８から排出して落下させることによりカード処理機８００の下方の回収庫に回収させる構成を採用しているため、カード貯留庫８１２が満杯となっても、店員がカード貯留庫８１２からカードＣを取り出す等の処置を行う必要がなく手間が省けると共に、常に台間玉貸し機を運転させておくことが可能となる。また、回収庫の体積を大きくとって多くのカードＣを回収できるよう構成でき、また、回収庫の開閉を容易に構成して、店員等による回収庫のカードＣの収集を容易にすることができる。
【０３４０】
さらに、カード処理機８００によれば、単純な機構で構成できるため、小型化および薄型化が容易である。そのため、本カード処理機８００を非会員カード処理部（記憶媒体処理部）として台間機に採用すれば、パチンコ台間等の狭い設置スペースに合わせて台間機を小型化および薄型化することが容易に行え、既存の４ｃｍ幅のパチンコ台間に設置可能であり、パチンコ店舗内の島幅の設計変更等を要することなく、パチンコ台間に台間機を設置でき、遊技システムの導入コストを抑えることが可能となる。
【０３４１】
また、カード処理機８００は、単純な機構で構成できるため、それを採用する台間機、延いては遊技システムの製造および導入コストを抑えることができる。
【０３４２】
さらに、カード処理機８００は、単純な機構で構成できるため、カード処理機８００ならびにカード処理機８００を採用した台間機および遊技システムは、故障や誤動作が少なく、従って、故障や誤動作により、営業中に遊技媒体の貸し出しが滞ったり、店員等による操作やメンテナンスが必要となったりするのを抑えることができる。
【０３４３】
ところで、本第３実施の形態に係るカード処理機８００においては、カード貯留庫８１２に貯留可能なカードＣの枚数を６枚に設定しているが、従来の一般的なパチンコ店等の遊技店において、従来の台間玉貸し機で、新たに発行されるカードと、挿入されて回収されるカードとの差し引き枚数を統計した結果、一日の営業中に、新たに発行されるカードが、挿入されて回収されるカードよりも７枚以上多いということはほとんど発生しないことを、本願発明者らは確認している。即ち、一般的な台間玉貸し機に使用する場合には、カード貯留庫８１２には、６枚程度のカードＣの貯留があれば十分である。
【０３４４】
もちろん、本発明のカード処理装置において、カード貯留庫のカード貯留可能枚数は、６枚程度に限定されるものではなく、その枚数は用途に応じて適宜変更可能な設計事項である。
【０３４５】
なお、本第３実施の形態に係るカード処理機８００においては、カード形状記憶媒体に記録された有価価値特定情報が０の場合に、カード形状記憶媒体を回収または貯留するよう構成したが、本発明のカード処理装置はこの用途に限定されない。例えば、有価価値情報が不法に書き換えられてたり、カード形状記憶媒体の記憶手段が故障したりしているのを検出した場合に、カード形状記憶媒体を回収（排出）するよう構成してもよい。
【０３４６】
また、本第３実施の形態に係るカード処理機８００では、本発明に係るカード処理装置を、台間玉貸し機に組み込んで使用しているが、本発明に係るカード処理装置はこれに限定されず、カード形状記憶媒体からのデータの読み取りおよび／または該カード形状記憶媒体へのデータの書き込みを行う用途であれば、あらゆる用途に使用することができる。
【０３４７】
（計数機９）
図４７は、計数機９の外観を示す斜視図、図４８は、計数機９の構成部を示す図、図４９は、計数機９における動作の流れを示す図である。
【０３４８】
まず、図４７を参照して、計数機９の構成について説明する。
【０３４９】
図４７には、計数機９の斜視図が示されており、カード挿入口９ａ、遊技媒体投入部９ｂ、全部ボタン９ｃ、計数結果表示部９ｄ、返却ボタン９ｅ、レシート発券口９ｆから主に構成されている。
【０３５０】
計数機９は、パチンコ玉またはメダルの数量を計数するものである。会員用ＩＣカード３０のみを受け入れるカード挿入口９ａに会員用ＩＣカード３０が挿入された場合には、会員用ＩＣカード３０に記憶されたＩＤを読み取り、計数された計数値が貯玉数としてそのＩＤに基づき管理装置１３に記憶される。また、計数機９では、会員用ＩＣカード３０の利用によって付与されるポイントを、例えば、玉数として還元し、計数機９によって計数された玉数にその還元された玉数を加算することもできる。
【０３５１】
一方、会員用ＩＣカード３０がカード挿入口９ａに挿入されない場合には、計数された情報を、例えば、バーコードとしてレシートに記録し、そのレシートがレシート発券口９ｆから発行される。また、このレシートには、簡易管理用ＩＤが記録され、その簡易管理用ＩＤは、そのレシートを用いて景品交換されるまで、管理装置１３で計数機９で計数された玉数とともに管理される。
【０３５２】
図４８に示すように、計数機９は、制御部４００、カード処理部４０１、記録媒体処理部４０２、選択ボタン検知部４０３、計数処理部４０４から構成されている。
【０３５３】
制御部４００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部４００では、カード処理部４０１、記録媒体処理部４０２、選択ボタン検知部４０３、計数処理部４０４の各機部間の信号の出入力、および、ネットワーク８を介して管理装置１３との間の信号の出入力を制御している。
【０３５４】
カード処理部４０１は、カード挿入口９ａから挿入された会員用ＩＣカード３０に記憶された、例えば、ＩＤやそのＩＤで管理されている有価情報などの読み取り、その読み取った情報の制御部４００への出力、制御部４００からの更新された有価情報などの会員用ＩＣカード３０への書き込みなどを行うもので、例えば、リーダライタなどで構成される。
【０３５５】
記録媒体処理部４０２は、計数処理部４０４で計数された玉数および簡易管理用ＩＤをレシートに、例えば、バーコードとして記録し、その記録されたレシートをレシート発券口９ｆから発券するものである。
【０３５６】
選択ボタン検知部４０３は、全部ボタン９ｃ、返却ボタン９ｅが押されたことを検知し、その押された信号に基づいて、制御部４００に信号を出力するものである。
【０３５７】
計数処理部４０４は、遊技媒体投入部９ｂに投入された玉数を計数し、その計数した情報を制御部４００へ出力するものである。計数処理部４０４で計数された結果は、例えば、計数結果表示部９ｄに表示することもできる。
【０３５８】
そして、制御部４００によって制御される、カード処理部４０１、記録媒体処理部４０２、選択ボタン検知部４０３、計数処理部４０４の各機器部は、次のように動作する（図４９）。
【０３５９】
以下に、図４９を参照してその動作を説明する。
【０３６０】
計数処理部４０４において、遊技媒体投入部９ｂに投入された遊技媒体の計数を行う（ステップＳ４１０）。計数処理部４０４で計数された結果は、制御部４００に出力される。制御部４００は、その係数結果を、例えば、計数結果表示部９ｄに表示するための情報を計数結果表示部９ｄに出力することもできる。
【０３６１】
そして、全部ボタン９ｃが押されたが否かを選択ボタン検知部４０３が判定する（ステップＳ４１１）。ステップＳ４１１の判定で、Ｎｏの場合には、リターンしスタートに戻る。ステップＳ４１１の判定で、Ｙｅｓの場合には、その情報を制御部４００に出力する。
【０３６２】
続いて、カード処理部４０１において会員用ＩＣカード３０が挿入されているか否かが判定される（ステップＳ４１２）。
【０３６３】
ステップＳ４１２の判定で、Ｎｏの場合には、制御部４００は、計数処理部４０４で計数された玉数および簡易管理用ＩＤの情報をネットワーク８を介して管理装置１３に出力するとともに、記録媒体処理部４０２に制御部４００から計数処理部４０４で計数された玉数および簡易管理用ＩＤの情報が出力される。記録媒体処理部４０２では、制御部４００から出力された情報に基づいて、レシートに玉数および簡易管理用ＩＤを、例えば、バーコードとして記録し、レシート発券口９ｆからレシートを発券する（ステップＳ４１３）。        
【０３６４】
ステップＳ４１２の判定で、Ｙｅｓの場合には、カード処理部４０１は、会員用ＩＣカード３０に記憶されたＩＤを読み取り、読み取ったＩＤを制御部４００に出力する（ステップＳ４１４）。
【０３６５】
次に、返却ボタン９ｅが押されたが否かを選択ボタン検知部４０３が判定する（ステップＳ４１５）。
【０３６６】
ステップＳ４１５の判定で、Ｎｏの場合には、リターンしスタートに戻る。ステップＳ４１５の判定で、Ｙｅｓの場合には、カード処理部４０１は、カード挿入口９ａから会員用ＩＣカード３０を返却（カード挿入口９ａへ返送）する。制御部４００は、カード処理部４０１で読み取られたＩＤおよび計数処理部４０４で計数された玉数をネットワーク８を介して管理装置１３に送信する（ステップＳ４１７）。そして、管理装置１３では、ＩＤに基づいて、すでに記憶されている貯玉数に計数処理部４０４で計数された玉数が加算される（ステップＳ４１７）。
【０３６７】
なお、ステップＳ４１７で、加算後の貯玉数を表示させるようにすると、遊技客に全貯玉数がトータルいくらになったのかが把握できるので好ましい。また、計数機９は、パチンコ玉用と、スロットマシンで用いられるメダル用とがある。
【０３６８】
（景品管理機（ＰＯＳ）１１）
図５０は、景品管理機（ＰＯＳ）１１の外観を示す側面図、図５１は、景品管理機（ＰＯＳ）１１の構成部を示す図、図５２は、景品管理機（ＰＯＳ）１１における動作の流れを示す図である。
【０３６９】
まず、図５０を参照して、景品管理機（ＰＯＳ）１１の構成について説明する。
【０３７０】
図５０には、景品管理機（ＰＯＳ）１１を側面から見た図が示されており、カード挿入口１１ａ、暗証番号入力用テンキーボード１１ｂ、バーコードリーダ１１ｃ、表示部１１ｄ、特殊景品ボタン１１ｅ、一般景品選択部１１ｆで主に構成されている。
【０３７１】
景品管理機（ＰＯＳ）１１は、カード挿入口１１ａより挿入された会員用ＩＣカード３０より、ＩＤに基づき貯玉数を参照し、貯玉数とその貯玉数により交換される景品種別と数量の表示を行い、景品払出機１８が併設される場合、景品払出機１８へ払い出す景品の種別と数量を指示するものである。また、計数機９で発券されたレシートを用いる場合には、バーコードリーダ１１ｃでレシートに記録された情報を読み取り、その情報に基づく貯玉数の範囲で貯玉数と景品との交換を行うものである。
【０３７２】
特殊景品ボタン１１ｅが押された場合の景品は、例えば、大景品（２５００円）、小景品（１０００円）などがあり、貯玉数より端玉（景品と交換後の残り玉）を最小にするよう計算されて、例えば、景品払出機１８が併設されている場合には、景品が自動的に払い出される。景品払出機１８が併設されていない場合には、表示された交換される景品の種別と数量の表示に基づいて、店員などによって景品が払い出される。また、例えば、タバコ、ジュースなどの一般景品と交換する場合には、一般景品選択部１１ｆにより、交換したい景品や個数を選択し、景品交換を行う。一般景品と交換する場合には、店員などが景品を払い出すことが多いが、景品払出機などで自動的に景品を払い出すこともできる。
【０３７３】
また、景品管理機（ＰＯＳ）１１では、会員用ＩＣカード３０の利用によって付与されるポイントと、例えば、タバコ、ジュースなどの賞品と交換することができるようにしてもよい。
【０３７４】
図５１に示すように、景品管理機（ＰＯＳ）１１は、制御部５００、カード処理部５０１、記録媒体処理部５０２、選択ボタン検知部５０３、景品払出処理部５０４から構成されている。
【０３７５】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、カード処理部５０１、記録媒体処理部５０２、選択ボタン検知部５０３、景品払出処理部５０４の各機部間の信号の出入力、および、ネットワーク８を介して管理装置１３との間の信号の出入力を制御している。
【０３７６】
カード処理部５０１は、カード挿入口１１ａから挿入された会員用ＩＣカード３０に記憶された、例えば、ＩＤやそのＩＤで管理されている有価情報などの読み取り、その読み取った情報の制御部５００への出力、制御部５００からの更新された有価情報などの会員用ＩＣカード３０への書き込みなどを行うもので、例えば、リーダライタなどで構成される。
【０３７７】
記録媒体処理部５０２は、バーコードリーダ１１ｃなどによって、レシートに記録された玉数および簡易管理用ＩＤを読み取り、その読み取った情報を制御部５００に出力するものである。
【０３７８】
カード処理部５０１や記録媒体処理部５０２で読み取られた、例えば、計数された玉数などの情報は、表示部１１ｄに表示される。また、表示部１１ｄには、景品交換される景品の種類や個数なども表示させる。
【０３７９】
選択ボタン検知部５０３は、暗証番号入力用テンキーボード１１ｂ、特殊景品ボタン１１ｅ、一般景品選択部１１ｆの選択ボタンが押されたことを検知し、その押された信号に基づいて、制御部５００に信号を出力するものである。
【０３８０】
景品払出処理部５０４は、選択ボタン検知部５０３で検知された信号に基づいて、例えば、表示部１１ｄや景品払出機１８に払い出される特殊景品の種類や個数などの景品払出情報を出力するものである。
【０３８１】
そして、制御部５００によって制御される、カード処理部５０１、記録媒体処理部５０２、選択ボタン検知部５０３、景品払出処理部５０４の各機器部は、次のように動作する（図５２）。
【０３８２】
以下に、図５２を参照してその動作を説明する。
【０３８３】
カード処理部５０１において会員用ＩＣカード３０が挿入されているか否かが判定される（ステップＳ５１０）。
【０３８４】
ステップＳ５１０の判定で、Ｎｏの場合には、バーコードリーダによって、レシートに記録された玉数および簡易管理用ＩＤを読み取る（ステップＳ５１１）。カード処理部５０１において読み取られた簡易管理用ＩＤは、制御部５００に出力され、さらに、制御部５００からネットワーク８を介して管理装置１３に出力される（ステップＳ５１１）。そして、管理装置１３に記憶されている簡易管理用ＩＤに基づく玉数を管理装置からネットワーク８を介して制御部５００に出力する（ステップＳ５１１）。
【０３８５】
制御部５００では、レシートに記録された簡易管理用ＩＤに基づく玉数と管理装置１３から出力された簡易管理用ＩＤに基づく玉数とを比較し、それぞれが一致するか否かを判定する（ステップＳ５１２）。
【０３８６】
ステップＳ５１２の判定で、Ｎｏの場合には、制御部５００は待機状態となる。ステップＳ５１２の判定で、Ｙｅｓの場合には、ステップＳ５１８に進む。
【０３８７】
ステップＳ５１０の判定で、Ｙｅｓの場合には、カード処理部５０１は、会員用ＩＣカード３０に記憶されたＩＤおよび暗証番号を読み取り、読み取ったＩＤおよび暗証番号を制御部５００に出力する（ステップＳ５１３）。
【０３８８】
また、選択ボタン検知部５０３は、暗証番号入力用テンキーボード１１ｂで入力された暗証番号を検知し、その検知信号を制御部５００に出力する（ステップＳ５１４）。制御部５００は、会員用ＩＣカード３０から読み取られた暗証番号と暗証番号入力用テンキーボード１１ｂで入力された暗証番号とを比較判定する（ステップＳ５１５）。
【０３８９】
ステップＳ５１５の判定で、双方の番号が一致しない場合（ＮＧの場合）には、カード処理部５０１は、会員用ＩＣカード３０をカード挿入口１１ａから返却する（カード挿入口１１ａへ返送）（ステップＳ５１６）。ただし、ここで、会員用ＩＣカード３０を返却せずに、店員に暗証番号が一致しない旨を報知し、店員がその会員用ＩＣカード３０を利用した遊技者に、例えば、生年月日や電話番号などを質問し、遊技者による回答が、実際に登録されているものと一致すれば、忘れた暗証番号の変更手続きを取れるようにしてもよい。
【０３９０】
一方、ステップＳ５１５の判定で、双方の番号が一致した場合（ＯＫの場合）には、制御部５００は、ステップＳ５１３で読み取られたＩＤをネットワーク８を介して管理装置１３に送信する（ステップＳ５１７）。そして、管理装置１３は、そのＩＤで管理されている貯玉数などを読み取る（ステップＳ５１７）。
【０３９１】
次に、特殊景品ボタン１１ｅが押されたが否かを選択ボタン検知部５０３が判定する（ステップＳ５１８）。
【０３９２】
ステップＳ５１８の判定で、Ｎｏの場合には、景品交換が要求されているものが、一般景品の例えば、タバコやジュースなどであり、一般景品選択部１１ｆで選択された景品および数量の情報を選択ボタン検知部４０３が判定する（ステップＳ５１９）。
【０３９３】
選択ボタン検知部４０３で判定された検知信号は、制御部５００を介して景品払出処理部５０４に出力される。選択された一般景品は、その種別と数量が表示部１１ｄに表示される（ステップＳ５２０）。  
【０３９４】
そして、制御部５００において、払出景品在庫数から払い出された景品の数量を差し引き、その情報を景品払出処理部５０４に出力し、景品払出処理部５０４では払出景品在庫数の情報を更新する（ステップＳ５２１）。
【０３９５】
ステップＳ５１８の判定で、Ｙｅｓの場合には、景品払出処理部５０４において、景品払出機１８が併設されているか否かが判定される（ステップＳ５２２）。
【０３９６】
ステップＳ５２２の判定で、Ｙｅｓの場合には、制御部５００は、ＩＤまたは簡易管理ＩＤに基づいて管理装置１３から読み取られた貯玉数の情報から、払い出される景品の種類およびその個数などの情報を景品払出処理部５０４に出力するとともに表示部１１ｄに表示する（ステップＳ５２３）。景品払出処理部５０４では、その情報を景品払出機１８にに出力し、景品払出機１８から景品を払い出させる（ステップＳ５２３）。
【０３９７】
ステップＳ５２２の判定で、Ｎｏの場合には、制御部５００は、ＩＤまたは簡易管理ＩＤに基づいて管理装置１３から読み取られた貯玉数の情報から、払い出される景品の種類およびその個数などの情報を景品払出処理部５０４に出力する。そして、景品払出処理部５０４は、その情報を表示部１１ｄに表示する（ステップＳ５２４）。この場合には、店員などによって、その表示部１１ｄの表示に基づいて、景品が払い出される。
【０３９８】
そして、制御部５００において、特殊景品在庫数から払い出された特殊景品の数量を差し引き、その情報を景品払出処理部５０４に出力し、景品払出処理部５０４では特殊景品在庫数の情報を更新する（ステップＳ５２５）。
【０３９９】
次に、再度、カード処理部５０１において会員用ＩＣカード３０が挿入されているか否かが判定される（ステップＳ５２６）。
【０４００】
ステップＳ５２６の判定で、Ｎｏの場合には、簡易管理ＩＤに基づいて、景品と交換された玉数および払い出された景品の種類や個数は、景品払出処理部５０４に記憶される（ステップＳ５２７）。なお、景品払出処理部５０４に記憶されたこれらの情報は、所定期間記憶されている。また、管理装置１３に記憶されていた簡易管理ＩＤと玉数の情報は消去される（ステップＳ５２７）。
【０４０１】
ステップＳ５２６の判定で、Ｙｅｓの場合には、景品と交換された玉数および払い出された景品の種類や個数は、ＩＤに基づいて、制御部５００からネットワーク８を介して管理装置１３に送信され、管理装置１３でＩＤ毎に記憶される（ステップＳ５２８）。
【０４０２】
（精算機１０）
図５３は、精算機１０の外観を示す側面図、図５４は精算機１０の構成部を示す図、図５５は精算機１０における動作の流れを示す図である。
【０４０３】
まず、図５３を参照して、精算機１０の構成について説明する。
【０４０４】
図５３には、精算機１０を側面から見た図が示されており、カード挿入口１０ａ、暗証番号入力用テンキーボード１０ｂ、紙幣返却口１０ｃ、釣銭受１０ｄ、精算ボタン１０ｅ、取消ボタン１０ｆ、表示部１０ｇで主に構成されている。
【０４０５】
精算機１０は、カード挿入口１０ａより挿入された会員用ＩＣカード３０または非会員用ＩＣカード３１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０４０６】
また、精算機１０では、会員用ＩＣカード３０の利用によって付与されるポイントを、例えば、現金化によって還元してもよい。
【０４０７】
会員用ＩＣカード３０が挿入された場合は、精算機１０に設けられた暗証番号入力用テンキーボード１０ｂによって暗証番号が入力されると、会員用ＩＣカード３０に記憶された暗証番号と入力された暗証番号との照合が行われ、それらが一致すれば精算動作を行う。これによって、会員の遊技者の場合には、例えば、会員用ＩＣカード３０を落として、第三者に会員用ＩＣカード３０が渡っても、暗証番号がわからない限りは、度数残高が現金化されることはない。このようにすると遊技者が、例えば、トイレに行くためなどで離席した場合、会員用ＩＣカードを盗まれても度数残高を現金化されることはない。
【０４０８】
また、第三者に会員用ＩＣカード３０が渡った場合、第三者に度数残高分を遊技に使用されることが考えられるが、台間機と管理装置１３とが連携して、例えば、台間機にて入力した会員番号や暗証番号に基づいて、その会員用ＩＣカード３０を各機器に使用できないように制御することなどもできる。
【０４０９】
非会員用ＩＣカード３１を用いる場合には、度数残高として保持できる期間が、例えば、１日などのように限られているため、その期間内でなければ、精算機１０で度数残高を精算し、現金化することができない。これによって、非会員用ＩＣカード３１が、パチンコホールやスロットマシンホールの外部に持ち出され、紛失したり、傷つけられたりするのを防止することができる。
【０４１０】
図５４に示すように、精算機１０は、制御部６００、カード処理部６０１、貨幣処理部６０２、選択ボタン検知部６０３から構成されている。
【０４１１】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、カード処理部６０１、貨幣処理部６０２、選択ボタン検知部６０３の各機部間の信号の出入力、および、ネットワーク８を介して管理装置１３との間の信号の出入力を制御している。
【０４１２】
カード処理部６０１は、カード挿入口１０ａから挿入された会員用ＩＣカード３０または非会員用ＩＣカード３１に記憶された、例えば、ＩＤやそのＩＤで管理されている有価情報などの読み取り、その読み取った情報の制御部６００への出力、制御部６００からの更新された有価情報などの会員ＩＣカード３０または非会員用ＩＣカード３１への書き込みなどを行うもので、例えば、リーダライタなどで構成される。
【０４１３】
貨幣処理部６０２は、カード処理部６０１で読み取られたＩＤに基づいて、管理装置１３から読み取った有価情報の度数に対応する金額を紙幣返却口１０ｃ、釣銭受１０ｄから返金するものである。また、貨幣処理部６０２は、度数残高や返金額などの情報を表示部１０ｇに出力し、表示部１０ｇに度数残高や返金額などを表示させることもできる。
【０４１４】
選択ボタン検知部６０３は、暗証番号入力用テンキーボード１０ｂ、精算ボタン１０ｅ、取消ボタン１０ｆが押されたことを検知し、その押された信号に基づいて、制御部６００に信号を出力するものである。
【０４１５】
そして、制御部６００によって制御される、カード処理部６０１、貨幣処理部６０２、選択ボタン検知部６０３の各機器部は、次のように動作する（図５５）。
【０４１６】
以下に、図５５を参照してその動作を説明する。
【０４１７】
カード処理部６０１において非会員ＩＣカード３１が投入されているか否かが判定される（ステップＳ６１０）。
【０４１８】
ステップＳ６１０の判定で、Ｙｅｓの場合には、非会員ＩＣカード３１に記憶されている日付情報が制御部６００に出力され、日付が有効か否かが判定される（ステップＳ６１１）。
【０４１９】
ステップＳ６１１の判定において、Ｎｏの場合には、制御部６００は、カード処理部６０１に非会員ＩＣカード３１を返却する情報を出力する。その情報を受けたカード処理部６０１は、非会員ＩＣカード３１をカード挿入口１０ａから返却（カード挿入口１０ａへ返送）する（ステップＳ６１２）。
【０４２０】
ステップＳ６１１の判定において、Ｙｅｓの場合には、カード処理部６０１は、非会員ＩＣカード３１に記憶されたＩＤを読み取り、読み取ったＩＤを制御部６００に出力する。制御部６００に出力されたＩＤは、ネットワーク８を介して管理装置１３に出力される（ステップＳ６１３）。そして、管理装置１３に記憶されている非会員ＩＣカード３１のＩＤに基づく度数残高の情報を管理装置１３からネットワーク８を介して制御部６００に出力する（ステップＳ６１３）。制御部６００に出力された度数残高の情報は、制御部６００から貨幣処理部６０２に出力される。さらに、その度数残高の情報は、貨幣処理部６０２から表示部１０ｇに出力され、度数残高が表示部１０ｇに表示される（ステップＳ６１９）。
【０４２１】
ステップＳ６１０の判定で、Ｎｏの場合には、カード処理部６０１において会員用ＩＣカード３０が挿入されているか否かが判定される（ステップＳ６１４）。
【０４２２】
ステップＳ６１４の判定で、Ｎｏの場合には、制御部６００は待機状態となる。ステップＳ６１４の判定で、Ｙｅｓの場合には、カード処理部６０１は、会員用ＩＣカード３０に記憶されたＩＤおよび暗証番号を読み取り、読み取ったＩＤおよび暗証番号を制御部６００に出力する（ステップＳ６１５）。また、制御部６００に出力されたＩＤは、ネットワーク８を介して管理装置１３に出力される（ステップＳ６１５）。そして、管理装置１３に記憶されている会員用ＩＣカード３０のＩＤに基づく度数残高を管理装置１３からネットワーク８を介して制御部６００に出力する（ステップＳ６１５）。
【０４２３】
次に、選択ボタン検知部６０３は、暗証番号入力用テンキーボード１０ｂで入力された暗証番号を検知し、その検知信号を制御部６００に出力する（ステップＳ６１６）。
【０４２４】
制御部６００は、会員用ＩＣカード３０から読み取られた暗証番号と暗証番号入力用テンキーボード１０ｂで入力された暗証番号とを比較判定する（ステップＳ６１７）。
【０４２５】
ステップＳ６１７の判定で、双方の番号が一致しない場合（ＮＧの場合）には、制御部６００は、カード処理部６０１に会員用ＩＣカード３０を返却する情報を出力する。その情報を受けたカード処理部６０１は、会員用ＩＣカード３０をカード挿入口１０ａから返却（カード挿入口１０ａへ返送）する（ステップＳ６１８）。
【０４２６】
一方、ステップＳ６１７の判定で、双方の番号が一致した場合（ＯＫの場合）には、制御部６００は、ステップＳ６１５で管理装置１３からネットワーク８を介して制御部６００に出力された度数残高の情報を貨幣処理部６０２に出力する。さらに、その度数残高の情報は、貨幣処理部６０２から表示部１０ｇに出力され、度数残高が表示部１０ｇに表示される（ステップＳ６１９）。
【０４２７】
次に、精算ボタン１０ｅが押されたが否かを選択ボタン検知部６０４が判定する（ステップＳ６２０）。
【０４２８】
ステップＳ６２０の判定で、Ｎｏの場合には、その情報は制御部６００に出力される。続いて、取消ボタン１０ｆが押されたが否かを選択ボタン検知部６０４が判定する（ステップＳ６２１）。
【０４２９】
ステップＳ６２１の判定で、Ｎｏの場合には、制御部６００は待機状態となる。ステップＳ６２１の判定で、Ｙｅｓの場合には、選択ボタン検知部６０４はその情報を制御部６００に出力する。制御部６００は、カード処理部６０１に、会員用ＩＣカード３０または非会員用ＩＣカード３１を返却する情報を出力する。その情報を受けたカード処理部６０１は、会員用ＩＣカード３０または非会員用ＩＣカード３１をカード挿入口１０ａから返却（カード挿入口１０ａへ返送）する（ステップＳ６２２）。
【０４３０】
ステップＳ６２０の判定で、Ｙｅｓの場合には、選択ボタン検知部６０３はその情報を制御部６００に出力する。そして、制御部６００は、貨幣処理部６０２に、ＩＤに基づいて管理装置１３から読み取られた残高度数に対応する金額を返金する情報を出力する。貨幣処理部６０２は、その情報に基づいて、紙幣返却口１０ｃ、釣銭受１０ｄから貨幣を返金する（ステップＳ６２３）。
【０４３１】
会員ＩＣカード３０または非会員用ＩＣカード３１のＩＤに基づいて、精算された金額は、制御部６００からネットワーク８を介して管理装置１３に出力され、それぞれのＩＤに基づいて、度数残高から精算された度数が減じられる。基本的には、度数残高のすべてが精算されるため、度数残高は０となる（ステップＳ６２４）。
【０４３２】
ステップＳ６２４の処理が終わると、会員ＩＣカード３０は、カード処理部６０１によって、カード挿入口１０ａから返却（カード挿入口１０ａへ返送）される（ステップＳ６１８）。
【０４３３】
一方、非会員用ＩＣカード３１は、度数残高のすべてが精算され、度数残高が０となるので、カード処理部６０１から精算機１０に設けられた貯留部（図示しない）に移動され、回収される（ステップＳ６２５）。
【０４３４】
（管理装置１３）
図５６は、管理装置１３の構成部を示す図、図５７は、管理装置１３における動作の流れを示す図である。
【０４３５】
図１に示されているように、管理装置１３は、複数のパチンコ機２、複数のパチンコ機２のそれぞれに接続された台間機３、４、複数のスロットマシン機５、スロットマシン機５間に接続された台間機６と島コンピュータ７およびネットワーク８を介して接続されている。また、管理装置１３は、計数機９、精算機１０、景品管理機（ＰＯＳ）１１、再プレー受付機１２、発券機２０、データ表示機２１、データ公開機２２などともネットワーク８を介して接続されている。
【０４３６】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０４３７】
管理装置１３は、台間機３、４、６、計数機９、精算機１０、景品管理機（ＰＯＳ）１１、再プレー受付機１２、発券機２０、データ表示機２１、データ公開機２２などの機器からの情報を管理するものである。前述した各機器毎の管理装置１３との情報の通信に基づいて、管理装置１３には後述するような様々な情報が記憶されている。
【０４３８】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０４３９】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０４４０】
図５６に示すように、管理装置１３は、制御部７００、会員カード情報管理部７０１、非会員カード情報管理部７０２、出力処理部７０３から構成されている。
【０４４１】
制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、会員カード情報管理部７０１、非会員カード情報管理部７０２、出力処理部７０３の各機部間の信号の出入力、および、ネットワーク８を介して各機器との間の信号の出入力を制御している。また、制御部７００は、管理装置１３とネットワーク８を介して各機器の制御部と通信できるように接続されている。
【０４４２】
なお、ここで管理装置１３は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０４４３】
会員カード情報管理部７０１は、各機器に会員用ＩＣカード３０が用いられたときの情報を管理するもので、図５８に情報管理一覧表７５０の一例を示す。図５８に示された情報管理一覧表７５０は、管理装置１３に接続された、例えば、パーソナルコンピュータ１７などで見ることができる。
【０４４４】
会員用ＩＣカード３０が用いられた場合には、会員用ＩＣカード３０のＩＤに基づき、情報管理一覧表７５０に記載されているような、例えば、貯玉数、度数残高、再プレー用貯玉数、ポイント、台間機又は発券機に挿入した金額、精算金額などを管理している。これらのデータは、会員用ＩＣカード３０のＩＤ毎に管理され、さらに、履歴情報、日毎情報、週毎情報などとしても管理されている。図５８に示された情報管理一覧表７５０は、日毎情報の一例である。
【０４４５】
なお、会員用ＩＣカード３０を用いた会員の遊技者用の管理項目は、図５８の情報管理一覧表７５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０４４６】
非会員カード情報管理部７０２は、各機器に非会員用ＩＣカード３１が用いられたときの情報を管理するもので、図５９に情報管理一覧表７５１の一例を示す。図５８に示された情報管理一覧表７５１は、管理装置１３に接続された、例えば、パーソナルコンピュータ１７などで見ることができる。
【０４４７】
非会員用ＩＣカード３１が用いられた場合には、非会員用ＩＣカード３１のＩＤに基づき、情報管理一覧表７５１に記載されているような、例えば、度数残高、台間機又は発券機に挿入した金額、精算金額などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０４４８】
非会員用ＩＣカード３１が用いられた場合には、度数残高を保持できる期間に対応した情報が管理されている。図５９に示された情報管理一覧表７５１は、その管理期間における情報の一例である。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０４４９】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０４５０】
出力処理部７０３は、カードセンタ１６に送信する、例えば、一日の営業結果などの情報を、会員カード情報管理部７０１および非会員カード情報管理部７０２に管理されているデータに基づいて管理している。例えば、パーソナルコンピュータ１７などから終業処理の信号が管理装置１３に入力されると、カードセンタ１６に送信する情報を制御部７００を介してプロトコルコンバータ１４に出力する。プロトコルコンバータ１４に出力された情報は、モデム１５を介してカードセンタ１６に送信される。
【０４５１】
そして、制御部７００によって制御される、会員カード情報管理部７０１、非会員カード情報管理部７０２、出力処理部７０３の各機器部は、次のように動作する（図５７）。なお、各機器との情報の通信についての動作は、各機器の説明部分で述べたので、ここでは、管理装置１３に入力された情報の管理動作について主に説明する。
【０４５２】
以下に、図５７を参照してその動作を説明する。
【０４５３】
管理装置１３の制御部７００に、発券機２０、再プレー受付機１２、台間機３、４、６、計数機９、景品管理機（ＰＯＳ）１１、精算機１０などからの情報が入力される（ステップＳ７１０）。
【０４５４】
ステップＳ７１０で入力された情報は、制御部７００で、会員用ＩＣカード３０のを用いた場合の情報か否かが判定される（ステップＳ７１１）。
【０４５５】
ステップＳ７１１の判定で、Ｙｅｓの場合には、入力された情報は、会員カード情報管理部７０１に出力される（ステップＳ７１２）。会員カード情報管理部７０１では、その入力された情報に基づいて、例えば、図５８に示すように、ＩＤおよび項目毎に入力情報が管理される（ステップＳ７１２）。
【０４５６】
ステップＳ７１１の判定で、Ｎｏの場合には、入力された情報は、非会員カード情報管理部７０２に出力される（ステップＳ７１３）。非会員カード情報管理部７０２では、その入力された情報に基づいて、例えば、図５９に示すように、ＩＤおよび項目毎に入力情報が管理される（ステップＳ７１３）。
【０４５７】
次に、出力処理部７０３において、パーソナルコンピュータ１７などから終業処理信号が管理装置１３に入力されたか否かが判定される（ステップＳ７１４）。
【０４５８】
ステップＳ７１４の判定で、Ｎｏの場合には、制御部７００は待機状態となる。ステップＳ７１４の判定で、Ｙｅｓの場合には、出力処理部７０３から、例えば、会員カード情報管理部７０１および非会員カード情報管理部７０２で管理されているデータに基づいて集計された一日の営業結果などの情報が、制御部７００、プロトコルコンバータ１４およびモデム１５を介してカードセンタ１６に送信される（ステップＳ７１５）。
【０４５９】
次に、出力処理部７０３において、パーソナルコンピュータ１７などからデータ送信要求信号が管理装置１３に入力されたか否かが判定される（ステップＳ７１６）。
【０４６０】
ステップＳ７１６の判定で、Ｎｏの場合には制御部７００は待機状態となる。ステップＳ７１６の判定で、Ｙｅｓの場合には、会員カード情報管理部７０１および非会員カード情報管理部７０２に管理されているデータに基づいて、例えば、図５８や図５９に示すようなデータを、パーソナルコンピュータ１７などに出力する（ステップＳ７１７）。会員カード情報管理部７０１および非会員カード情報管理部７０２に管理されているデータに基づいて、出力されたデータは、パーソナルコンピュータ１７の画面に表示される。
【０４６１】
次に、始業処理を実施する（ステップＳ７１８）。始業処理とは、上記した各機器との通信がネットワークを介して可能か否かどうか、および、各機器の自己診断機能により、各機器における故障の有無を確認する。この確認において、各機器との通信ができない場合や各機器で故障があると判断された場合には、店員に報知される。
【０４６２】
以上、一実施の形態の記憶媒体処理装置システムおける記憶媒体処理装置、記憶媒体処理方法、記憶媒体処理システムなどについて説明した。
【０４６３】
本発明の記憶媒体処理装置、記憶媒体処理方法および記憶媒体処理システムにおいては、非会員の遊技者が、券売機まで行ってプリペイドカードを購入せずに、直接遊技台に向かい、記憶媒体処理装置と情報通信ができるように接続された貯留機構付き紙幣識別装置１９の紙幣挿入口１９ａに、例えば、１万円などの現金を入金して遊技することができるので、遊技を不便なく快適に行うことができる。また、これによって、遊技者による遊技の停止時間を削減でき、遊技機の稼働率の向上を図ることができ、遊技場の経営の側においては、効率のよい運営をすることができる。
【０４６４】
また、カード貯留部２０４に貯留された有価価値を有しない非会員用ＩＣカード３１に、再度、有価価値を付与して発行することができるので、遊技者による遊技の停止時間を削減でき、遊技機の稼働率の向上を図ることができる。また、非会員用ＩＣカード３１を多数貯留することができるので、店員が非会員用ＩＣカード３１の補充または回収を頻繁に行う手間を省くことができる。
【０４６５】
さらに、有価価値を有しない非会員用ＩＣカード３１は、返却されずにカード貯留部２０４によって貯留されるので、非会員用ＩＣカード３１を紛失するなどの問題を解消することができる。また、カード貯留部２０４における非会員用ＩＣカード３１の貯留容量を超えた場合には、カード回収部２１６で非会員用ＩＣカード３１を回収することができるので、多くの非会員用ＩＣカード３１を記憶媒体処理装置内に貯留することができる。
【０４６６】
また、記憶媒体処理装置では、外部から読み取りまたは書き込みが不可能である不良の会員用ＩＣカード３０または非会員用ＩＣカード３１が挿入されたときには、不良の会員用ＩＣカード３０または非会員用ＩＣカード３１は返却されるので、特に、非会員用ＩＣカード３１の場合に、不良の非会員用ＩＣカード３１が貯留されるのを防止することができる。また、貯留されている非会員用ＩＣカード３１に不良があっても排除することができる。
【０４６７】
さらに、会員の遊技者と非会員の遊技者とを、会員用ＩＣカード３０または非会員用ＩＣカード３１の利用によって、区別して管理することができるので、会員の遊技者に特典を付与するなどして、会員の遊技者と非会員の遊技者との差別化を図ることができる。
【０４６８】
また、上記したように、会員としての処理、非会員としての処理に差を持たせ、会員の処理を優遇することで、再来店を促すようにしているが、会員としての処理、非会員としての処理は前述した処理に限るものではなく、会員としての処理と非会員としての処理に差があればよい。
【０４６９】
また、管理装置１３により、各機器の情報を管理しているので、管理装置１３に接続されているパーソナルコンピュータ１７などで、各遊技機毎や遊技ホール全体としての売上状況、各会員の遊技者の利用状況などを一括して把握することができる。
【０４７０】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０４７１】
そして、この拡張、変更した実施の形態も本発明の技術的範囲に含まれる。例えば、会員用ＩＣカード３０または非会員用ＩＣカード３１のそれ自身にも情報を記憶させておくこともできる。その場合には、会員用ＩＣカード３０または非会員用ＩＣカード３１の返却前に、会員用ＩＣカード３０または非会員用ＩＣカード３１に最新情報の書き込みが行われ、その後返却される。
【０４７２】
さらに、上記した一実施の形態では、遊技媒体としてパチンコ玉が使用された場合について説明したが、勿論、遊技媒体にメダルを使用した場合にも同様の作用効果を得ることができる。
【図面の簡単な説明】
【０４７３】
【図１】本発明の一実施の形態の記憶媒体処理システムの概要図。
【図２】会員用ＩＣカードおよび非会員用ＩＣカードの斜視図。
【図３】発券機の外観を示す側面図。
【図４】発券機の構成部を示す図。
【図５】発券機における動作の流れを示す図。
【図６】再プレー受付機の外観を示す側面図。
【図７】再プレー受付機の構成部を示す図。
【図８】再プレー受付機における動作の流れを示す図。
【図９】台間機の平面図。
【図１０】台間機（ユニット）の一例を示す平面図。
【図１１】カード処理機の斜視図。
【図１２】図１１のカード処理機のＡ−Ａ断面図。
【図１３】図１１のカード処理機のＢ−Ｂ断面図。
【図１４】会員用ＩＣカードまたは非会員用ＩＣカードの搬送動作を示す図１１のＡ−Ａ断面図。
【図１５】会員用ＩＣカードまたは非会員用ＩＣカードの搬送動作を示す図１１のＡ−Ａ断面図。
【図１６】会員用ＩＣカードまたは非会員用ＩＣカードの搬送動作を示す図１１のＡ−Ａ断面図。
【図１７】会員用ＩＣカードまたは非会員用ＩＣカードの搬送動作を示す図１１のＡ−Ａ断面図。
【図１８】会員用ＩＣカードまたは非会員用ＩＣカードの搬送動作を示す図１１のＡ−Ａ断面図。
【図１９】会員用ＩＣカードまたは非会員用ＩＣカードの搬送動作を示す図１１のＡ−Ａ断面図。
【図２０】会員用ＩＣカードまたは非会員用ＩＣカードの搬送動作を示す図１１のＡ−Ａ断面図。
【図２１】カード処理機本体のＣ−Ｃ断面図。
【図２２】カード処理機本体のＤ−Ｄ断面図。
【図２３】搬送ベルトおよび２つの回転軸の外観を示す図。
【図２４】カード取込上部およびカード取込下部に挟持された非会員用ＩＣカードの斜視図。
【図２５】非会員用ＩＣカードのカード貯留部への貯留動作を示す図。
【図２６】非会員用ＩＣカードのカード貯留部からの取出動作を示す図。
【図２７】非会員用ＩＣカードのカード排出部への誘導動作を示す図。
【図２８】下部フラップの他の構成を示すカード処理機本体のＣ−Ｃ断面図。
【図２９】台間機の構成部を示す図。
【図３０】台間機における動作の流れを示す図。
【図３１】カード処理機の斜視図。
【図３２】図３１のカード処理機のＡ−Ａ断面図。
【図３３】図３１のカード処理機のＢ−Ｂ断面図。
【図３４】図３１のカード処理機のＣ−Ｃ断面図。
【図３５】図３４のカード処理機のＤ−Ｄ断面図。
【図３６】会員用ＩＣカードまたは非会員用ＩＣカードの搬送動作を示す図３４のＤ−Ｄ断面図。
【図３７】会員用ＩＣカードまたは非会員用ＩＣカードの搬送動作を示す図３４のＤ−Ｄ断面図。
【図３８】会員用ＩＣカードまたは非会員用ＩＣカードの搬送動作を示す図３４のＤ−Ｄ断面図。
【図３９】会員用ＩＣカードまたは非会員用ＩＣカードの搬送動作を示す図３４のＤ−Ｄ断面図。
【図４０】会員用ＩＣカードまたは非会員用ＩＣカードの搬送動作を示す図３１のＣ−Ｃ断面図。
【図４１】会員用ＩＣカードまたは非会員用ＩＣカードの搬送動作を示す図３１のＣ−Ｃ断面図。
【図４２】会員用ＩＣカードまたは非会員用ＩＣカードの搬送動作を示す図３１のＣ−Ｃ断面図。
【図４３】会員用ＩＣカードまたは非会員用ＩＣカードの搬送動作を示す図３４のＤ−Ｄ断面図。
【図４４】会員用ＩＣカードまたは非会員用ＩＣカードの搬送動作を示す図３４のＤ−Ｄ断面図。
【図４５】会員用ＩＣカードまたは非会員用ＩＣカードの搬送動作を示す図３４のＤ−Ｄ断面図。
【図４６】カード処理機の他の一例の断面図。
【図４７】計数機の外観を示す斜視図。
【図４８】計数機の構成部を示す図。
【図４９】計数機における動作の流れを示す図。
【図５０】景品管理機（ＰＯＳ）の外観を示す側面図。
【図５１】景品管理機（ＰＯＳ）の構成部を示す図。
【図５２】景品管理機（ＰＯＳ）における動作の流れを示す図。
【図５３】精算機の外観を示す側面図。
【図５４】精算機の構成部を示す図。
【図５５】精算機における動作の流れを示す図。
【図５６】管理装置の構成部を示す図。
【図５７】管理装置における動作の流れを示す図。
【図５８】会員ＩＣカードが用いられた場合の情報管理一覧表の一例を示す図。
【図５９】ＩＣコインが用いられた場合の情報管理一覧表の一例を示す図。
【図６０】第３の実施の形態に係るカード処理装置の斜視外観図。
【図６１】第３の実施の形態に係るカード処理装置の構成を示す側面説明図。
【図６２】第３の実施の形態に係るカード処理装置の構成を示す底面説明図。
【図６３】第３の実施の形態に係るカード処理装置の構成を示す説明図。
【図６４】カード形状記憶媒体のリードライト位置を示す説明図。
【図６５】振り分け案内板が移動する位置を示す説明図であり、（ａ）は、カード形状記憶媒体をカード排出口側へ案内する位置、（ｂ）は、カード形状記憶媒体をカード貯留庫側へ案内する位置を示す図。
【図６６】振り分け案内板の、カード形状記憶媒体の導入側の一端部の拡大説明図。
【図６７】振り分け案内板がカード形状記憶媒体をカード排出口側へ案内している状態を示す説明図。
【図６８】振り分け案内板がカード形状記憶媒体をカード貯留庫側へ案内している状態を示す説明図であり、（ａ）は、振り分け案内板が、カード形状記憶媒体をカード貯留庫側へ案内する位置へ移動した状態、（ｂ）は、振り分け案内板が、カード形状記憶媒体の搬送方向先端側をカード貯留庫側へ案内している状態、（ｃ）は、振り分け案内板が、カード形状記憶媒体の搬送方向後端側を、駆動ローラー（タイミングベルト）に圧接すると共にカード貯留庫側へ案内している状態を示す図。
【図６９】カード貯留庫内に貯留されているカード形状記憶媒体を、一枚あてリードライト位置へ移動させる際の動作を示す説明図。
【符号の説明】
【０４７４】
１…記憶媒体処理装置
２…パチンコ機
３、４、６…台間機
５…スロットマシン機
７…島コンピュータ
８…ネットワーク
９…計数機
１０…精算機
１１…景品管理機（ＰＯＳ）
１２…再プレー受付機
１３…管理装置
１４…プロトコルコンバータ
１５…モデム
１６…カードセンタ
１７…パーソナルコンピュータ
１８…景品払出機
１９…貯留機構付き紙幣識別装置
１９ａ…紙幣挿入口
１９ｂ…台間機指定ボタン
２０…発券機
２１…データ表示機
２２…データ公開機
８００…カード処理装置
８０２…本体
８０２ａ…シャーシー
８０２ｂ…ドア部材
８０４…カード挿入口
８０６…カード搬送路
８０８…カード排出口
８１２…カード貯留庫
８１４…振り分け案内板（振り分け案内部）
８１４ａ…折れ曲がり部
８１４ｂ…邪魔ピン（カード通過規制部）
８１４ｃ…切り欠き部
８１４ｅ…回転軸
８１４ｆ…金属板
８１４ｇ…凸部
８１４ｘ…カード型記憶媒体の導入側端部（一端部）
８１４ｙ…カード型記憶媒体の導入側の反対側の端部（他端部）
８１６…タイミングベルト
８１８ａ…プーリー（駆動ローラー）
８１８ｂ…プーリー
８２６…ステッピングモータ
８２８ａ，８２８ｂ…挟圧ローラー
８３４…接続端子部
８３６…アンテナ部
８４０…バネ
８４２…電磁石
８４４…キック板
８４８…プランジャー型ソレノイド
８５２…板バネ
８５４，８５６…フォトセンサ
８５８…間隙
【図１】
2006198420.tif 000003
【図２】
2006198420.tif 000004
【図３】
2006198420.tif 000005
【図４】
2006198420.tif 000006
【図５】
2006198420.tif 000007
【図６】
2006198420.tif 000008
【図７】
2006198420.tif 000009
【図８】
2006198420.tif 000010
【図９】
2006198420.tif 000011
【図１０】
2006198420.tif 000012
【図１１】
2006198420.tif 000013
【図１２】
2006198420.tif 000014
【図１３】
2006198420.tif 000015
【図１４】
2006198420.tif 000016
【図１５】
2006198420.tif 000017
【図１６】
2006198420.tif 000018
【図１７】
2006198420.tif 000019
【図１８】
2006198420.tif 000020
【図１９】
2006198420.tif 000021
【図２０】
2006198420.tif 000022
【図２１】
2006198420.tif 000023
【図２２】
2006198420.tif 000024
【図２３】
2006198420.tif 000025
【図２４】
2006198420.tif 000026
【図２５】
2006198420.tif 000027
【図２６】
2006198420.tif 000028
【図２７】
2006198420.tif 000029
【図２８】
2006198420.tif 000030
【図２９】
2006198420.tif 000031
【図３０】
2006198420.tif 000032
【図３１】
2006198420.tif 000033
【図３２】
2006198420.tif 000034
【図３３】
2006198420.tif 000035
【図３４】
2006198420.tif 000036
【図３５】
2006198420.tif 000037
【図３６】
2006198420.tif 000038
【図３７】
2006198420.tif 000039
【図３８】
2006198420.tif 000040
【図３９】
2006198420.tif 000041
【図４０】
2006198420.tif 000042
【図４１】
2006198420.tif 000043
【図４２】
2006198420.tif 000044
【図４３】
2006198420.tif 000045
【図４４】
2006198420.tif 000046
【図４５】
2006198420.tif 000047
【図４６】
2006198420.tif 000048
【図４７】
2006198420.tif 000049
【図４８】
2006198420.tif 000050
【図４９】
2006198420.tif 000051
【図５０】
2006198420.tif 000052
【図５１】
2006198420.tif 000053
【図５２】
2006198420.tif 000054
【図５３】
2006198420.tif 000055
【図５４】
2006198420.tif 000056
【図５５】
2006198420.tif 000057
【図５６】
2006198420.tif 000058
【図５７】
2006198420.tif 000059
【図５８】
2006198420.tif 000060
【図５９】
2006198420.tif 000061
【図６０】
2006198420.tif 000062
【図６１】
2006198420.tif 000063
【図６２】
2006198420.tif 000064
【図６３】
2006198420.tif 000065
【図６４】
2006198420.tif 000066
【図６５】
2006198420.tif 000067
【図６６】
2006198420.tif 000068
【図６７】
2006198420.tif 000069
【図６８】
2006198420.tif 000070
【図６９】
2006198420.tif 000071